(57)【要約】ＷＴＲＵがモバイル中継器として働くためのシステム、方法、および手段が開示され、方法は、ＷＴＲＵがネットワークに接続することと、ＷＴＲＵがネットワークのカバレージの外部の１つまたは複数のデバイスのモバイル中継器として働くことを示すメッセージをＷＴＲＵがネットワークから受信することと、ＷＴＲＵがネットワークのカバレージの外部の１つまたは複数のデバイスを発見することと、カバレージ外デバイスがモバイル中継器として働くためにＷＴＲＵを選択したことを示すメッセージをＷＴＲＵがカバレージ外デバイスから受信することとを含む。
2018515969.tif 000002
【特許請求の範囲】
【請求項１】
ワイヤレス送受信ユニット（ＷＴＲＵ）であって、
メモリと、
２つ以上のモバイル中継器から送信を受信し、前記送信は、第１のモバイル中継器からの第１の送信と第２のモバイル中継器からの第２の送信とを備え、
前記第１のモバイル中継器からの前記第１の送信に基づく第１のチャネル品質と前記第２のモバイル中継器からの前記第２の送信に基づく第２のチャネル品質とを決定し、
前記第１のチャネル品質または前記第２のチャネル品質のうちの１つまたは複数が設定されたしきい値を超えるかどうかを決定し、前記設定されたしきい値は、前記２つ以上のモバイル中継器のうちの１つまたは複数を介して前記ＷＴＲＵへまたは前記ＷＴＲＵから送信されるアプリケーションレイヤデータに対応する要求されるチャネル品質に関連付けられ、
前記設定されたしきい値を超える前記２つ以上のモバイル中継器のそれぞれをランク付けし、
前記第１のモバイル中継器が前記アプリケーションレイヤデータに関連付けられたサービスをサポートする最高にランク付けされたモバイル中継器であることに基づいて前記第１のモバイル中継器を選択し、
前記第１のモバイル中継器と接続する要求を送り、
前記ＷＴＲＵによって選択された前記第１のモバイル中継器と接続する
ように構成されたプロセッサと
を備えたことを特徴とするＷＴＲＵ。
【請求項２】
前記ＷＴＲＵは、前記第１のチャネル品質を周期的に測定し、
前記ＷＴＲＵが、前記測定に基づいて、前記第１のチャネル品質が前記設定されたしきい値未満であると決定するという条件で、前記第２のチャネル品質が、後続の測定機会中に前記設定されたしきい値を超えると決定し、
前記第２のモバイル中継器が前記アプリケーションレイヤデータに関連付けられた前記サービスをサポートすると決定し、
前記第２のモバイル中継器と接続する要求を送り、前記第２のモバイル中継器は選択され、前記第２のモバイル中継器は、前記後続の測定機会中に前記２つ以上のモバイル中継器のうちで最高にランク付けされるモバイル中継器であり、
前記第１のモバイル中継器から切断し、前記ＷＴＲＵによって選択された前記第２のモバイル中継器に接続する
ようにさらに構成されたことを特徴とする請求項１に記載のＷＴＲＵ。
【請求項３】
前記送信は、前記２つ以上のモバイル中継器の識別を備えたことを特徴とする請求項１に記載のＷＴＲＵ。
【請求項４】
前記ＷＴＲＵは、前記２つ以上のモバイル中継器の前記受信された識別をｅｖｏｌｖｅｄノードＢ（ｅＮＢ）に報告するようにさらに構成されたことを特徴とする請求項３に記載のＷＴＲＵ。
【請求項５】
前記２つ以上のモバイル中継器の前記識別は、モバイル中継器レイヤ２識別（ＩＤ）または物理レイヤＩＤを含むことを特徴とする請求項４に記載のＷＴＲＵ。
【請求項６】
前記ＷＴＲＵは、
ｅｖｏｌｖｅｄノードＢ（ｅＮＢ）との接続がもはや使用可能ではないと決定し、
ディスカバリ要求をモバイル中継器に送る
ようにさらに構成され、
前記ディスカバリ要求は、プロキシミティサービス（ＰｒｏＳｅ）コードおよび前記ＷＴＲＵの識別子を備える
請求項１に記載のＷＴＲＵ。
【請求項７】
前記ＰｒｏＳｅコードは、前記ＷＴＲＵ内にハードコーディングされることを特徴とする請求項６に記載のＷＴＲＵ。
【請求項８】
前記識別子は、前記ディスカバリ要求内のアプリケーションコードの一部であることを特徴とする請求項６に記載のＷＴＲＵ。
【請求項９】
前記ＷＴＲＵは、
ＰＣ５を介して前記第１のモバイル中継器から通知を受信し、前記通知は、前記ｅＮＢとの前記接続を失うことに関連付けられ、
前記第２のモバイル中継器のディスカバリ要求をＰＣ５上で送り、
ＰＣ５上の前記第２のモバイル中継器の前記チャネル品質が前記設定されたしきい値を超えると決定し、
前記第２のモバイル中継器が前記アプリケーションレイヤデータに関連付けられた前記サービスをサポートすると決定し、
前記第２のモバイル中継器に接続する要求を送り、前記第２のモバイル中継器は前記ＷＴＲＵによって選択され、前記第２のモバイル中継器は、前記２つ以上のモバイル中継器のうちで最高にランク付けされるモバイル中継器であり、
前記第１のモバイル中継器から切断し、前記ＷＴＲＵによって選択された前記第２のモバイル中継器との１対１接続を確立する
ようにさらに構成されたことを特徴とする請求項１に記載のＷＴＲＵ。
【請求項１０】
前記通知は、ＰＨＹレイヤシグナリングまたはＲＲＣレイヤ制御シグナリングを介して受信されることを特徴とする請求項９に記載のＷＴＲＵ。
【請求項１１】
前記要求は、前記第１のモバイル中継器との１対１接続に関するものであり、前記ＷＴＲＵのプロキシミティサービス（ＰｒｏＳｅ）識別（ＩＤ）を備えたことを特徴とする請求項１に記載のＷＴＲＵ。
【請求項１２】
前記ＷＴＲＵは、リソース構成のためにｅｖｏｌｖｅｄノードＢ（ｅＮＢ）に前記要求を送るようにさらに構成されたことを特徴とする請求項１に記載のＷＴＲＵ。
【請求項１３】
前記要求は、前記ＷＴＲＵへのリソースの割当をトリガすることを特徴とする請求項１に記載のＷＴＲＵ。
【請求項１４】
前記選択は、前記サービスのタイプ、アナウンスされたパブリックランドモバイルネットワーク  ｉｄｅｎｔｉｆｉｃａｔｉｏｎ（ＰＬＭＮ  ＩＤ）、モバイル中継器固有情報、および一時モバイルグループ識別（ＴＭＧＩ）のうちの１つまたは複数に基づくことを特徴とする請求項１に記載のＷＴＲＵ。
【請求項１５】
前記設定されたしきい値は、無線リソース制御（ＲＲＣ）構成の一部であることを特徴とする請求項１に記載のＷＴＲＵ。
【請求項１６】
ワイヤレス送受信ユニット（ＷＴＲＵ）であって、
メモリと、
２つ以上のモバイル中継器から送信を受信し、前記送信は、第１のモバイル中継器からの第１の送信と第２のモバイル中継器からの第２の送信とを備え、
前記第１のモバイル中継器からの前記第１の送信に基づく第１のチャネル品質と前記第２のモバイル中継器からの前記第２の送信に基づく第２のチャネル品質とを決定し、
前記第１のモバイル中継器と接続する要求を送り、前記第１のモバイル中継器は、第１のトリガに応答して前記ＷＴＲＵによって選択され、
第２のトリガに応答して、前記ＷＴＲＵによって選択された前記第１のモバイル中継器と接続する
ように構成されたプロセッサと
を備えたことを特徴とするＷＴＲＵ。
【請求項１７】
前記トリガは、前記ｅＮＢによる直接命令、設定されたしきい値未満になるときの前記ＷＴＲＵによって測定された前記第１のモバイル中継器とｅｖｏｌｖｅｄノードＢ（ｅＮＢ）との間のリンク（Ｕｕ）の品質、下位レイヤが同期はずれ無線リンク障害（ＲＬＦ）を宣言すること、無線リソース制御（ＲＲＣ）接続再確立失敗、ＲＲＣ接続再確立に関連付けられたいずれかのタイマの満了、ＲＬＣ回復不能エラー、ハンドオーバ失敗、前記第１の中継器ＷＴＲＵが前記ＷＴＲＵによって要求されたサービスをアナウンスしないこと、別の中継器ＷＴＲＵが前記要求されたサービスをアナウンスすること、前記設定されたしきい値を超える別の中継器ＷＴＲＵのチャネル品質、および中継器リダイレクションメッセージの受信のうちの１つまたは複数を備えることができることを特徴とする請求項１６に記載のＷＴＲＵ。
【請求項１８】
第１のワイヤレス送受信ユニット（ＷＴＲＵ）であって、
メモリと、
モバイル中継器を実行することができるものとしてｅｖｏｌｖｅｄノードＢ（ｅＮＢ）に登録し、前記第１のＷＴＲＵは、前記ｅＮＢのカバレージの下にあり、
ディスカバリ要求を受信し、前記ディスカバリ要求は、コードおよび第２のＷＴＲＵの識別子を備え、
無線リソース制御（ＲＲＣ）メッセージ、媒体アクセス制御（ＭＡＣ）制御エレメント（ＣＥ）、またはアプリケーションメッセージを介して前記ｅＮＢに前記ディスカバリ要求の前記受信を報告し、
前記ｅＮＢからモバイル中継器構成を受信し、
前記ｅＮＢから受信された前記モバイル中継器構成に従う前記モバイル中継器として前記第２のＷＴＲＵとの接続を確立する
ように構成されたプロセッサと
を含むことを特徴とする第１のＷＴＲＵ。
【請求項１９】
前記ＷＴＲＵは、設定されたしきい値の複数のレベルに関連付けられた異なる挙動の表示を前記第２のＷＴＲＵに送るようにさらに構成されたことを特徴とする請求項１８に記載のＷＴＲＵ。
【請求項２０】
前記ＷＴＲＵは、
シグナリングを介して前記ｅＮＢと通信し、
信号品質が第１の設定されたしきい値および第２の設定されたしきい値未満であるかどうかを決定し、
前記信号品質が前記第１の設定されたしきい値未満であり、前記信号品質が前記第２の設定されたしきい値を超えるという条件で、ＰＣ５を介して前記第２のＷＴＲＵに、前記ｅＮＢとの失われた接続の通知および前記第２のＷＴＲＵによって実行される第１の挙動の表示を送り、
前記信号品質が前記第１の設定されたしきい値および前記第２の設定されたしきい値未満であるという条件で、ＰＣ５を介して前記第２のＷＴＲＵに、前記ｅＮＢとの前記失われた接続の前記通知およびリモートＷＴＲＵによって実行される第２の挙動の表示を送る
ようにさらに構成されたことを特徴とする請求項１８に記載のＷＴＲＵ。
【請求項２１】
前記通知は、媒体アクセス制御（ＭＡＣ）制御エレメント（ＣＥ）を備えたことを特徴とする請求項２０に記載のＷＴＲＵ。
【請求項２２】
前記ＷＴＲＵは、ＰＣ５上でブロードキャストすることによって１つまたは複数のリモートＷＴＲＵに前記通知を送り、前記ブロードキャストは、前記ＷＴＲＵ、ＴＭＧＩ、前記ＷＴＲＵの潜在的な置換物の識別、前記リモートＷＴＲＵのリソース構成、および前記リモートＷＴＲＵによって行われるアクションのうちの１つまたは複数を備えたことを特徴とする請求項２０に記載のＷＴＲＵ。
【請求項２３】
前記ＷＴＲＵは、特殊なＬ２識別子によって前記１つまたは複数のリモートＷＴＲＵをアドレッシングすることを特徴とする請求項２２に記載のＷＴＲＵ。
【請求項２４】
前記通知は、前記ＷＴＲＵがそれに関する前記ディスカバリ要求を受信するすべてのリモートＷＴＲＵを含むことを特徴とする請求項２２に記載のＷＴＲＵ。
【請求項２５】
前記第１のＷＴＲＵは、前記第２のＷＴＲＵに制御情報をブロードキャストし、前記制御情報は、前記第１のＷＴＲＵの識別、一時モバイルグループ識別（ＴＭＧＩ）、およびアクションを備えたことを特徴とする請求項２０に記載のＷＴＲＵ。
【請求項２６】
前記識別は、前記第１のＷＴＲＵのレイヤ２識別（ＩＤ）または物理レイヤＩＤを備えたことを特徴とする請求項２５に記載のＷＴＲＵ。
【請求項２７】
前記アクションは、中継器再選択を開始し、ディスカバリを開始し、測定を開始し、ＰＣ５上での送信を開始し、ＰＣ５上での送信を一時停止し、モバイル中継器に再選択し、リソースプールの再構成、およびリソースプールを変更するコマンドのうちの１つまたは複数を備えたことを特徴とする請求項２５に記載のＷＴＲＵ。
【請求項２８】
前記制御情報は、リソースプール構成をさらに含み、前記リソースプール構成は、前記第２のＷＴＲＵに関することを特徴とする請求項２５に記載のＷＴＲＵ。
【請求項２９】
前記制御情報は、サイドリンクブロードキャストチャネル（ＳＬ−ＢＣＨ）内でブロードキャストされることを特徴とする請求項２５に記載のＷＴＲＵ。
【請求項３０】
前記制御情報は、ＭａｓｔｅｒＩｎｆｏｒｍａｔｉｏｎＢｌｏｃｋ−ＳＬ内の予約済みビット内でブロードキャストされることを特徴とする請求項２９に記載のＷＴＲＵ。
【請求項３１】
デバイスツーデバイス（Ｄ２Ｄ）通信の方法であって、
２つ以上のモバイル中継器から送信を受信するステップであって、前記送信は、第１のモバイル中継器からの第１の送信と第２のモバイル中継器からの第２の送信とを備える、受信するステップと、
前記第１のモバイル中継器からの前記第１の送信に基づく第１のチャネル品質と前記第２のモバイル中継器からの前記第２の送信に基づく第２のチャネル品質とを決定するステップと、
前記第１のチャネル品質または前記第２のチャネル品質のうちの１つまたは複数が設定されたしきい値を超えるかどうかを決定するステップであって、前記設定されたしきい値は、ＷＴＲＵのアプリケーションレイヤデータに対応する要求されるチャネル品質に関連付けられる、決定するステップと、
前記設定されたしきい値を超える前記２つ以上のモバイル中継器のそれぞれをランク付けするステップと、
前記アプリケーションレイヤデータに関連付けられたサービスをサポートする最高にランク付けされたモバイル中継器として前記第１のモバイル中継器を選択するステップと、
前記第１のモバイル中継器と接続する要求を送るステップと、
前記第１のモバイル中継器と接続するステップと
を備えたことを特徴とする方法。
【請求項３２】
前記第１のチャネル品質が前記設定されたしきい値未満であるという条件で、前記第２のチャネル品質が、後続の測定機会中に前記設定されたしきい値を超えると決定するステップと、
前記第２のモバイル中継器が前記アプリケーションレイヤデータに関連付けられた前記サービスをサポートすると決定するステップと、
最高にランク付けされるモバイル中継器として前記第２のモバイル中継器を選択するステップと、
前記第２のモバイル中継器と接続する要求を送るステップと、
前記第１のモバイル中継器から切断し、前記第２のモバイル中継器に接続するステップと
をさらに備えたことを特徴とする請求項３１に記載の方法。
【発明の詳細な説明】
【技術分野】
【０００１】
本発明は、デバイスツーデバイス（Ｄ２Ｄ）通信のモバイル中継器の実現に関する。
【背景技術】
【０００２】
無線通信プロトコルの主要な標準化団体（たとえば、米国電気電子技術者協会（ＩＥＥＥ）、ｔｈｉｒｄ  ｇｅｎｅｒａｔｉｏｎ  ｐａｒｔｎｅｒ  ｐｒｏｊｅｃｔ（３ＧＰＰ）など）は、現在、サポート直接デバイスツーデバイス（Ｄ２Ｄ）通信を研究している。たとえば、３ＧＰＰおよびロングタームエボリューション（ＬＴＥ）に基づく無線アクセスシステムに関して、Ｄ２Ｄ通信のサポートは、ＬＴＥセルラ送信に似た無線波形を使用する、コスト効率のよい大容量通信を可能にすることができる。ネットワークベースの通信とＤ２Ｄ通信との両方に関するＬＴＥ様通信の利用は、使用に関して利用可能な無線アクセス技術の資本支出（ＣＡＰＥＸ）および運用費用（operational expenditure、ＯＰＥＸ）を低下させるために、管轄区にまたがって無線アクセス技術を調和させるのを支援することができる。
【０００３】
たとえば、Ｄ２Ｄ通信は、公共安全（ＰＳ）タイプアプリケーションをサポートするのに利用され得る。ＰＳアプリケーションの例は、ネットワークカバレージを有するまたは有しない区域内でファーストレスポンダが互いにおよび他のユーザと通信することを可能にするアプリケーションを含むことができる。いくつかのＰＳ通信は、他のタイプのサービスより高い信頼性の送信を必要とする場合がある。
【０００４】
さらに、ＰＳアプリケーションは、しばしばＬＴＥネットワークの無線カバレージの下ではない区域内での無線通信のサポートを必要とする場合がある。たとえば、目標が、トンネル内、深い地下室内、または破局的なシステム停止の後など、制限されたネットワークカバレージを有する区域内でＤ２Ｄ通信のサポートを保証することである場合がある。したがって、Ｄ２Ｄプロトコルは、動作するネットワークの不在時（または、たとえば、アドホック展開される無線インフラストラクチャの到着の前）にＤ２Ｄ通信をサポートするために定義され得る。
【０００５】
Ｄ２Ｄ通信は、商用アプリケーションをサポートするように設計される場合もある。たとえば、接続されるデバイスの個数が増加するにつれて、モバイルネットワークの展望からは、商用データおよび他のユーザデータの一部の通信が、モバイルネットワークを介して通信をルーティングするのではなく、またはそれに加えて、Ｄ２Ｄ通信として交換されることを可能にすることが、より効率的である場合がある。Ｄ２Ｄ通信は、厳格なサービス品質（ＱｏＳ）要件（たとえば、短い待ち時間、高い信頼性など）を有するデータの通信を容易にすることもできる。一例示的なユースケースは、他のデバイス（たとえば、電話機、タブレット、コンピュータ、モバイルネットワークなど）とワイヤレスに通信するように構成された商用ウェアラブルデバイス（たとえば、腕時計、眼鏡など）に関する。
【０００６】
Ｄ２Ｄ通信プロトコルは、ＰＳアプリケーションおよび商用アプリケーションのうちの１つまたは複数をサポートするために柔軟な形で定義され得る。
【発明の概要】
【課題を解決するための手段】
【０００７】
ＷＴＲＵが、たとえばＤ２Ｄ通信および手順を実行することによって、モバイル中継器(mobile relay)として働き、かつ／またはモバイル中継器に接続するためのシステム、方法、および手段が開示される。たとえば、モバイル中継器に接続するＷＴＲＵ（たとえば、リモートＷＴＲＵ）は、複数のモバイル中継器から送信を受信することができる。リモートＷＴＲＵは、送信に基づくチャネル品質を決定することができる。リモートＷＴＲＵは、モバイル中継器のチャネル品質が設定されたしきい値を超えるかどうかを決定することができる。設定されたしきい値は、モバイル中継器を介してリモートＷＴＲＵから送信されるアプリケーションレイヤデータに対応する要求されるチャネル品質に基づくものとすることができる。リモートＷＴＲＵは、モバイル中継器をランク付けすることができる。リモートＷＴＲＵは、アプリケーションレイヤデータに関連付けられたサービスをサポートする最高にランク付けされたモバイル中継器を選択することができる。リモートＷＴＲＵは、最高にランク付けされたモバイル中継器と接続する要求を送ることができる。リモートＷＴＲＵは、最高にランク付けされたモバイル中継器と接続することができる。
【０００８】
リモートＷＴＲＵは、チャネル品質を周期的に測定することができる。リモートＷＴＲＵは、リモートＷＴＲＵが接続されるモバイル中継器からの送信のチャネル品質が設定されたしきい値を超えるかどうかを決定することができる。リモートＷＴＲＵが接続されるモバイル中継器からの送信が、もはや設定されたしきい値を超えない場合には、リモートＷＴＲＵは、別のモバイル中継器を再選択することができる。再選択されたモバイル中継器からの送信のチャネル品質は、設定されたしきい値を超えることができる。再選択されたモバイル中継器からの送信のチャネル品質は、最高にランク付けされるチャネル品質になることができる。リモートＷＴＲＵは、再選択されたモバイル中継器が、アプリケーションレイヤデータに関連付けされたサービスをサポートするかどうかを判断することができる。リモートＷＴＲＵは、以前に選択されたモバイル中継器から切断し、再選択されたモバイル中継器に接続することができる。
【図面の簡単な説明】
【０００９】
【図１Ａ】１つまたは複数の開示される実施形態が実施され得る例示的な通信システムを示すシステム図である。
【図１Ｂ】図１Ａに示された通信システム内で使用され得る例示的なワイヤレス送受信ユニット（ＷＴＲＵ）を示すシステム図である。
【図１Ｃ】図１Ａに示された通信システム内で使用され得る例示的な無線アクセスネットワークおよび例示的なコアネットワークを示すシステム図である。
【図１Ｄ】図１Ａに示された通信システム内で使用され得る別の例示的な無線アクセスネットワークおよび別の例示的なコアネットワークを示すシステム図である。
【図１Ｅ】図１Ａに示された通信システム内で使用され得る別の例示的な無線アクセスネットワークおよび別の例示的なコアネットワークを示すシステム図である。
【図２】例示的なＷＴＲＵ対ネットワークモバイル中継器機能（WTRU-to-Network Mobile relay function）を示す図である。
【図３】例示的なＷＴＲＵ対ネットワークモバイル中継器機能を示す図である。
【図４】例示的なＷＴＲＵ対ネットワークモバイル中継器機能を示す図である。
【図５】モデルＡによる公共安全ディスカバリの例を示す図である。
【図６】モデルＢによる公共安全ディスカバリの例を示す図である。
【図７】モバイル中継器ＷＴＲＵの選択の例を示す図である。
【図８】位置に基づくモバイル中継器ＷＴＲＵの事前選択の例を示す図である。
【図９】選択／接続確立の例を示す図である。
【図１０】リソース再構成の例を示す図である。
【発明を実施するための形態】
【００１０】
例示的な実施形態の詳細な説明が、これから、様々な図面を参照して説明される。この説明は、可能な実施態様の詳細な例を提供するが、詳細は、例示的であることを意図され、本願の範囲を全く限定しないことに留意されたい。さらに、図面は、例示的であることを意図された１つまたは複数のメッセージチャートを示す場合がある。他の実施形態が使用され得る。メッセージの順序は、適当な場合に変更され得る。メッセージは、必要でない場合に省略され得、追加のメッセージが追加され得る。
【００１１】
図１Ａは、１つまたは複数の開示される実施形態が実施され得る例示的な通信システム１００の図である。通信システム１００は、音声、データ、ビデオ、メッセージング、ブロードキャストなどのコンテンツを複数のワイヤレスユーザに提供する多元接続システムとすることができる。通信システム１００は、複数のワイヤレスユーザがワイヤレス帯域幅を含むシステムリソースの共有を介してそのようなコンテンツにアクセスすることを可能にすることができる。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および／または類似物などの１つまたは複数のチャネルアクセス方法を使用することができる。
【００１２】
図１Ａに示されているように、通信システム１００は、ワイヤレス送受信ユニット（ＷＴＲＵ）１０２ａ、１０２ｂ、１０２ｃ、および／または１０２ｄ（一般にまたは集合的にＷＴＲＵ  １０２と呼ばれる場合がある）と、無線アクセスネットワーク（ＲＡＮ）１０３／１０４／１０５と、コアネットワーク１０６／１０７／１０９と、公衆交換電話網（ＰＳＴＮ）１０８と、インターネット１１０と、他のネットワーク１１２とを含むことができるが、開示される実施形態が、任意の個数のＷＴＲＵ、基地局、ネットワーク、および／またはネットワーク要素を企図することを了解されたい。ＷＴＲＵ  １０２ａ、１０２ｂ、１０２ｃ、および１０２ｄのそれぞれは、ワイヤレス環境内で動作し、かつ／または通信するように構成された任意のタイプのデバイスとすることができる。例として、ＷＴＲＵ  １０２ａ、１０２ｂ、１０２ｃ、および１０２ｄは、ワイヤレス信号を送信し、かつ／または受信するように構成され得、ユーザ機器（ＵＥ）、移動局、固定またはモバイル加入者ユニット、ページャ、セルラ電話機、携帯情報端末（ＰＤＡ）、スマートフォン、ラップトップ、ネットブック、パーソナルコンピュータ、ワイヤレスセンサ、家庭用電化製品、および／または類似物を含むことができる。
【００１３】
通信システム１００は、基地局１１４ａおよび基地局１１４ｂをも含むことができる。基地局１１４ａおよび１１４ｂのそれぞれは、コアネットワーク１０６／１０７／１０９、インターネット１１０、および／またはネットワーク１１２などの１つまたは複数の通信ネットワークへのアクセスを容易にするためにＷＴＲＵ  １０２ａ、１０２ｂ、１０２ｃ、および１０２ｄのうちの１つまたは複数とワイヤレスにインターフェース接続するように構成された任意のタイプのデバイスとすることができる。例として、基地局１１４ａおよび１１４ｂは、ベーストランシーバステーション（base transceiver station、ＢＴＳ）、ノードＢ、ｅＮｏｄｅ  Ｂ、ホームノードＢ、ホームｅＮｏｄｅ  Ｂ、サイトコントローラ、アクセスポイント（ＡＰ）、ワイヤレスルータ、および／または類似物とすることができる。基地局１１４ａおよび１１４ｂは、それぞれ単一の要素として図示されているが、基地局１１４ａおよび１１４ｂが、任意の個数の相互接続された基地局および／またはネットワーク要素を含むことができることを了解されたい。
【００１４】
基地局１１４ａは、ＲＡＮ  １０３／１０４／１０５の一部とすることができ、ＲＡＮ  １０３／１０４／１０５は、他の基地局および／または基地局コントローラ（ＢＳＣ）、無線ネットワークコントローラ（ＲＮＣ）、中継ノード、その他などのネットワーク要素（図示せず）を含むこともできる。基地局１１４ａおよび／または基地局１１４ｂは、セル（図示せず）と呼ばれる場合がある特定の地理的領域内でワイヤレス信号を送信し、かつ／または受信するように構成され得る。セルは、セルセクタにさらに分割される場合がある。たとえば、基地局１１４ａに関連付けられたセルが、３つのセクタに分割される場合がある。したがって、一実施形態では、基地局１１４ａは、３つのトランシーバすなわちセルのセクタごとに１つのトランシーバを含むことができる。別の実施形態では、基地局１１４ａは、多重入力・多重出力（ＭＩＭＯ）技術を使用することができ、したがって、セルのセクタごとに複数のトランシーバを利用することができる。
【００１５】
基地局１１４ａおよび１１４ｂは、エアインターフェース１１５／１１６／１１７を介してＷＴＲＵ  １０２ａ、１０２ｂ、１０２ｃ、および１０２ｄのうちの１つまたは複数と通信することができ、エアインターフェース１１５／１１６／１１７は、任意の適切なワイヤレス通信リンク（たとえば、無線周波数（ＲＦ）、マイクロ波、赤外線（ＩＲ）、紫外線（ＵＶ）、可視光など）とすることができる。エアインターフェース１１５／１１６／１１７は、任意の適切な無線アクセス技術（ＲＡＴ）を使用して確立され得る。
【００１６】
より具体的には、上述したように、通信システム１００は、多元接続システムとすることができ、ＣＤＭＡ、ＴＤＭＡ、ＦＤＭＡ、ＯＦＤＭＡ、ＳＣ−ＦＤＭＡ、および／または類似物などの１つまたは複数のチャネルアクセス方式を使用することができる。たとえば、ＲＡＮ  １０３／１０４／１０５内の基地局１１４ａおよびＷＴＲＵ  １０２ａ、１０２ｂ、１０２ｃは、広帯域ＣＤＭＡ（ＷＣＤＭＡ）を使用してエアインターフェース１１５／１１６／１１７を確立することのできるユニバーサルモバイルテレコミュニケーションズシステム（ＵＭＴＳ）地上無線アクセス（ＵＴＲＡ）などの無線技術を実施することができる。ＷＣＤＭＡは、高速パケットアクセス（ＨＳＰＡ）および／または拡張ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１７】
別の実施形態では、基地局１１４ａおよびＷＴＲＵ  １０２ａ、１０２ｂ、１０２ｃは、進化型ＵＭＴＳ地上無線アクセス（Ｅ−ＵＴＲＡ）などの無線技術を実施することができ、Ｅ−ＵＴＲＡは、ロングタームエボリューション（ＬＴＥ）および／またはＬＴＥ−Ａｄｖａｎｃｅｄ（ＬＴＥ−Ａ）を使用してエアインターフェース１１５／１１６／１１７を確立することができる。
【００１８】
他の実施形態では、基地局１１４ａおよびＷＴＲＵ  １０２ａ、１０２ｂ、１０２ｃは、ＩＥＥＥ  ８０２．１６（すなわち、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、モバイル通信用グローバルシステム（ＧＳＭ）、ＧＳＭエボリューション用の高速データレート（ＥＤＧＥ）、ＧＳＭ  ＥＤＧＥ（ＧＥＲＡＮ）、および／または類似物などの無線技術を実施することができる。
【００１９】
図１Ａにおける基地局１１４ｂは、たとえばワイヤレスルータ、ホームノードＢ、ホームｅＮｏｄｅ  Ｂ、またはアクセスポイントとすることができ、事業所、自宅、車両、キャンパス、および／または類似物などの局所化された区域内でのワイヤレス接続を容易にするために任意の適切なＲＡＴを利用することができる。一実施形態では、基地局１１４ｂおよびＷＴＲＵ  １０２ｃ、１０２ｄは、ワイヤレスローカルエリアネットワーク（ＷＬＡＮ）を確立するためにＩＥＥＥ  ８０２．１１などの無線技術を実施することができる。別の実施形態では、基地局１１４ｂおよびＷＴＲＵ  １０２ｃ、１０２ｄは、ワイヤレスパーソナルエリアネットワーク（ＷＰＡＮ）を確立するためにＩＥＥＥ  ８０２．１５などの無線技術を実施することができる。さらに別の実施形態では、基地局１１４ｂおよびＷＴＲＵ  １０２ｃ、１０２ｄは、ピコセルまたはフェムトセルを確立するためにセルラベースのＲＡＴ（たとえば、ＷＣＤＭＡ、ＣＤＭＡ２０００、ＧＳＭ、ＬＴＥ、ＬＴＥ−Ａなど）を利用することができる。図１Ａに示されているように、基地局１１４ｂは、インターネット１１０への直接接続を有することができる。したがって、基地局１１４ｂは、コアネットワーク１０６／１０７／１０９を介してインターネット１１０にアクセスすることを要求されないものとすることができる。
【００２０】
ＲＡＮ  １０３／１０４／１０５は、コアネットワーク１０６／１０７／１０９と通信しているものとすることができ、コアネットワーク１０６／１０７／１０９は、ＷＴＲＵ  １０２ａ、１０２ｂ、１０２ｃ、および１０２ｄのうちの１つまたは複数に音声、データ、アプリケーション、および／またはボイスオーバーインターネットプロトコル（ＶｏＩＰ）サービスを提供するように構成された任意のタイプのネットワークとすることができる。たとえば、コアネットワーク１０６／１０７／１０９は、呼制御、請求サービス、モバイルロケーションベースのサービス、プリペイド通話、インターネット接続、ビデオ配信、その他を提供し、かつ／またはユーザ認証などの高水準セキュリティ機能を実行することができる。図１Ａには図示されていないが、ＲＡＮ  １０３／１０４／１０５および／またはコアネットワーク１０６／１０７／１０９は、ＲＡＮ  １０３／１０４／１０５と同一のＲＡＴまたは異なるＲＡＴを使用する他のＲＡＮと直接または間接に通信しているものとすることができることを了解されたい。たとえば、Ｅ−ＵＴＲＡ無線技術を利用することのできるＲＡＮ  １０３／１０４／１０５に接続されることに加えて、コアネットワーク１０６／１０７／１０９は、ＧＳＭ無線技術を使用する別のＲＡＮ（図示せず）と通信しているものとすることもできる。
【００２１】
コアネットワーク１０６／１０７／１０９は、ＷＴＲＵ  １０２ａ、１０２ｂ、１０２ｃ、および１０２ｄがＰＳＴＮ  １０８、インターネット１１０、および／または他のネットワーク１１２にアクセスするためのゲートウェイとして働くこともできる。ＰＳＴＮ  １０８は、基本電話サービス（ＰＯＴＳ）を提供する回線交換電話網を含むことができる。インターネット１１０は、伝送制御プロトコル（ＴＣＰ）／インターネットプロトコル（ＩＰ）インターネットプロトコルスイートにおけるＴＣＰ、ユーザデータグラムプロトコル（ＵＤＰ）、およびＩＰなどの共通通信プロトコルを使用する相互接続されたコンピュータネットワークおよびデバイスの地球規模のシステムを含むことができる。ネットワーク１１２は、他のサービスプロバイダによって所有され、かつ／または運営される有線またはワイヤレスの通信ネットワークを含むことができる。たとえば、ネットワーク１１２は、ＲＡＮ  １０３／１０４／１０５と同一のＲＡＴまたは異なるＲＡＴを使用することのできる１つまたは複数のＲＡＮに接続された別のコアネットワークを含むことができる。
【００２２】
通信システム１００内のＷＴＲＵ  １０２ａ、１０２ｂ、１０２ｃ、および１０２ｄの一部またはすべては、マルチモード能力を含むことができる、すなわち、ＷＴＲＵ  １０２ａ、１０２ｂ、１０２ｃ、および１０２ｄは、異なるワイヤレスリンクを介して異なるワイヤレスネットワークと通信するための複数のトランシーバを含むことができる。たとえば、図１Ａに示されたＷＴＲＵ  １０２ｃは、セルラベースの無線技術を使用することのできる基地局１１４ａおよびＩＥＥＥ  ８０２無線技術を使用することのできる基地局１１４ｂと通信するように構成され得る。
【００２３】
図１Ｂは、例示的なＷＴＲＵ  １０２のシステム図である。図１Ｂに示されているように、ＷＴＲＵ  １０２は、プロセッサ１１８、トランシーバ１２０、送受信要素１２２、スピーカ／マイクロホン１２４、キーパッド１２６、ディスプレイ／タッチパッド１２８、ノンリムーバブルメモリ１３０、リムーバブルメモリ１３２、電源１３４、全地球測位システム（ＧＰＳ）チップセット１３６、および他の周辺機器１３８を含むことができる。ＷＴＲＵ  １０２が、実施形態と一貫したままでありながら前述の要素の任意の副組合せを含むことができることを了解されたい。また、実施形態は、基地局１１４ａおよび１１４ｂならびに／または、とりわけトランシーバステーション（ＢＴＳ）、ノードＢ、サイトコントローラ、アクセスポイント（ＡＰ）、ホームノードＢ、ｅｖｏｌｖｅｄホームノードＢ（ｅＮｏｄｅＢ）、ホームｅｖｏｌｖｅｄノードＢ（ＨｅＮＢまたはＨｅＮｏｄｅＢ）、ホームｅｖｏｌｖｅｄノードＢゲートウェイ、およびプロキシノードなどであるがこれに限定されない、基地局１１４ａおよび１１４ｂが表すことのできるノードが、図１Ｂに示され、本明細書で説明される要素の一部またはすべてを含むことができることを企図する。
【００２４】
プロセッサ１１８は、汎用プロセッサ、専用プロセッサ、従来のプロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械、および／または類似物とすることができる。プロセッサ１１８は、信号符号化、データ処理、電力制御、入出力処理、および／またはＷＴＲＵ  １０２がワイヤレス環境内で動作することを可能にする任意の他の機能性を実行することができる。プロセッサ１１８は、トランシーバ１２０に結合され得、トランシーバ１２０は、送受信要素１２２に結合され得る。図１Ｂは、別々の構成要素としてプロセッサ１１８およびトランシーバ１２０を示すが、プロセッサ１１８およびトランシーバ１２０が、電子パッケージまたはチップ内に一緒に一体化され得ることを了解されたい。
【００２５】
送受信要素１２２は、エアインターフェース１１５／１１６／１１７を介して基地局（たとえば、基地局１１４ａ）に信号を送信し、または基地局から信号を受信するように構成され得る。たとえば、一実施形態では、送受信要素１２２は、ＲＦ信号を送信し、かつ／または受信するように構成されたアンテナとすることができる。別の実施形態では、送受信要素１２２は、たとえばＩＲ信号、ＵＶ信号、または可視光信号を送信し、かつ／または受信するように構成されたエミッタ／検出器とすることができる。さらに別の実施形態では、送受信要素１２２は、ＲＦ信号と光信号との両方を送信し、受信するように構成され得る。送受信要素１２２が、ワイヤレス信号の任意の組合せを送信し、かつ／または受信するように構成され得ることを了解されたい。
【００２６】
さらに、送受信要素１２２は、図１Ｂでは単一の要素として示されているが、ＷＴＲＵ  １０２は、任意の個数の送受信要素１２２を含むことができる。より具体的には、ＷＴＲＵ  １０２は、ＭＩＭＯ技術を使用することができる。したがって、一実施形態では、ＷＴＲＵ  １０２は、エアインターフェース１１５／１１６／１１７を介してワイヤレス信号を送信し、受信するための２つ以上の送受信要素１２２（たとえば、複数のアンテナ）を含むことができる。
【００２７】
トランシーバ１２０は、送受信要素１２２によって送信されることになる信号を変調し、送受信要素１２２によって受信された信号を復調するように構成され得る。上述したように、ＷＴＲＵ  １０２は、マルチモード能力を有することができる。したがって、トランシーバ１２０は、ＷＴＲＵ  １０２がたとえばＵＴＲＡおよびＩＥＥＥ  ８０２．１１など、複数のＲＡＴを介して通信することを可能にするための複数のトランシーバを含むことができる。
【００２８】
ＷＴＲＵ  １０２のプロセッサ１１８は、スピーカ／マイクロホン１２４、キーパッド１２６、および／またはディスプレイ／タッチパッド１２８（たとえば、液晶ディスプレイ（ＬＣＤ）ディスプレイユニットまたは有機発光ダイオード（ＯＬＥＤ）ディスプレイユニット）に結合され得、これらからユーザ入力データを受信することができる。プロセッサ１１８は、スピーカ／マイクロホン１２４、キーパッド１２６、および／またはディスプレイ／タッチパッド１２８にユーザデータを出力することもできる。さらに、プロセッサ１１８は、ノンリムーバブルメモリ１３０および／またはリムーバブルメモリ１３２などの任意のタイプの適切なメモリから情報にアクセスし、これらにデータを記憶することができる。ノンリムーバブルメモリ１３０は、ランダムアクセスメモリ（ＲＡＭ）、読取専用メモリ（ＲＯＭ）、ハードディスク、または任意の他のタイプのメモリストレージデバイスを含むことができる。リムーバブルメモリ１３２は、サブスクライバ識別モジュール（ＳＩＭ）カード、メモリスティック、セキュアデジタル（ＳＤ）メモリカード、および／または類似物を含むことができる。他の実施形態では、プロセッサ１１８は、サーバまたはホームコンピュータ（図示せず）上など、ＷＴＲＵ  １０２上に物理的に配置されてはいないメモリから情報にアクセスし、これにデータを記憶することができる。
【００２９】
プロセッサ１１８は、電源１３４から電力を受け取ることができ、ＷＴＲＵ  １０２内の他の構成要素に電力を分配し、かつ／または制御するように構成され得る。電源１３４は、ＷＴＲＵ  １０２に電力を供給する任意の適切なデバイスとすることができる。たとえば、電源１３４は、１つまたは複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池、および／または類似物を含むことができる。
【００３０】
プロセッサ１１８は、ＷＴＲＵ  １０２の現在ロケーションに関するロケーション情報（たとえば、経度および緯度）を提供するように構成され得るＧＰＳチップセット１３６にも結合され得る。ＧＰＳチップセット１３６からの情報に加えてまたはその代わりに、ＷＴＲＵ  １０２は、基地局（たとえば、基地局１１４ａ、１１４ｂ）からエアインターフェース１１５／１１６／１１７を介してロケーション情報を受信し、かつ／または２つ以上の近くの基地局から受信した信号のタイミングに基づいてそのロケーションを決定することができる。ＷＴＲＵ  １０２が、実施形態と一貫したままでありながら任意の適切なロケーション決定実施態様によってロケーション情報を獲得できることを了解されたい。
【００３１】
プロセッサ１１８は、追加の特徴、機能性、および／または有線もしくはワイヤレスの接続を提供する１つまたは複数のソフトウェアモジュールおよび／またはハードウェアモジュールを含むことができる他の周辺機器１３８にさらに結合され得る。たとえば、周辺機器１３８は、加速度計、ｅコンパス、衛星トランシーバ、デジタルカメラ（写真またはビデオ用）、ユニバーサルシリアルバス（ＵＳＢ）ポート、振動デバイス、テレビジョントランシーバ、ハンズフリーヘッドセット、Ｂｌｕｅｔｏｏｔｈ（登録商標）モジュール、周波数変調（ＦＭ）ラジオユニット、デジタル音楽プレイヤ、メディアプレイヤ、ビデオゲームプレイヤモジュール、インターネットブラウザ、および／または類似物を含むことができる。
【００３２】
図１Ｃは、一実施形態によるＲＡＮ  １０３およびコアネットワーク１０６のシステム図である。上述したように、ＲＡＮ  １０３は、エアインターフェース１１５を介してＷＴＲＵ  １０２ａ、１０２ｂ、１０２ｃと通信するためにＵＴＲＡ無線技術を使用することができる。ＲＡＮ  １０３は、コアネットワーク１０６とも通信しているものとすることができる。図１Ｃに示されているように、ＲＡＮ  １０３は、ノードＢ  １４０ａ、１４０ｂ、１４０ｃを含むことができ、ノードＢ  １４０ａ、１４０ｂ、１４０ｃは、それぞれ、エアインターフェース１１５を介するＷＴＲＵ  １０２ａ、１０２ｂ、１０２ｃとの通信のために１つまたは複数のトランシーバを含むことができる。ノードＢ  １４０ａ、１４０ｂ、１４０ｃは、それぞれ、ＲＡＮ  １０３内の特定のセル（図示せず）に関連付けられ得る。ＲＡＮ  １０３は、ＲＮＣ  １４２ａ、１４２ｂをも含むことができる。ＲＡＮ  １０３が、実施形態と一貫したままでありながら任意の数のノードＢおよびＲＮＣを含むことができることを了解されたい。
【００３３】
図１Ｃに示されているように、ノードＢ  １４０ａ、１４０ｂは、ＲＮＣ  １４２ａと通信しているものとすることができる。さらに、ノードＢ  １４０ｃは、ＲＮＣ  １４２ｂと通信しているものとすることができる。ノードＢ  １４０ａ、１４０ｂ、１４０ｃは、Ｉｕｂインターフェースを介してそれぞれのＲＮＣ  １４２ａ、１４２ｂと通信することができる。ＲＮＣ  １４２ａ、１４２ｂは、Ｉｕｒインターフェースを介して互いに通信しているものとすることができる。ＲＮＣ  １４２ａ、１４２ｂのそれぞれは、それが接続されるそれぞれのノードＢ  １４０ａ、１４０ｂ、１４０ｃを制御するように構成され得る。さらに、ＲＮＣ  １４２ａ、１４２ｂのそれぞれは、外側ループ電力制御、負荷制御、アドミッションコントロール、パケットスケジューリング、ハンドオーバ制御、マクロダイバーシティ、セキュリティ機能、データ暗号化、および／または類似物などの他の機能性を実行しまたはサポートするように構成され得る。
【００３４】
図１Ｃに示されたコアネットワーク１０６は、メディアゲートウェイ（ＭＧＷ）１４４、モバイルスイッチングセンタ（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。前述の要素のそれぞれは、コアネットワーク１０６の一部として図示されているが、これらの要素のうちの任意の１つが、コアネットワークオペレータ以外のエンティティによって所有され、かつ／または運営され得ることを了解されたい。
【００３５】
ＲＡＮ  １０３内のＲＮＣ  １４２ａは、ＩｕＣＳインターフェースを介してコアネットワーク１０６内のＭＳＣ  １４６に接続され得る。ＭＳＣ  １４６は、ＭＧＷ  １４４に接続され得る。ＭＳＣ  １４６およびＭＧＷ  １４４は、ＷＴＲＵ  １０２ａ、１０２ｂ、１０２ｃと従来の陸線通信デバイスとの間の通信を容易にするために、ＰＳＴＮ  １０８などの回線交換ネットワークへのアクセスをＷＴＲＵ  １０２ａ、１０２ｂ、１０２ｃに提供することができる。
【００３６】
ＲＡＮ  １０３内のＲＮＣ  １４２ａは、ＩｕＰＳインターフェースを介してコアネットワーク１０６内のＳＧＳＮ  １４８にも接続され得る。ＳＧＳＮ  １４８は、ＧＧＳＮ  １５０に接続され得る。ＳＧＳＮ  １４８およびＧＧＳＮ  １５０は、ＷＴＲＵ  １０２ａ、１０２ｂ、１０２ｃとＩＰ対応デバイスとの間の通信を容易にするために、インターネット１１０などのパケット交換ネットワークへのアクセスをＷＴＲＵ  １０２ａ、１０２ｂ、１０２ｃに提供することができる。
【００３７】
上述したように、コアネットワーク１０６は、他のサービスプロバイダによって所有されかつ／または運営される他の有線またはワイヤレスのネットワークを含むことができるネットワーク１１２にも接続され得る。
【００３８】
図１Ｄは、一実施形態によるＲＡＮ  １０４およびコアネットワーク１０７のシステム図である。上述したように、ＲＡＮ  １０４は、エアインターフェース１１６を介してＷＴＲＵ  １０２ａ、１０２ｂ、１０２ｃと通信するためにＥ−ＵＴＲＡ無線技術を使用することができる。ＲＡＮ  １０４は、コアネットワーク１０７と通信しているものとすることもできる。
【００３９】
ＲＡＮ  １０４は、ｅＮｏｄｅ−Ｂ  １６０ａ、１６０ｂ、１６０ｃを含むことができるが、ＲＡＮ  １０４が、実施形態と一貫したままでありながら任意の数のｅＮｏｄｅ−Ｂを含むことができることを了解されたい。ｅＮｏｄｅ−Ｂ  １６０ａ、１６０ｂ、１６０ｃは、それぞれ、エアインターフェース１１６を介してＷＴＲＵ  １０２ａ、１０２ｂ、１０２ｃと通信するための１つまたは複数のトランシーバを含むことができる。一実施形態では、ｅＮｏｄｅ−Ｂ  １６０ａ、１６０ｂ、１６０ｃは、ＭＩＭＯ技術を実施することができる。したがって、ｅＮｏｄｅ−Ｂ  １６０ａは、たとえば、ＷＴＲＵ  １０２ａにワイヤレス信号を送信し、ＷＴＲＵ  １０２ａからワイヤレス信号を受信するのに複数のアンテナを使用することができる。
【００４０】
ｅＮｏｄｅ−Ｂ  １６０ａ、１６０ｂ、１６０ｃのそれぞれは、特定のセル（図示せず）に関連付けられ得、無線リソース管理判断、ハンドオーバ判断、アップリンクおよび／もしくはダウンリンクでのユーザのスケジューリング、ならびに／または類似物を処理するように構成され得る。図１Ｄに示されているように、ｅＮｏｄｅ−Ｂ  １６０ａ、１６０ｂ、１６０ｃは、Ｘ２インターフェースを介して互いに通信することができる。
【００４１】
図１Ｄに示されたコアネットワーク１０７は、モビリティ管理ゲートウェイ（ＭＭＥ）１６２、サービングゲートウェイ１６４、およびパケットデータネットワーク（ＰＤＮ）ゲートウェイ１６６を含むことができる。前述の要素のそれぞれは、コアネットワーク１０７の一部として図示されているが、これらの要素のうちの任意の１つが、コアネットワークオペレータ以外のエンティティによって所有され、かつ／または運営され得ることを了解されたい。
【００４２】
ＭＭＥ  １６２は、Ｓ１インターフェースを介してＲＡＮ  １０４内のｅＮｏｄｅ−Ｂ  １６０ａ、１６０ｂ、１６０ｃのそれぞれに接続され、制御ノードとして働くことができる。たとえば、ＭＭＥ  １６２は、ＷＴＲＵ  １０２ａ、１０２ｂ、１０２ｃのユーザの認証、ベアラアクティブ化／非アクティブ化、ＷＴＲＵ  １０２ａ、１０２ｂ、１０２ｃの初期アタッチ中の特定のサービングゲートウェイの選択、および／または類似物の責任を負うことができる。ＭＭＥ  １６２は、ＲＡＮ  １０４と、ＧＳＭまたはＷＣＤＭＡなどの他の無線技術を使用する他のＲＡＮ（図示せず）との間で切り替える制御プレーン機能を提供することもできる。
【００４３】
サービングゲートウェイ１６４は、Ｓ１インターフェースを介してＲＡＮ  １０４内のｅＮｏｄｅ−Ｂ  １６０ａ、１６０ｂ、１６０ｃのそれぞれに接続され得る。サービングゲートウェイ１６４は、一般に、ＷＴＲＵ  １０２ａ、１０２ｂ、１０２ｃへ／からユーザデータパケットをルーティングし、転送することができる。サービングゲートウェイ１６４は、ｅＮｏｄｅ  Ｂ間ハンドオーバ中のユーザプレーンのアンカリング、ダウンリンクデータがＷＴＲＵ  １０２ａ、１０２ｂ、１０２ｃのために使用可能であるときのページングのトリガ、ＷＴＲＵ  １０２ａ、１０２ｂ、１０２ｃのコンテキストの管理および記憶、ならびに／または類似物など、他の機能を実行することもできる。
【００４４】
サービングゲートウェイ１６４は、ＰＤＮゲートウェイ１６６にも接続され得、ＰＤＮゲートウェイ１６６は、ＷＴＲＵ  １０２ａ、１０２ｂ、１０２ｃとＩＰ対応デバイスとの間の通信を容易にするために、インターネット１１０などのパケット交換ネットワークへのアクセスをＷＴＲＵ  １０２ａ、１０２ｂ、１０２ｃに提供することができる。
【００４５】
コアネットワーク１０７は、他のネットワークとの通信を容易にすることができる。たとえば、コアネットワーク１０７は、ＷＴＲＵ  １０２ａ、１０２ｂ、１０２ｃと従来の陸線通信デバイスとの間の通信を容易にするために、ＰＳＴＮ  １０８などの回線交換ネットワークへのアクセスをＷＴＲＵ  １０２ａ、１０２ｂ、１０２ｃに提供することができる。たとえば、コアネットワーク１０７は、コアネットワーク１０７とＰＳＴＮ  １０８との間のインターフェースとして働くＩＰゲートウェイ（たとえば、ＩＰマルチメディアサブシステム（ＩＭＳ）サーバ）を含むことができ、またはこれと通信することができる。さらに、コアネットワーク１０７は、他のサービスプロバイダによって所有されかつ／または運営される他の有線またはワイヤレスのネットワークを含むことができるネットワーク１１２へのアクセスをＷＴＲＵ  １０２ａ、１０２ｂ、１０２ｃに提供することができる。
【００４６】
図１Ｅは、一実施形態によるＲＡＮ  １０５およびコアネットワーク１０９のシステム図である。ＲＡＮ  １０５は、エアインターフェース１１７を介してＷＴＲＵ  １０２ａ、１０２ｂ、１０２ｃと通信するためにＩＥＥＥ  ８０２．１６無線技術を使用するアクセスサービスネットワーク（ＡＳＮ）とすることができる。下でさらに議論されるように、ＷＴＲＵ  １０２ａ、１０２ｂ、１０２ｃ、ＲＡＮ  １０５、およびコアネットワーク１０９の異なる機能エンティティの間の通信リンクは、基準点として定義され得る。
【００４７】
図１Ｅに示されているように、ＲＡＮ  １０５は、基地局１８０ａ、１８０ｂ、１８０ｃ、およびＡＳＮゲートウェイ１８２を含むことができるが、ＲＡＮ  １０５が、実施形態と一貫したままでありながら任意の数の基地局およびＡＳＮゲートウェイを含むことができることを了解されたい。基地局１８０ａ、１８０ｂ、１８０ｃは、それぞれ、ＲＡＮ  １０５内の特定のセル（図示せず）に関連付けられ得、それぞれ、エアインターフェース１１７を介してＷＴＲＵ  １０２ａ、１０２ｂ、１０２ｃと通信するための１つまたは複数のトランシーバを含むことができる。一実施形態では、基地局１８０ａ、１８０ｂ、１８０ｃは、ＭＩＭＯ技術を実施することができる。したがって、基地局１８０ａは、たとえば、ＷＴＲＵ  １０２ａにワイヤレス信号を送信し、ＷＴＲＵ  １０２ａからワイヤレス信号を受信するのに複数のアンテナを使用することができる。基地局１８０ａ、１８０ｂ、１８０ｃは、ハンドオフトリガ、トンネル確立、無線リソース管理、トラフィック分類、サービス品質（ＱｏＳ）ポリシ実施、および／または類似物など、モビリティ管理機能を提供することもできる。ＡＳＮゲートウェイ１８２は、トラフィックアグリゲーション点として働くことができ、ページング、加入者プロファイルのキャッシング、コアネットワーク１０９へのルーティング、および／または類似物の責任を負うことができる。
【００４８】
ＷＴＲＵ  １０２ａ、１０２ｂ、１０２ｃとＲＡＮ  １０５との間のエアインターフェース１１７は、ＩＥＥＥ  ８０２．１６仕様を実施するＲ１基準点として定義され得る。さらに、ＷＴＲＵ  １０２ａ、１０２ｂ、１０２ｃのそれぞれは、コアネットワーク１０９との論理インターフェース（図示せず）を確立することができる。ＷＴＲＵ  １０２ａ、１０２ｂ、１０２ｃとコアネットワーク１０９との間の論理インターフェースは、認証、認可、ＩＰホスト構成管理、および／またはモビリティ管理に使用され得るＲ２基準点として定義され得る。
【００４９】
基地局１８０ａ、１８０ｂ、１８０ｃのそれぞれの間の通信リンクは、ＷＴＲＵハンドオーバおよび基地局の間のデータの転送を容易にするプロトコルを含むＲ８基準点として定義され得る。基地局１８０ａ、１８０ｂ、１８０ｃとＡＳＮゲートウェイ１８２との間の通信リンクは、Ｒ６基準点として定義され得る。Ｒ６基準点は、ＷＴＲＵ  １０２ａ、１０２ｂ、１０２ｃのそれぞれに関連付けられたモビリティイベントに基づくモビリティ管理を容易にするプロトコルを含むことができる。
【００５０】
図１Ｅに示されているように、ＲＡＮ  １０５は、コアネットワーク１０９に接続され得る。ＲＡＮ  １０５とコアネットワーク１０９との間の通信リンクは、たとえばデータ転送能力およびモビリティ管理能力を容易にするプロトコルを含むＲ３基準点として定義され得る。コアネットワーク１０９は、モバイルＩＰホームエージェント（ＭＩＰ−ＨＡ）１８４、認証・許可・アカウンティング（ＡＡＡ）サーバ１８６、およびゲートウェイ１８８を含むことができる。前述の要素のそれぞれは、コアネットワーク１０９の一部として図示されているが、これらの要素のうちの任意の１つが、コアネットワークオペレータ以外のエンティティによって所有され、かつ／または運営され得ることを了解されたい。
【００５１】
ＭＩＰ−ＨＡは、ＩＰアドレス管理の責任を負うことができ、ＷＴＲＵ  １０２ａ、１０２ｂ、１０２ｃが異なるＡＳＮおよび／または異なるコアネットワークの間でローミングすることを可能にすることができる。ＭＩＰ−ＨＡ  １８４は、ＷＴＲＵ  １０２ａ、１０２ｂ、１０２ｃとＩＰ対応デバイスとの間の通信を容易にするために、インターネット１１０などのパケット交換ネットワークへのアクセスをＷＴＲＵ  １０２ａ、１０２ｂ、１０２ｃに提供することができる。ＡＡＡサーバ１８６は、ユーザ認証およびユーザサービスのサポートの責任を負うことができる。ゲートウェイ１８８は、他のネットワークとのインターワーキングを容易にすることができる。たとえば、ゲートウェイ１８８は、ＷＴＲＵ  １０２ａ、１０２ｂ、１０２ｃと従来の陸線通信デバイスとの間の通信を容易にするために、ＰＳＴＮ  １０８などの回線交換ネットワークへのアクセスをＷＴＲＵ  １０２ａ、１０２ｂ、１０２ｃに提供することができる。さらに、ゲートウェイ１８８は、他のサービスプロバイダによって所有されかつ／または運営される他の有線またはワイヤレスのネットワークを含むことができるネットワーク１１２へのアクセスをＷＴＲＵ  １０２ａ、１０２ｂ、１０２ｃに提供することができる。
【００５２】
図１Ｅには示されていないが、ＲＡＮ  １０５が、他のＡＳＮに接続され得、コアネットワーク１０９が、他のコアネットワークに接続され得ることを了解されたい。ＲＡＮ  １０５と他のＡＳＮとの間の通信リンクは、ＲＡＮ  １０５と他のＡＳＮとの間のＷＴＲＵ  １０２ａ、１０２ｂ、１０２ｃのモビリティを調整するプロトコルを含むことができるＲ４基準点として定義され得る。コアネットワーク１０９と他のコアネットワークとの間の通信リンクは、ホームコアネットワークと訪問されたコアネットワークとの間のインターワーキングを容易にするプロトコルを含むことができるＲ５基準点として定義され得る。
【００５３】
公共安全（ＰＳ）タイプのアプリケーション（たとえば、ファーストレスポンダの間の）は、１つまたは複数のトークグループを使用する直接プッシュツートーク音声サービスを含むことができる。ＰＳタイプのアプリケーションは、ＬＴＥブロードバンドラジオ、たとえばビデオプッシュまたはビデオダウンロードなどのサービスごとの能力を利用することができる。
【００５４】
展開された後に、Ｄ２Ｄ通信は、ＰＳタイプのアプリケーションおよび商用ユースケースに関して利用可能であり得る。１つの例示的な商用ユースケースは、ネットワークインフラストラクチャによってカバーされない区域内での両方向無線通信のサポートを必要とする公益事業会社のケースとすることができる。Ｄ２Ｄディスカバリ手順などのＤ２Ｄサービスは、商用ユースケースでＬＴＥベースの無線アクセスを使用する近接ベースのサービスおよび／またはトラフィックオフロードを可能にするのに適切なシグナリング機構を含むように定義され得る。
【００５５】
商用ユースケースの例は、ウェアラブルユースケース、モノのインターネット（ＩｏＴ）ユースケース、および／またはマシンタイプ通信（ＭＴＣ）ユースケースを含むことができる。たとえば、ユーザは、１つまたは複数のウェアラブルデバイス（たとえば、腕時計、眼鏡など）のトラフィックのモバイル中継器としてハンドヘルドデバイス（たとえば、スマートフォン）を使用することができる。ウェアラブルデバイスは、モバイル中継器デバイスへの相対的に近い近接にあるものとすることができる。ウェアラブルデバイスは、エネルギ効率のよい形でネットワークおよび／または他のデバイスと通信するように構成され得る。ウェアラブルデバイスは、ＷＴＲＵなどのハンドヘルドデバイスを介して通信することができる。ハンドヘルドデバイス／ＷＴＲＵは、単一方向モバイル中継器および／または両方向モバイル中継器として働くことができる。たとえば、ＷＴＲＵが、単一方向モバイル中継器として働いている場合に、ウェアラブルデバイスは、ｅＮＢおよび／または他のモバイルネットワークノードから直接ダウンリンク通信を受信することができる。ウェアラブルデバイスは、単一方向モバイル中継器／ＷＴＲＵを介してアップリンクを送信することができる。アップリンクでモバイル中継器を介して通信することによって、送信の電力が節約され得る。というのは、モバイル中継器が、モバイルネットワークノードよりウェアラブルデバイスに対してより近い近接にある可能性が高いからである。ウェアラブルデバイスは、ｅＮＢカバレージのエッジでモバイル中継器を介してネットワークと通信することができる。ウェアラブルデバイスは、モバイル中継器のラジオと同一の感度を有するように設計されても、されなくてもよいラジオを備えることができる。
【００５６】
シグナリング機構は、モバイル中継器が複数のウェアラブルと効率的に通信できるように、複数のリモートＷＴＲＵがモバイル中継器ＷＴＲＵを介して通信することを可能にするのに使用され得る。モバイル中継器ＷＴＲＵは、複数のウェアラブルを管理することができる。ウェアラブルは、他のスマートデバイスと一緒のスマートウォッチとすることができる。たとえば、スマートデバイスは、グーグルグラス、ハンズフリーヘッドセット、ハンドヘルドゲーム機、および／または類似物とすることができる。
【００５７】
ＩｏＴユースケースまたはＭＴＣユースケースの例では、数百万個（またはより多く）のデバイスが、ネットワークに接続され得る。ＩｏＴユースケースまたはＭＴＣユースケースのデバイスの一部またはすべては、相対的に低コストのデバイスおよび／または能力を制限されたデバイスである可能性がある。デバイスは、エネルギ効率のよい形で通信するように構成され得る。デバイスは、ネットワークに同時に接続を試みる可能性があり、これが、輻輳を引きこす可能性がある。モバイル中継器デバイスを介する接続は、ネットワークとの同時接続に関連付けられたいくつかの問題を回避することができる。モバイル中継器デバイスは、モバイル中継器ＷＴＲＵを備えることができる。デバイスの一部またはすべてが、ｅＮＢのカバレージをほとんどまたは全く有しない可能性がある。デバイスの一部またはすべてが、ＷＴＲＵに近接している可能性がある。たとえば、ＷＴＲＵは、たとえばネットワークカバレージを拡大するために、モバイル中継器として働くことができる。
【００５８】
シグナリング機構は、１つまたは複数のリモートＷＴＲＵがモバイル中継器ＷＴＲＵを介して通信することを可能にするのに使用され得る。ＩｏＴユースケースまたはＭＴＣユースケースの例では、リモートＷＴＲＵの数が膨大になると期待され得る。リモートＷＴＲＵは、ネットワークとのデバイスの方向接続が低減され得るように、モバイル中継器に接続され得る。効率的な関連付け／再関連付けが、モバイル中継器へのリモートＷＴＲＵの相対的に等しい分布を実現することを試みるように設計され得る。ＷＴＲＵがモバイル中継器として不必要に構成されることが、回避され得る。ネットワークへおよび／またはモバイル中継器の間での正しいサービス継続性が、維持され得る。
【００５９】
モバイル中継器ＷＴＲＵは、３ＧＰＰ  ＲＡＴおよび／または非３ＧＰＰ  ＲＡＴ（たとえば、ＷｉＦｉ、Ｂｌｕｅｔｏｏｔｈ、および／または類似物）を使用してリモートＷＴＲＵと通信することができる。モバイル中継器ＷＴＲＵとリモートＷＴＲＵとの間のリンクは、ＰＣ５とすることができる。通信は、Ｄ２Ｄを介するものとすることができる。Ｄ２Ｄは、ＰＣ５インターフェースを介するものとすることができる。通信は、車車間（Ｖ２Ｖ）、低コストウェアラブル、および／または類似物をサポートするようにされたＤ２Ｄを介するものとすることができる。狭帯域ＩＯＴ（ＮＢ−ＩＯＴ）波形、ＲＡＴ、および／または類似物が、低コストデバイスまたは低電力デバイスをサポートするのに使用され得る。低コストデバイスまたは低電力デバイスは、非３ＧＰＰ  ＲＡＴを介して通信することができる。ＰＣ５リンクは、ライセンスされたスペクトルまたはライセンスされないスペクトルを介するものとすることができる。
【００６０】
モバイル中継器ＷＴＲＵとｅＮＢとの間のリンクは、Ｕｕとすることができる。リンクは、ＬＴＥ  Ｕｕ  ＲＡＴを備えることができる。リンクは、ＮＢ−ＩｏＴ、ｅＭＴＣ、将来の５Ｇ（ＮＲ）、および／または類似物などの３ＧＰＰ  ＲＡＴを介するものとすることができる。リンクは、ＷｉＦｉなどの非３ＧＰＰ  ＲＡＴを介するものとすることができる。Ｕｕリンクは、ライセンスされたスペクトルまたはライセンスされないスペクトルを介するものとすることができる。
【００６１】
モバイル中継器ＷＴＲＵは、プロトコルスタックのレイヤで機能性を実施することができる。モバイル中継器は、ＭＡＣレイヤ、ＲＬＣレイヤ、またはＰＤＣＰレイヤで実施されたレイヤ２（Ｌ２）中継器とすることができる。モバイル中継器は、ＩＰ中継器またはＩＰ中継器の上位とすることができる。
【００６２】
３ＧＰＰによるＤ２Ｄ通信の標準化は、ＬＴＥ標準規格のＲｅｌｅａｓｅ  １２（Ｒ１２）で完了した。たとえば、Ｒ１２標準化の努力は、ＷＴＲＵとプロキシミティベースのサービス（ＰｒｏＳｅ）のオープンディスカバリ手順との間の直接通信に焦点を合わせた。モバイル中継器のためのＤ２Ｄ通信の使用は、ＷＴＲＵがカバレージ外のＷＴＲＵのモバイル中継器として働くことを可能にするために機能強化するために調査され得る。一例として、２タイプのモバイル中継器すなわち、１）ＷＴＲＵ対ネットワークモバイル中継器および２）ＷＴＲＵ対ＷＴＲＵモバイル中継器を検討されたい。モバイル中継器ＷＴＲＵは、ｅＮＢ（たとえば、および／または任意の他のモバイルネットワークインフラストラクチャノード、他のＲＡＮノードなど）とリモートＷＴＲＵとの間でモバイル中継器として働くように構成されることによって、ＷＴＲＵ対ネットワークモバイル中継器と考えられ得る。リモートＷＴＲＵは、ｅＮＢおよび／または他のネットワークインフラストラクチャのカバレージ外にある場合とそうでない場合とがある。モバイル中継器ＷＴＲＵは、２つ以上のリモートＷＴＲＵの間の通信を容易にするように構成されることによって、ＷＴＲＵ対ＷＴＲＵモバイル中継器と考えられ得る。複数のリモートＷＴＲＵは、それらが互いの範囲／近接の外にあるときに、Ｄ２Ｄで互いに通信することができる。
【００６３】
図２は、例示的なＷＴＲＵ対ネットワークモバイル中継器（たとえば、モバイル中継器）展開を示す。機能は、発展型ユニバーサル地上無線アクセスネットワーク（Ｅ−ＵＴＲＡＮ）およびネットワークによってサービスされないリモートＷＴＲＵの間のユニキャストトラフィック（たとえば、アップリンク（ＵＬ）およびダウンリンク（ＤＬ））のモバイル中継器のサポートを含み、かつ／または両方向トラフィックをサポートすることができる。たとえば、ＷＴＲＵ対ネットワークモバイル中継器２０２（たとえば、モバイル中継器）は、公共安全通信および／または商用通信に関連するいくつかのタイプおよび／またはすべてのタイプのＩＰトラフィックを中継することのできるレイヤ３（Ｌ３）転送機能を提供することができる。ＷＴＲＵ対ネットワークモバイル中継器２０２（たとえば、モバイル中継器）は、ｅＮＢ  ２０４とリモートＷＴＲＵ  ２１０との間の他のタイプの通信を提供することができる。ＷＴＲＵ対ネットワークモバイル中継器２０２は、レイヤ２（Ｌ２）中継転送機能を提供し、ｅＮＢ  ２０４とリモートＷＴＲＵ  ２１０との間の通信のレイヤでパケットを転送することができる。たとえば、ＷＴＲＵ対ネットワークモバイル中継器２０２は、アプリケーションサーバ（ＡＳ）２０８に（たとえば、ＥＰＣ  ２０６を介して）データを送り、かつ／またはこれからデータを受信するためにｅＮＢ  ２０４と通信することができる。データは、リモートＷＴＲＵ  ２１０（たとえば、ネットワークカバレージ外にある可能性がある）に転送され、かつ／またはこれの代わりに通信され得る。ＷＴＲＵ対ネットワークモバイル中継器２０２は、ＰＣ５インターフェースを介してＷＴＲＵ  ２１０（たとえば、リモートＷＴＲＵ）と通信することができる。ＷＴＲＵ対ネットワークモバイル中継器２０２は、Ｕｕインターフェースを介してｅＮＢ  ２０４と通信することができる。ＥＰＣ  ２０６は、ＳＧｉインターフェースを介してＡＳ  ２０８（たとえば、公共安全通信および／または商用通信のためのＡＳ）と通信することができる。図２に示された例は、公共安全通信アプリケーションサーバおよび／または商用通信アプリケーションサーバを含むことができる。
【００６４】
図３は、例示的なＷＴＲＵ対ネットワークモバイル中継器通信交換を示す。たとえば、モバイル中継器ＷＴＲＵ  ３０２は、モバイル中継器ＷＴＲＵ  ３０２がまだネットワークにアタッチしていない場合に、３０４でネットワークにアタッチすることができる。モバイル中継器ＷＴＲＵ  ３０２は、３０４でＰＤＮ接続を確立することができる。パケットデータネットワーク（ＰＤＮ）接続は、リモートＷＴＲＵ  ３１６へ／からのトラフィックの通信に使用され得る。たとえば、モバイル中継器に適当なＰＤＮ接続が、リモートＷＴＲＵ  ３１６のためにまだ存在せず／構成されていない場合がある。ＩＰｖ６に関して、モバイル中継器ＷＴＲＵ  ３０２は、ネットワークからのプレフィックス委任機能（たとえば、３ＧＰＰ技術仕様（ＴＳ）２３．４０１で定義されたもの）を介するなど、ＩＰｖ６プレフィックスを入手することができる。
【００６５】
リモートＷＴＲＵ  ３１６は、３０６で、ディスカバリ手順、たとえばモデルＡディスカバリおよび／またはモデルＢディスカバリを使用して、モバイル中継器ＷＴＲＵ  ３０２のディスカバリを実行することができる。たとえば、モデルＡディスカバリは、アナウンスメントを含むことができ、モデルＢディスカバリは、要請および応答を含むことができる。リモートＷＴＲＵ  ３１６は、３０８で、モバイル中継器３０２を選択し、モバイル中継器３０２との１対１通信のための接続を確立することができる。１対１通信のための接続の確立は、３１４でＳＡ３によって決定されたＥＰＣ関与を伴っても伴わなくてもよい。ＥＰＣ関与は、ＭＭＥ  ３１８またはホームサブスクライバサーバ（ＨＳＳ）３２０を備えることができる。
【００６６】
ＩＰｖ６に関して、ＰＣ５上で、リモートＷＴＲＵ  ３１６は、３１０でＩＰｖ６ステートレスアドレス自動設定を実行することができる。リモートＷＴＲＵ  ３１６は、３１０で、モバイル中継器のレイヤ２  ＩＤを送信先レイヤ２  ＩＤとして使用して、ネットワークにルータ要請（ＲＳ）メッセージを送ることができる。リモートＷＴＲＵ  ３１６は、３１０で、ルータアドバタイズメント（ＲＡ）メッセージ（たとえば、ｉｎｔｅｒｎｅｔ  ｅｎｇｉｎｅｅｒｉｎｇ  ｔａｓｋ  ｆｏｒｃｅ  ｒｅａｓｏｎ  ｆｏｒ  ｃｏｌｌａｂｏｒａｔｉｏｎ（ＩＥＴＦ  ＲＦＣ）４８６２を用いて中で指定されたもの）を要請することができる。ＲＡメッセージは、割り当てられたＩＰｖ６プレフィックスを含むことができる。リモートＷＴＲＵ  ３１６がＲＡメッセージを受信した後に、それは、３１０で、ＩＰｖ６ステートレスアドレス自動設定（たとえば、ＩＥＴＦ  ＲＦＣ  ４８６２に従う）を介してフルＩＰｖ６アドレスを構成することができる。
【００６７】
ＩＰｖ４に関して、ＰＣ５上で、リモートＷＴＲＵ  ３１６は、動的ホスト構成プロトコル（ＤＨＣＰ）ｖ４を使用することができる。リモートＷＴＲＵ  ３１６は、３１２で、送信先レイヤ２  ＩＤとしてモバイル中継器のレイヤ２  ＩＤを使用してＤＨＣＰｖ４ディスカバリメッセージを送ることができる。モバイル中継器ＷＴＲＵ  ３０２は、３１２で、ＤＨＣＰｖ４サーバとして働き、割り当てられたリモートＷＴＲＵ  ＩＰｖ４ドレスを伴うＤＨＣＰｖ４オファーを送ることができる。リモートＷＴＲＵ  ３１６がリースオファー（lease offer）を受信するときに、それは、３１２で、受信されたＩＰｖ４アドレスを含むＤＨＣＰ  ＲＥＱＵＥＳＴメッセージを送ることができる。ＤＨＣＰｖ４サーバとして働くモバイル中継器ＷＴＲＵ  ３０２は、リース持続時間（たとえば、クライアントが要求した可能性がある構成情報）を含むＤＨＣＰ  ＡＣＫメッセージをリモートＷＴＲＵ  ３１６に送ることができる。３１２でＤＨＣＰ  ＡＣＫメッセージを受信する際に、リモートＷＴＲＵ  ３１６は、ＴＣＰ／ＩＰ構成プロセスを完了することができる。
【００６８】
図４は、例示的なＷＴＲＵ対ネットワークモバイル中継器手順を示す。この手順は、一時モバイルグループ識別（ＴＭＧＩ）の可用性を監視し始めるようにモバイル中継器４０２に要求するためにＰｒｏＳｅ対応ＷＴＲＵ（たとえば、リモートＷＴＲＵ  ４２０）によって使用され得る。モバイル中継器４０２は、たとえばそれがサービングセル（たとえば、ネットワーク４２２のセル）のマルチキャスト制御チャネル（ＭＣＣＨ）上で検出されるときに、ブロードキャストチャネル上でＴＭＧＩをブロードキャストすることができる。このＴＭＧＩに関係するｅＭＢＭＳトラフィックは、使用可能である場合に、１対多リンク（たとえば、この手順が実行されるときにＰｒｏＳｅモバイル中継器４０２によって供給される特定のレイヤ２グループＩＤによって識別される）を介してモバイル中継器４０２によってサービスされるリモートＷＴＲＵ  ４２０にも転送され得る。
【００６９】
リモートＷＴＲＵ  ４２０が、モバイル中継器４０２を成功裡に発見し、グループ通信アプリケーションからＴＭＧＩを入手した（たとえば、モバイル中継器４０２との１対１通信セッションの後に）場合に、ＷＴＲＵは、４０４で、関連するブロードキャスト（たとえば、ｅＭＢＭＳ）コンテンツを受信するのにＴＭＧＩを使用することができる。関連するブロードキャストコンテンツが、使用可能である場合がある（たとえば、ｅＮＢ内で）。ＷＴＲＵは、静的構成によってまたはグループ通信アプリケーションとの相互作用によって、それが関心を持つＴＭＧＩを入手することができる。この相互作用は、ＷＴＲＵがモバイル中継器４０２に結合する前またはその後に発生することができる。
【００７０】
ＷＴＲＵは、４０６で、ＴＭＧＩ監視要求をモバイル中継器４０２に送ることができ、ＴＭＧＩは、ここで入手される値である。モバイル中継器４０２は、４０８で、ＴＭＧＩ監視応答（たとえば、ｌａｙｅｒ  ２  ｇｒｏｕｐ  ＩＤ＿ｔｒａｆｆｉｃ、ＴＭＧＩ＿Ｍｏｎｉｔｏｒｉｎｇ＿Ｒｅｆｒｅｓｈ  Ｔｉｍｅｒ、および／または類似物）を用いてここでの要求の受信を肯定応答することができる。ｌａｙｅｒ  ２  ｇｒｏｕｐ  ＩＤ＿ｔｒａｆｆｉｃは、ここで受信されるＴＭＧＩ値に関係するｅＭＢＭＳコンテンツをリモートＷＴＲＵに転送するのに使用され得る。ＴＭＧＩ＿Ｍｏｎｉｔｏｒｉｎｇ＿Ｒｅｆｒｅｓｈ  Ｔｉｍｅｒは、モバイル中継器４０２内で構成可能とすることができる。ＴＭＧＩ＿Ｍｏｎｉｔｏｒｉｎｇ＿Ｒｅｆｒｅｓｈ  Ｔｉｍｅｒは、４０８でＷＴＲＵに供給され得、その結果、タイマが経過するときに、ＷＴＲＵは、ＴＭＧＩ監視要求手順を実行できるようになる（たとえば、それがまだＴＭＧＩを監視するように構成されている場合に）。４０８で、ＴＭＧＩ＿Ｍｏｎｉｔｏｒｉｎｇ＿Ｒｅｆｒｅｓｈ  Ｔｉｍｅｒがモバイル中継器４０２内で満了するときに、リモートＷＴＲＵ  ４２０がＴＭＧＩ監視要求手順を実行せず、他のＷＴＲＵが、ＴＭＧＩのリフレッシュ手順を実行しない場合には、ＴＭＧＩのＴＭＧＩ＿Ｍｏｎｉｔｏｒｉｎｇ＿Ｒｅｆｒｅｓｈ  Ｔｉｍｅｒがモバイル中継器４０２内で満了するときに、モバイル中継器４０２は、ＴＭＧＩの監視を停止することができ、かつ／または関連するコンテンツの転送を停止することができる。
【００７１】
ＰｒｏＳｅモバイル中継器４０２は、４１０で、それが監視を要求したＴＭＧＩを検出することができる。４１０でのＴＭＧＩの検出時に、モバイル中継器４０２は、４１２で、ブロードキャストチャネルを介してＴＭＧＩアナウンスメントメッセージを送ることによって、ＴＭＧＩの可用性をブロードキャストすることができる。モバイル中継器４０２は、４１２で、ブロードキャストチャネルを介してＴＭＧＩアナウンスメントメッセージを送る（たとえば、構成可能な反復インターバルを伴って反復して）ことによって、ＴＭＧＩの可用性をブロードキャストすることができる。反復インターバルは、ＴＭＧＩ＿Ｍｏｎｉｔｏｒｉｎｇ＿Ｒｅｆｒｅｓｈ  Ｔｉｍｅｒより短いものとすることができる。ＴＭＧＩの値は、モバイル中継器選択の基準判断基準としてモバイル中継器４０２を発見するデバイスによって使用され得る（たとえば、それらが、モバイル中継器４０２がアドバタイズしているＴＭＧＩに関心を持つ場合に）。
【００７２】
ＷＴＲＵは、４１４で、ＴＭＧＩアナウンスメントを検出することができ、ｌａｙｅｒ−２  ｇｒｏｕｐ  ＩＤ＿ｔｒａｆｆｉｃに関連付けられたＰＣ５  １対多リンク上でブロードキャストコンテンツを受信し始めることができ、ユニキャスト配信レグ（unicast distribution leg）が使用される場合にユニキャスト配信レグを解放することができる。ＴＭＧＩの消失の検出時に、モバイル中継器４０２は、４１６で、ＴＭＧＩの可用性のブロードキャストを停止することができる。ＰｒｏＳｅモバイル中継器４０２は、ＷＴＲＵでのＴＭＧＩ消失の検出を加速するために、ＴＭＧＩの消失の積極的な表示を送ることができる。ＷＴＲＵは、４１６で、グループ通信ＡＳにユニキャスト配信レグを要求することができる。グループ通信は、公共安全通信または商用通信を含むことができる。ＷＴＲＵは、４１８で、ｇｒｏｕｐ  ｌａｙｅｒ−２  ＩＤ＿ｔｒａｆｆｉｃに関連付けられたＰＣ５  １対多シグナリングリンク上でのブロードキャストコンテンツの受信を停止することができる。
【００７３】
図５は、モデルＡによる例示的な公共安全ディスカバリを示す。図５では、タイプは、アナウンスメントとすることができる。ディスカバリタイプは、モバイル中継器ディスカバリとすることができる。アナウンス中のＷＴＲＵ−１  ５０２は、５０４〜５１０の監視中のＷＴＲＵにメッセージを送ることができる。５０２で送られるメッセージは、タイプ、ディスカバリタイプ、ＰＬＭＮ  ＩＤ、接続情報、ＰｒｏＳｅモバイル中継器ＷＴＲＵ  ＩＤ、状況、グループ情報、および／または類似物などの情報を備えることができる。５０４〜５１０の監視中のＷＴＲＵの一部またはすべてが、メッセージ５１２〜５１８を受信することができる。たとえば、ＷＴＲＵ−２  ５０４は、メッセージ１  ５１２を受信することができる。
【００７４】
図６は、モデルＢによる例示的な公共安全ディスカバリを示す。６０２のディスカバラＷＴＲＵ−１は、６０４〜６１０のディスカバリイ（dicoveree）ＷＴＲＵにメッセージを送ることができる。６１２から６１８で送られるメッセージ１〜４は、情報タイプ、ディスカバリタイプ、ＰＬＭＮ  ＩＤ、接続情報、ＰｒｏＳｅモバイル中継器ＷＴＲＵ  ＩＤ、状況、グループ情報、および／または類似物を備えることができる。図６では、タイプは、要請とすることができる。ディスカバリタイプは、モバイル中継器ディスカバリとすることができる。６０４〜６１０のディスカバリイの一部またはすべては、６０２のディスカバラＷＴＲＵ−１にメッセージを送り返すことができる。たとえば、図６では、６０４のディスカバリイおよび６０６のディスカバリイは、６０２のディスカバラにメッセージを送り返すことができる。６２０〜６２２で送られるメッセージ５〜６は、情報タイプ、ディスカバリタイプ、ＰＬＭＮ  ＩＤ、接続情報、ＰｒｏＳｅモバイル中継器ＷＴＲＵ  ＩＤ、状況、グループ情報、および／または類似物を備えることができる。６２０〜６２２で送られるメッセージ５〜６では、タイプは、応答とすることができる。ディスカバリタイプは、モバイル中継器ディスカバリとすることができる。
【００７５】
以下のパラメータは、図６に示された例のＷＴＲＵ対ネットワークモバイル中継器ディスカバリに使用され得る。モバイル中継器ＷＴＲＵ  ＩＤは、リンクレイヤ識別子とすることができる。リンクレイヤ識別子は、直接通信に使用され得る。リンクレイヤ識別子は、モバイル中継器が確立したＰＤＮ接続に関連付けられ得る。パブリックランドモバイルネットワーク（ＰＬＭＮ）ＩＤは、リモートＷＴＲＵが属するリンク上で使用されるどの無線周波数に対してＰＬＭＮを識別することができる。無線周波数は、複数のＰＬＭＮの間で共有され得る。無線周波数は、ＰＬＭＮに割り振られても割り振られなくてもよい。ＰＬＭＮ  ＩＤの選択は、ホームＰＬＭＮ（ＨＰＬＭＮ）によって構成され得る。接続情報は、モバイル中継器が提供する接続を識別するパラメータを備えることができる（たとえば、ＡＰＮ情報を含む）。状況／保守フラグは、モバイル中継器が一時的に接続なしであり、かつ／またはバッテリの残量が少ないかどうかを示すのに使用され得る（たとえば、リモートＷＴＲＵが別のモバイル中継器を探し／再選択できるように）。グループ情報は、モバイル中継器が中継しているグループに関する情報を備えることができる。
【００７６】
複数の複雑化／困難が、モバイル中継器機能（たとえば、ＷＴＲＵ−ネットワークモバイル中継器および／またはＷＴＲＵ−ＷＴＲＵモバイル中継器の一方または両方の）を実現するためのＤ２Ｄ通信の使用に関連付けられる可能性がある。たとえば、リモートＷＴＲＵが、モバイル中継器（たとえば、モバイル中継器ＷＴＲＵ）によってサービスされる場合がある。リモートＷＴＲＵは、モバイル中継器にサービスするｅＮＢに知られていない場合がある。リモートＷＴＲＵは、ｅＮＢからシステム情報を受信できない場合がある。リモートＷＴＲＵは、モバイル中継器ＷＴＲＵおよび／または最適なモバイル中継器ＷＴＲＵ（たとえばデバイスおよび／またはネットワークの展望から）を正しく選択できない場合がある。モバイル中継器ＷＴＲＵは、リモートＷＴＲＵにサービスできる場合がある。たとえば、モバイル中継器ＷＴＲＵの正しい選択は、下位レイヤ信号品質および／またはアプリケーションレイヤサービスに関係する場合がある。モバイル中継器ＷＴＲＵおよび／またはリモートＷＴＲＵが、モバイルである場合がある。リモートＷＴＲＵは、リモートＷＴＲＵが接続されたモバイル中継器ＷＴＲＵがそのモバイル中継器としてサービスできなくなるときに、異なるモバイル中継器ＷＴＲＵを再選択できる場合がある。
【００７７】
モバイル中継器選択／再選択に加えて、Ｄ２Ｄのために開発された現在のリソース割当ルール（たとえば、Ｒ１２の）は、モバイル中継器に不適切および／または準最適である場合がある。たとえば、リモートＷＴＲＵが、カバレージ外にある場合があり、リモートＷＴＲＵが、カバレージ外であるときに直接通信のために事前に構成されたリソースを使用するように構成されている場合がある。直接通信のために事前に構成されたリソースの使用は、複数のリモートＷＴＲＵおよびモバイル中継器ＷＴＲＵが区域（たとえば、カバレージ外の区域）内の同一位置に配置されるときに、事前に構成されたリソースの過度の使用をもたらす可能性がある。
【００７８】
直接Ｄ２Ｄ通信のために定義されたリソース使用ルールは、モバイル中継器シナリオにとって非効率的である場合がある。ｅＮＢは、Ｒ１２ルールが適用されるときに、リモートＷＴＲＵによって使用され得るリソースを制御できない場合がある。たとえば、Ｒ１２ルールは、モバイル中継器を含むシナリオに関してサービス継続性のサポートを欠く場合がある（たとえば、モバイル中継器モビリティおよび／またはモバイル中継器の間のリモートＷＴＲＵモビリティ）。たとえば、リモートＷＴＲＵは、Ｄ２Ｄ通信のリソース利用に影響する可能性があるｅＮＢによってカバーされる区域に入り、および／または出る場合がある。Ｒ１２ルールは、ｅＮＢによってカバーされる区域とｅＮＢによってカバーされない区域との間でのリモートＷＴＲＵの切替がアプリケーションレイヤにとって透過的である形を提供しない。モバイル中継器ＷＴＲＵは、ｅＮＢに関するカバレージを失う場合があり、そのモバイル中継器ＷＴＲＵによってサービスされるリモートＷＴＲＵは、接続の消失時にサービスを維持できる場合とできない場合とがある。
【００７９】
モバイル中継器への接続を試みているＷＴＲＵは、モバイル中継器を選択し、かつ／またはモバイル中継器を選択する命令をネットワークエンティティから受信するために、１つまたは複数の自律的に決定されるアクションを実行することができる。たとえば、リモートＷＴＲＵは、モバイル中継器ＷＴＲＵの選択および再選択の手順を実行するように構成され、これらの選択／再選択手順をサポートするのに使用され得る測定を実行するように構成され得る。リモートＷＴＲＵ、モバイル中継器ＷＴＲＵ、および／またはｅＮＢは、関連付けられたｅＮＢの制御に基づいて、モバイル中継器のイニシエーション（initiation）に関連付けられた手順を実行することができる。モバイル中継器ＷＴＲＵ、リモートＷＴＲＵ、および／またはｅＮＢは、モバイル中継器ＷＴＲＵとリモートＷＴＲＵとの間の通信のリソースを割り当てる手順を実行することができる。モバイル中継器ＷＴＲＵ、リモートＷＴＲＵ、および／またはｅＮＢは、たとえばモバイル中継器の間のリモートＷＴＲＵモビリティ中および／またはｅＮＢの間のモバイル中継器モビリティの間に、サービス継続性を処理する手順を実行することができる。
【００８０】
ＷＴＲＵは、サービス（たとえば、１対１通信、ｅＭＢＭＳなど）に接続するためにモバイル中継器を選択するためにモバイル中継器選択／再選択プロセスを実行することができ、モバイル中継器選択／再選択プロセスを実行するために上側レイヤに供給され得る関連付けられた測定を実行することができる。このプロセスは、ＷＴＲＵがカバレージ外および／またはカバレージ内である場合にあてはまり得る。このプロセスは、ＷＴＲＵがカバレージ内からカバレージ外に推移しつつある場合にあてはまり得る。たとえば、初期モバイル中継器選択は、下位レイヤからの支援情報（たとえば、測定値）を用いてアプリケーションレイヤ内で実行され得る。本明細書で説明される例は、モバイル中継器に接続されたＷＴＲＵおよび／またはモバイル中継器への接続を試みたＷＴＲＵを指すのにリモートＷＴＲＵという用語を使用する場合がある。モバイル中継器が、モバイル中継器ＷＴＲＵと呼ばれる場合がある。
【００８１】
下位レイヤ（たとえば、物理（ＰＨＹ）、媒体アクセス制御（ＭＡＣ）、または無線リソース制御（ＲＲＣ））は、モバイル中継器送信に対して行われた測定を上位レイヤに報告することができる。測定は、サイドリンク同期チャネル（ＳＬ−ＳＣＨ）上の復調基準信号（ＤＭＲＳ）、物理サイドリンクブロードキャストチャネル（ＰＳＢＣＨ）上のＤＭＲＳ、デバイスツーデバイス同期信号（Ｄ２ＤＳＳ）、ディスカバリリソース、および／または類似物のうちの１つまたは複数に対して行われ得る。
【００８２】
リモートＷＴＲＵ内の下位レイヤは、受信されたトランスポートブロックの測定値を報告することができる。たとえば、ＷＴＲＵ内の下位レイヤは、受信されたトランスポートブロックの測定値を報告することができる。ＷＴＲＵ内の下位レイヤは、とられた測定値の一部またはすべてのリストを報告することができる。下位レイヤは、所与の時間期間にわたる複数のトランスポートブロックに対する平均化された測定値報告を報告することができる。測定値は、上側レイヤに周期的に送られ得、または、上側レイヤによって要求されたときに上位レイヤに供給され得る。
【００８３】
上位レイヤに報告される測定値は、チャネル品質測定値（たとえば、基準信号受信電力（ＲＳＲＰ））および／またはモバイル中継器ＩＤのうちの１つまたは複数を含むことができる。モバイル中継器ＩＤは、ＰＳＢＣＨから取り出されたＩＤに対応することができる。モバイル中継器ＩＤは、システムアスペクト（ＳＡ）内で復号されたレイヤ１  ＩＤに対応することができる。モバイル中継器ＩＤは、Ｌ２  ＷＴＲＵ  ＩＤに対応することができる。モバイル中継器ＩＤは、ＭＡＣヘッダ内で復号されたＩＤに対応することができる。たとえば、モバイル中継器ＩＤは、測定値がデータパケットからとられる場合に、ＭＡＣヘッダ内で復号されたＩＤに対応することができる。測定値は、所与のモバイル中継器に対応するモバイル中継器ＩＤへのチャネル品質測定値の関連付けを可能にすることができる。
【００８４】
モバイル中継器は、選択判断基準および他の情報に基づいて選択され得る。モバイル中継器の選択判断基準は、アナウンスされたサービス（たとえば、接続情報）、アナウンスされたＰＬＭＮ  ＩＤ、ＴＭＧＩ、およびモバイル中継器固有情報のうちの１つまたは複数を含むことができる。モバイル中継器選択は、下位レイヤによって供給される測定値および／または測定値に関連付けられた１つまたは複数のしきい値を使用することができる。関連付けられたしきい値は、アプリケーションレイヤ内および／または下位レイヤによって供給され得る。関連付けられたしきい値は、ＲＲＣ構成の一部として供給され得る。図７は、モバイル中継器ＷＴＲＵの選択の例の図である。
【００８５】
リモートＷＴＲＵは、１つまたは複数のモバイル中継器ＷＴＲＵからモデルＡモバイル中継器アナウンスメントおよび／またはモデルＢ応答を受信することができる。たとえば、図７に示されているように、リモートＷＴＲＵ  ７１８は、７０４で、モバイル中継器ＷＴＲＵ１  ７０２からモバイル中継器アナウンスメントを受信する。リモートＷＴＲＵ  ７１８は、７０６で、モバイル中継器ＷＴＲＵ２  ７２０からモバイル中継器アナウンスメントを受信する。７０４および７０６のモバイル中継器アナウンスメントは、モデルＡモバイル中継器アナウンスメントおよび／またはモデルＢ応答とすることができる。モバイル中継器アナウンスメントは、モバイル中継器ＷＴＲＵによって供給されまたはサポートされるサービスの表示を含むことができる。たとえば、モバイル中継器アナウンスメントは、モバイル中継器ＷＴＲＵがリモートＷＴＲＵ  ７１８によって要求された１つまたは複数のサービスをサポートすることの表示を含むことができる。モバイル中継器アナウンスメントは、モバイル中継器ＷＴＲＵにサービスするＰＬＭＮの表示を含むことができる。たとえば、モバイル中継器アナウンスメントは、モバイル中継器ＷＴＲＵが、リモートＷＴＲＵ  ７１８が接続を許可される１つまたは複数のＰＬＭＮに関連付けられていることの表示を含むことができる。
【００８６】
リモートＷＴＲＵに関連付けられたアプリケーションレイヤは、７０８で、リモートＷＴＲＵによって使用されるサービスを含むリソースをフィルタリングすることができる。リモートＷＴＲＵに関連付けられたアプリケーションレイヤは、７０８で、リモートＷＴＲＵがＰＬＭＮ上で許可され得る応答をフィルタリングすることができる。リモートＷＴＲＵは、７０８で、設定されたしきい値に従ってモバイル中継器候補をフィルタリングすることができる。リモートＷＴＲＵは、モバイル中継器アナウンスメントからの測定値を１つまたは複数の設定されたしきい値と比較することができる。リモートＷＴＲＵは、７０８で、測定値および／または品質（たとえば、チャネル品質）に従って、そのチャネル品質が設定されたしきい値を超えるモバイル中継器をランク付けすることができる。ランク付けは、ＷＴＲＵによって使用されるサービスをサポートするモバイル中継器ＷＴＲＵおよび設定されたしきい値を超える信号品質を有するモバイル中継器ＷＴＲＵに基づくものとすることができる。リモートＷＴＲＵ  ７１８は、７０８でモバイル中継器を選択することができる。たとえば、リモートＷＴＲＵは、ある種のサービスをサポートし、ある種の品質判断基準を満足するランク付けされたモバイル中継器を選択することができる。ランク付けされたモバイル中継器は、最高のランク付けを有するモバイル中継器とすることができる。ランク付けは、受信信号強度および／または信号品質に基づくものとすることができる（たとえば、最高の強度および／または最高にランク付けされた信号品質を有する）。リモートＷＴＲＵは、選択されたモバイル中継器への接続確立をイニシエートすることができる。リモートＷＴＲＵは、７１０で、選択されたモバイル中継器に接続要求を送ることができる。選択されたモバイル中継器は、７１２で、ｅＮＢ  ７２２にモバイル中継要求（mobile relay request）を送ることができる。ｅＮＢは、７１４で、選択されたモバイル中継器７０２にモバイル中継受入（mobile relay accept）を送ることができる。選択されたモバイル中継器７０２は、７１６で、リモートＷＴＲＵ  ７１８に接続受入を送ることができる。
【００８７】
接続失敗が発生する場合がある。接続失敗が発生する場合に、リモートＷＴＲＵは、次にランク付けされたモバイル中継器を選択し、接続確立プロセスを試みることができる。モバイル中継器接続の確立の失敗が発生する場合がある。モバイル中継器ＷＴＲＵとのセキュアリンクが、認証および／またはセキュリティ関連付けの失敗に起因して確立され得ないときに、モバイル中継器接続の確立の失敗が発生する可能性がある。モバイル中継器接続の確立の失敗は、ブロードキャストのための有効なＴＭＧＩが成功裡に入手され得ないときに発生する可能性がある。モバイル中継器接続の確立の失敗は、リモートＷＴＲＵがＴＭＧＩのブロードキャストを受信できない場合があるときに発生する可能性がある。たとえば、リモートＷＴＲＵが、認証および／またはパミッションの理由に起因してＴＭＧＩのブロードキャストを受信できない場合がある。モバイル中継器接続の確立の失敗は、ｅＮＢがモバイル中継器とのリモートＷＴＲＵの接続を拒絶する可能性があるときに発生する可能性がある。たとえば、ｅＮＢは、要求されたサービスのリソースをサポートする能力がモバイル中継器にないことに起因して、モバイル中継器とのリモートＷＴＲＵの接続を拒絶する場合がある。ｅＮＢは、他のモバイル中継器の可用性に起因してモバイル中継器とのリモートＷＴＲＵの接続を拒絶する場合がある。ｅＮＢは、接続を拒絶し、リダイレクションメッセージを供給する場合がある。拒絶は、接続がｅＮＢによって拒絶されるときに、ｅＮＢによってモバイル中継器を介してリモートＷＴＲＵに送られ得る。たとえば、Ｕｕ接続が、まずモバイル中継器ＷＴＲＵに拒絶を送るのに使用され得る。モバイル中継器ＷＴＲＵは、拒絶をリモートＷＴＲＵに転送することができる。拒絶は、ｅＮＢによってＵｕインターフェースを介してリモートＷＴＲＵに直接送られ得る。たとえば、拒絶は、リモートＷＴＲＵが潜在的にｅＮＢのカバレージ内にあるときに、ｅＮＢによってＵｕインターフェースを介してリモートＷＴＲＵに直接送られ得る。接続受入は、リモートＷＴＲＵが潜在的にｅＮＢのカバレージ内にあるかｅＮＢによって確認されるときに、ｅＮＢによってＵｕインターフェースを介してリモートＷＴＲＵに直接送られ得る。
【００８８】
リモートＷＴＲＵは、モバイル中継器再選択手順を実行することができる。リモートＷＴＲＵは、自律選択／再選択を実行することができる。自律モバイル中継器再選択を実行するために、リモートＷＴＲＵは、リモートＷＴＲＵが接続されているモバイル中継器ＷＴＲＵの信号品質の評価を周期的に実行することができる。リモートＷＴＲＵは、ある種の条件のうちの１つまたは複数が満足されるときに、再選択手順を開始することができる。リモートＷＴＲＵは、リモートＷＴＲＵが接続されているモバイル中継器ＷＴＲＵの信号品質が設定されたしきい値未満であるときに、再選択手順を開始することができる。たとえば、リモートＷＴＲＵは、ＷＴＲＵがもはやモバイル中継器を検出しなくなるときに、再選択手順を開始することができる。リモートＷＴＲＵが接続されているモバイル中継器ＷＴＲＵの信号品質は、本明細書で説明される測定値のうちの１つまたは複数を使用して決定され得る。
【００８９】
リモートＷＴＲＵは、モデルＡまたはモデルＢのディスカバリメッセージに基づいて、リモートＷＴＲＵが接続されているモバイル中継器ＷＴＲＵの信号品質を測定することができる。たとえば、リモートＷＴＲＵは、モデルＡまたはモデルＢのディスカバリメッセージに基づいて、リモートＷＴＲＵが接続されているモバイル中継器ＷＴＲＵの信号品質を測定することができる。リモートＷＴＲＵは、モデルＢ応答メッセージをトリガすることによって信号品質を測定することができる。リモートＷＴＲＵは、サービングモバイル中継器からのモデルＢ応答メッセージをトリガするために、モデルＢ要請を周期的に送信するように構成され得る。たとえば、リモートＷＴＲＵは、サービングモバイル中継器からのモデルＢ応答メッセージから信号品質の測定値を導出することができる。リモートＷＴＲＵは、モバイル中継器ＷＴＲＵのＳＬ−ＳＣＨまたはＳＬ−ＢＣＨから直接信号品質のその測定値を入手することができる。
【００９０】
リモートＷＴＲＵは、モバイル中継器ＷＴＲＵが、ＷＴＲＵによって使用されかつ／またはＷＴＲＵによって要求されるサービスをアナウンスしていないときに、再選択手順をイニシエートすることができる。リモートＷＴＲＵは、１つまたは複数の他の候補モバイル中継器ＷＴＲＵがリモートＷＴＲＵによって利用されるサービスをアナウンスしているときに、再選択手順を開始することができる。リモートＷＴＲＵは、他の候補モバイル中継器の信号品質の測定値が設定されたしきい値を超えるときに、再選択手順を開始することができる。リモートＷＴＲＵは、他の候補モバイル中継器の信号品質の測定値が、リモートＷＴＲＵが接続されているモバイル中継器ＷＴＲＵの信号品質の測定値よりよいときに、再選択手順を開始することができる。たとえば、リモートＷＴＲＵは、１つまたは複数の候補モバイル中継器の信号品質が現在のモバイル中継器ＷＴＲＵの信号品質の測定値より所与のオフセットだけよい可能性があるときに、再選択を実行することができる。リモートＷＴＲＵは、１つまたは複数の候補モバイル中継器の信号品質が、所与の時間期間の間にモバイル中継器ＷＴＲＵの信号品質の測定値よりよい可能性があるときに、再選択を実行することができる。リモートＷＴＲＵは、１つまたは複数の候補モバイル中継器の信号品質が、所与の時間期間の間にモバイル中継器ＷＴＲＵの信号品質の測定値より所与のオフセットだけよい可能性があるときに、再選択を実行することができる。リモートＷＴＲＵは、モバイル中継器リダイレクションメッセージが受信されるときに、再選択手順を開始することができる。
【００９１】
自律モバイル中継器選択／再選択は、１つまたは複数のアクションを備えることができる。再選択手順を開始するようにリモートＷＴＲＵをトリガする条件のうちの１つまたは複数が満足され、かつ／または他のトリガが満足されるときに、リモートＷＴＲＵは、ある種のアクションのうちの１つまたは複数を実行するように上位レイヤをトリガすることができる。リモートＷＴＲＵは、ディスカバリ監視プロセスが停止されている場合に、ディスカバリ監視プロセスをイニシエートするように上位レイヤをトリガすることができる。ディスカバリ監視プロセスは、モデルＡまたはモデルＢとすることができる。リモートＷＴＲＵは、新しいモデルＢ要請メッセージを送るためにリモートＷＴＲＵをイニシエートするように上位レイヤをトリガすることができる。たとえば、リモートＷＴＲＵは、要求されたサービスをサポートすることのできる他のモバイル中継器を発見するために新しいモデルＢ要請メッセージを送るためにリモートＷＴＲＵをイニシエートするように上位レイヤをトリガすることができる。リモートＷＴＲＵは、検出された潜在的なモバイル中継器ＷＴＲＵに関連付けられた更新された測定値／品質を実行するために下位レイヤをイニシエートするように上位レイヤをトリガすることができる。リモートＷＴＲＵは、潜在的なモバイル中継器ＷＴＲＵに関連付けられた更新された測定値／品質を上位レイヤに送ることができる。たとえば、測定は、本明細書で説明されるチャネルまたは信号のうちの１つまたは複数に対して行われ得る。リモートＷＴＲＵは、所与のモバイル中継器に関する供給された測定値およびアドバタイズされたサービスに基づいてモバイル中継器選択手順を実行するように上位レイヤをトリガすることができる。リモートＷＴＲＵは、下位レイヤが的を絞った測定をサポートする場合に、モデルＢ要請メッセージに最初に応答したモバイル中継器または所与のモバイル中継器のモデルＡメッセージがそれに関して受信されたモバイル中継器の的を絞った測定を実行するように下位レイヤをトリガすることができる。リモートＷＴＲＵは、アプリケーションレイヤを介して的を絞った測定を実行するように下位レイヤをトリガすることができる。モバイル中継器ＷＴＲＵのリストが、下位レイヤに供給され得る。たとえば、モバイル中継器ＷＴＲＵのリストは、Ｌ２  ＩＤのリストとして下位レイヤに供給され得る。下位レイヤは、識別されたＷＴＲＵのうちの１つまたは複数の対応する測定値を返すことができる。
【００９２】
自律モバイル中継器選択／再選択は、様々なさらなるアクションを備えることができる。モバイル中継器ＷＴＲＵの選択または再選択は、成功である場合とそうではない場合とがある。たとえば、モバイル中継器再選択が不成功である場合には、モバイル中継器リダイレクションメッセージが受信され得る。ＷＴＲＵは、モバイル中継器リダイレクションメッセージの受信時に、１つまたは複数のアクションを実行することができる。たとえば、リモートＷＴＲＵは、モバイル中継器リダイレクションメッセージの受信時に、新しいモバイル中継器に移動する前にある種のアクションのうちの１つまたは複数を実行することができる。
【００９３】
たとえば、モバイル中継器リダイレクションアクションの受信時に、リモートＷＴＲＵは、提案されたモバイル中継器がモバイル中継器のランク付けされたリストの一部であることを検証することができる。ＷＴＲＵは、提案されたモバイル中継器が、選択判断基準を満足する（たとえば、ＷＴＲＵによって要求されるサービスをサポートし、かつ／またはしきい値として超えるチャネル品質を有する）ことを検証することができる。たとえば、提案されたモバイル中継器がモバイル中継器のランク付けされたリストの一部ではない場合に、リモートＷＴＲＵは、その現在のモバイル中継器に接続されたままになることができる。提案されたモバイル中継器がモバイル中継器のランク付けされたリストの一部であり、選択判断基準を満足する場合に、リモートＷＴＲＵは、提案されたモバイル中継器へのモバイル中継器選択をイニシエートすることができる。リモートＷＴＲＵは、提案されたモバイル中継器との接続確立手順を実行することができる。
【００９４】
候補モバイル中継器に再選択すると決定するときに、リモートＷＴＲＵは、１つまたは複数のアクションを実行することができる。たとえば、候補モバイル中継器に再選択すると決定するときに、リモートＷＴＲＵは、リモートＷＴＲＵが現在接続されているモバイル中継器との接続を解除（tear down）することができる。候補モバイル中継器に再選択すると決定するときに、リモートＷＴＲＵは、再選択される候補モバイル中継器への接続確立をイニシエートすることができる。
【００９５】
一例では、現在のモバイル中継器への接続を解除するのではなく、候補モバイル中継器に再選択すると決定するときに、リモートＷＴＲＵは、現在のモバイル中継器への接続を保持すると同時に、再選択される候補モバイル中継器との接続確立手順を試みることができる。リモートＷＴＲＵは、再選択された候補モバイル中継器との接続を成功裡に確立し終えたときに、リモートＷＴＲＵが接続されているモバイル中継器への接続を解除することができる。リモートＷＴＲＵが接続しているモバイル中継器への接続は、リモートＷＴＲＵが再選択された候補モバイル中継器からサービスを受け取り始めたことをリモートＷＴＲＵが確かめた後に、解除され得る。たとえば、サービスは、ｅＭＢＭＳを介するものとすることができる。
【００９６】
自律モバイル中継器選択／再選択が、サポートされ得る。再選択は、様々なレイヤによってサポートされ得る。たとえば、再選択は、リモートＷＴＲＵ上側レイヤ（たとえば、アプリケーションレイヤ）によってサポートされ得る。一例として、ＷＴＲＵは、リモートＷＴＲＵが接続されているモバイル中継器の測定を継続的に（たとえば、規則的にまたは相対的に連続的に、セットされたインターバルになど）実行するように構成され得る。たとえば、リモートＷＴＲＵ上側レイヤは、リモートＷＴＲＵが接続しているモバイル中継器の連続測定を構成することができる。上側レイヤは、現在接続されているモバイル中継器および／または測定可能な信号を送信しているモバイル中継器に関連付けられた測定値を送るように下位レイヤに要求することができる。上側レイヤは、モバイル中継器ＩＤによって識別され得る１つまたは複数の他のモバイル中継器を測定するように下位レイヤを構成することができる。リモートＷＴＲＵが、モバイル中継器ＷＴＲＵに成功裡に接続し終えたときに、リモートＷＴＲＵ内の上側レイヤは、モバイル中継器上の下位レイヤによって実行される測定を構成することができる。上側レイヤによって要求されたときに、下位レイヤは、特定のモバイル中継器ＩＤに関するＳＬ−ＳＣＨ上の測定値の収集を停止することができる。たとえば、上側レイヤは、リモートＷＴＲＵがモバイル中継器への接続を終了するときに、モバイル中継器ＩＤに関するＳＬ−ＳＣＨ上の測定値の収集を停止するように下位レイヤに要求することができる。
【００９７】
自律モバイル中継器選択／再選択に関して、リモートＷＴＲＵは、選択されたモバイル中継器のアイデンティティについてｅＮＢに知らせることができる。たとえば、モバイル中継器選択／再選択は、リモートＷＴＲＵがまだｅＮＢのカバレージ内にある間に発生することができる。選択／再選択は、自律的に発生することができる。ＷＴＲＵは、選択されたモバイル中継器のアイデンティティについてｅＮＢに知らせることができる。ＷＴＲＵは、選択されたモバイル中継器に関する関連情報についてｅＮＢに知らせることができる。選択されたモバイル中継器に関する関連情報は、モバイル中継器識別情報（たとえば、モバイル中継器Ｌ２  ＩＤ、ＰＨＹレイヤＩＤ、および／または類似物）、モバイル中継器が接続されるｅＮＢのアイデンティティ、モバイル中継器の測定された信号品質（たとえば、ＰＣ５測定値）、モバイル中継器によってブロードキャストされたアクセスポイント名（ＡＰＮ）または接続情報、および／またはモバイル中継器とｅＮＢとの間のＵｕリンクの信号品質のうちの１つまたは複数を含むことができる。ｅＮＢに知らせることは、Ｕｕを介しておよび／またはモバイル中継器を介して発生し得る。モバイル中継器の再選択は、再選択されたモバイル中継器についてｅＮＢに知らせるためにｅＮＢに示され得る。再選択および再選択されたモバイル中継器の表示は、周期的に発生することができる。再選択および再選択されたモバイル中継器の表示は、選択されたモバイル中継器との測定されたＰＣ５リンク品質が劣化するときに発生することができる。ＷＴＲＵは、モバイル中継器との接続確立時に、再選択および再選択されたモバイル中継器（たとえば、再選択されたモバイル中継器の情報）についてｅＮＢに知らせることができる。
【００９８】
新しいモバイル中継器への再選択は、ｅＮＢによってトリガされ得る。再選択は、測定値、たとえばリモートＷＴＲＵによって報告された測定値に基づいてｅＮＢによってトリガされ得る。ｅＮＢベースのモバイル中継器再選択を容易にするために、モバイル中継器ＷＴＲＵによるリモートＷＴＲＵの測定が、実行され、ｅＮＢに送られ得る。リモートＷＴＲＵは、ＰＣ５リンクの測定を行い、ＰＣ５リンクの測定値をモバイル中継器ＷＴＲＵを介してｅＮＢに送ることができる。リモートＷＴＲＵは、リモートＷＴＲＵとｅＮＢとの間の接続が使用可能である（たとえば、リモートＷＴＲＵがカバレージ内にある）ときに、ＰＣ５リンクの測定を行い、ＰＣ５リンクの測定値をｅＮＢに直接送ることができる。リモートＷＴＲＵは、測定値がｅＮＢに送られることを意図されたものであることをモバイル中継器ＷＴＲＵに示す表示を使用して、測定値がｅＮＢに送られなければならない（たとえば、モバイル中継器ＷＴＲＵを介して）ことをモバイル中継器ＷＴＲＵに示すことができる。たとえば、ｅＮＢのためのものである測定値は、測定値がｅＮＢのために意図されていることを示す専用メッセージを使用してモバイル中継器ＷＴＲＵに送られ得る。モバイル中継器ＷＴＲＵは、モバイル中継器とリモートＷＴＲＵとの間のＰＣ５リンクの測定を行い、モバイル中継器とリモートＷＴＲＵとの間のＰＣ５リンクの測定値をｅＮＢに送ることができる。
【００９９】
ｅＮＢまたはモバイル中継器ＷＴＲＵは、構成をリモートＷＴＲＵに送ることができる。構成は、測定を可能にするためのリモートＷＴＲＵへの表示、測定値を送信するためのリモートＷＴＲＵへの表示、測定値報告がｅＮＢへの送信からトリガされ得るときを決定するためにリモートＷＴＲＵによって使用され得る判断基準、および／または測定され得るモバイル中継器の許容可能なリストを含むことができる。
【０１００】
たとえば、構成は、モバイル中継器ＷＴＲＵによって、モバイル中継器ＷＴＲＵに接続された一部またはすべてのリモートＷＴＲＵにブロードキャストされ得る。本明細書で議論されるブロードキャスト機構が使用され得る。リモートＷＴＲＵの構成は、モバイル中継器ＷＴＲＵの同一のまたは異なる測定構成から導出され得る。モバイル中継器ＷＴＲＵの構成は、ｅＮＢによってＵｕリンクを介してモバイル中継器ＷＴＲＵに送られ得る。たとえば、モバイル中継器ＷＴＲＵの構成は、システム情報ブロック（ＳＩＢ）シグナリングまたはＲＲＣシグナリングを使用して送られ得る。
【０１０１】
構成に基づいて、リモートＷＴＲＵは、リモートＷＴＲＵの通信範囲内でディスカバリメッセージを送信しているモバイル中継器ＷＴＲＵのＰＣ５リンクを介する測定を可能にすることができる。測定され得るモバイル中継器の許容可能なリストは、ｅＮＢによってリモートＷＴＲＵに送られ得る。測定され得るモバイル中継器の許容可能なリストは、構成の一部としてｅＮＢによってリモートＷＴＲＵに送られ得る。リモートＷＴＲＵがそれに再選択することを許可されるモバイル中継器の許容可能なリストは、構成の一部としてｅＮＢによってリモートＷＴＲＵに送られ得る。
【０１０２】
リモートＷＴＲＵは、リモートＷＴＲＵがモバイル中継器ＷＴＲＵを介してｅＮＢに測定値を送ることができることを示す構成を受信することができ、測定値がｅＮＢのためのものであることをモバイル中継器ＷＴＲＵに示す測定値報告内の表示を使用することができる。リモートＷＴＲＵは、測定値のリストをコンパイルし、測定値がｅＮＢのためのものであることの表示を使用して測定値のリストをモバイル中継器ＷＴＲＵに送信することができる。表示および測定値は、１つまたは複数のモバイル中継器ＷＴＲＵのリスト、１つまたは複数のモバイル中継器ＷＴＲＵの信号品質、および／または報告される一部またはすべてのモバイル中継器ＷＴＲＵの品質測定値を含むことができる。表示および測定値は、ＰＣ５を介してＭＡＣ  ＣＥを使用して送られ得る。
【０１０３】
構成は、測定値報告がトリガされ得るときをｅＮＢへの送信から決定するのにリモートＷＴＲＵによって使用され得る判断基準を含むことができる。ＷＴＲＵは、設定された判断基準のうちの１つまたは複数が満足され、ＷＴＲＵ自律再選択の一部として本明細書で説明される判断基準のうちの１つまたは複数が満足されるときに、ｅＮＢへの報告をトリガすることができる。ｅＮＢへの測定値報告をトリガするための例示的な判断基準は、リモートＷＴＲＵが接続されるモバイル中継器の信号品質が所与の時間期間の間にしきい値未満である可能性があることの情報を含むことができる。ｅＮＢへの測定値報告をトリガするための例示的な判断基準は、リモートＷＴＲＵが接続していたモバイル中継器がもはや検出されない可能性があることの情報を含むことができる。ｅＮＢへの測定値報告をトリガするための例示的な判断基準は、異なる候補モバイル中継器ＷＴＲＵが検出される可能性があることの情報を含むことができる。ＷＴＲＵは、設定された判断基準のうちの１つまたは複数が満足され、ＷＴＲＵ自律再選択の一部として本明細書で説明される判断基準のうちの１つまたは複数が満足されるときに、ｅＮＢへの報告をトリガすることができる。
【０１０４】
たとえば、異なる候補モバイル中継器ＷＴＲＵは、候補モバイル中継器ＷＴＲＵが上位レイヤの構成した接続判断基準を満足するときに、検出され得る。リモートＷＴＲＵは、異なる候補モバイル中継器ＷＴＲＵの信号品質が時間期間の間にしきい値を超える可能性があるときに、候補モバイル中継器を選択することができる。リモートＷＴＲＵは、異なる候補モバイル中継器ＷＴＲＵの信号品質が、時間期間の間に、リモートＷＴＲＵが接続していたモバイル中継器よりしきい値だけよい可能性があるときに、候補モバイル中継器を選択することができる。
【０１０５】
モバイル中継器ＷＴＲＵは、Ｕｕインターフェースを介してｅＮＢに測定値を送ることができる。たとえば、モバイル中継器ＷＴＲＵは、ＰＣ５インターフェースを介してリモートＷＴＲＵから測定値パケット（たとえば、ＭＡＣ  ＣＥまたはＲＲＣ様メッセージ）を受信するときに、Ｕｕインターフェースを介してｅＮＢに測定値を送ることができる。この測定値報告は、ＲＲＣシグナリングおよび／またはＭＡＣ  ＣＥを使用して送られ得る。測定値報告は、測定を行うリモートＷＴＲＵの識別を含むことができる。識別は、Ｌ２  ＩＤ、物理レイヤＩＤ、および／または類似物を含むことができる。測定値報告は、測定されたモバイル中継器ＷＴＲＵのリストを含むことができる。測定されたモバイル中継器ＷＴＲＵのリストは、Ｌ２  ＩＤまたは物理レイヤＩＤに関して報告され得る。測定値報告は、モバイル中継器の関連付けられた測定値を含むことができる。測定値報告は、リモートＷＴＲＵが接続しているモバイル中継器の測定品質を含むことができる。測定値報告は、ＷＴＲＵによって要求されるサービスのタイプを含むことができる。
【０１０６】
リモートＷＴＲＵがｅＮＢに報告できるモバイル中継器ＷＴＲＵのリストは、ディスカバリメッセージ内で送られたアプリケーションレイヤ情報のアプリケーションレイヤサービスに基づいてアプリケーションレイヤでフィルタリングされ得る。モバイル中継器は、リモートＷＴＲＵの目的のために働いても働かなくてもよい。モバイル中継器がリモートＷＴＲＵの目的のために働かないときに、リモートＷＴＲＵは、そのモバイル中継器に関する測定値をｅＮＢに送っても送らなくてもよい。モバイル中継器は、サービスを提供してもしなくてもよい。モバイル中継器がサービスを提供しないときに、リモートＷＴＲＵは、そのモバイル中継器に関する測定値をｅＮＢに送っても送らなくてもよい。モバイル中継器は、許可されないＰＬＭＮまたは認可されないＰＬＭＮ上にあってもよい。モバイル中継器が許可されないＰＬＭＮまたは認可されないＰＬＭＮ上にあるときに、リモートＷＴＲＵは、そのモバイル中継器に関する測定値をｅＮＢに送っても送らなくてもよい。ｅＮＢは、リモートＷＴＲＵのために働くことのできるモバイル中継器のリストに基づいて再選択を制御することができる。
【０１０７】
リモートＷＴＲＵは、測定され、ｅＮＢに報告されるモバイル中継器への再選択を実行するコマンドを受信することができる。リモートＷＴＲＵは、モバイル中継器選択／再選択手順のときに、測定され、ｅＮＢに報告されるモバイル中継器への再選択を実行するコマンドを受信することができる。ｅＮＢは、ＲＲＣメッセージを使用してモバイル中継器ＷＴＲＵに情報を送ることができる。モバイル中継器ＷＴＲＵは、ＰＣ５インターフェースを介してリモートＷＴＲＵにＲＲＣメッセージを送ることができる。モバイル中継器ＷＴＲＵからリモートＷＴＲＵに送られるＲＲＣメッセージは、ｅＮＢからモバイル中継器ＷＴＲＵに送られるＲＲＣメッセージに類似するものとすることができる。ＭＡＣ  ＣＥが、再選択コマンドを転送するのに使用され得る。
【０１０８】
候補モバイル中継器の再選択の決定時に、リモートＷＴＲＵは、ある種のアクションのうちの１つまたは複数を実行することができる。候補モバイル中継器の再選択の決定時に、リモートＷＴＲＵは、リモートＷＴＲＵが接続しているモバイル中継器との接続を解除することができる。候補モバイル中継器の再選択の決定時に、リモートＷＴＲＵは、再選択された候補モバイル中継器への接続確立をイニシエートすることができる。候補モバイル中継器の再選択の決定時に、リモートＷＴＲＵは、リモートＷＴＲＵが接続しているモバイル中継器への接続を保持し、再選択された候補モバイル中継器への接続確立を試みることができる。リモートＷＴＲＵは、それが再選択された候補モバイル中継器への接続を成功裡に確立し終えたときに、リモートＷＴＲＵが接続しているモバイル中継器への接続を解除することができる。リモートＷＴＲＵが接続しているモバイル中継器への接続は、リモートＷＴＲＵが再選択された候補モバイル中継器からサービスを受信し始めたことをリモートＷＴＲＵが確かめた後に、解除され得る。たとえば、サービスは、ｅＭＢＭＳとすることができる。
【０１０９】
モバイル中継器の選択／再選択は、自律トリガおよび／またはｅＮＢトリガのうちの１つまたは複数の組合せによってトリガされ得る。リモートＷＴＲＵによって受信された構成が、リモートＷＴＲＵの再選択挙動を制御することができる。リモートＷＴＲＵの挙動は、リモートＷＴＲＵが通信しているモバイル中継器の測定された信号強度に依存するものとすることができる。再選択がどのように実行されるのかは、リモートＷＴＲＵが通信しているモバイル中継器の測定された信号強度に依存するものとすることができる。これは、リモートＷＴＲＵが、ＰＣ５リンクおよび／またはＵｕリンクの品質が劣化しているときに独力でモバイル中継器再選択を実行する柔軟性を有することを可能にすることができる。リモートＷＴＲＵが、測定値をモバイル中継器に成功裡に送信できる場合とできない場合とがある。リモートＷＴＲＵは、測定値をｅＮＢに成功裡に送信できる場合がある。
【０１１０】
自律トリガおよびｅＮＢトリガの組合せは、Ｕｕリンク品質に関係するある種のルールによって制御され得る。自律トリガおよびｅＮＢトリガの組合せは、ＷＴＲＵがｅＮＢのカバレージ内でモバイル中継器選択／再選択を実行するときに、リモートＷＴＲＵとｅＮＢとの間のリンク状態に関係するある種のルールによって制御され得る。
【０１１１】
ｅＮＢとモバイル中継器ＷＴＲＵとの間のＵｕリンクのある種の品質判断基準が満足される場合に、リモートＷＴＲＵは、モバイル中継器選択／再選択を実行してもしなくてもよい。たとえば、リモートＷＴＲＵは、ｅＮＢカバレージの下にある場合に、選択／再選択を保持しまたは遅延させることができる。リモートＷＴＲＵは、モバイル中継器ＷＴＲＵの選択をｅＮＢから受信するのを待つことができる。Ｕｕリンクの品質判断基準がもはや満足されない場合に、リモートＷＴＲＵは、独力で選択／再選択を自律的にトリガすることができる。Ｕｕリンクの品質判断基準がもはや満足されない場合に、リモートＷＴＲＵは、接続のためにモバイル中継器ＷＴＲＵを自律的に選択することができる。たとえば、Ｕｕリンクの品質が自律選択／再選択に値するのに十分に低いことの決定は、ｅＮＢの測定されたＲＳＲＰに関係付けられ得る。Ｕｕリンクの品質が自律選択／再選択に値するのに十分に低いことの決定は、設定された時間期間の間に設定されたしきい値未満であるＵｕリンク上でＷＴＲＵによって行われた測定に関係付けられ得る。Ｕｕリンクの品質が自律選択／再選択に値するのに十分に低いことの決定は、Ｕｕリンク上のＲＲＣ接続の状態に基づくものとすることができる。たとえば、無線リンク障害（ＲＬＦ）に続くＵｕリンク上のＲＲＣ接続の状態および／または不成功のＲＲＣ接続再確立に続くＵｕリンク上のＲＲＣ接続の状態が、使用され得る。
【０１１２】
たとえば、リモートＷＴＲＵは、構成の一部として２つのしきい値を受信することができる（たとえば、しきい値１＞しきい値２）。リモートＷＴＲＵが接続されるモバイル中継器ＷＴＲＵの測定値が、しきい値１未満であるが、しきい値２を超える場合に、リモートＷＴＲＵは、他のモバイル中継器ＷＴＲＵの測定の実行を開始するようにトリガされ得る。リモートＷＴＲＵは、これらの測定値をｅＮＢに送り始めるようにトリガされ得る。ｅＮＢのトリガする再選択に関して議論される機構が、たとえばリモートＷＴＲＵが接続されるモバイル中継器ＷＴＲＵがしきい値１未満であるがそれでもしきい値２を超える間に、使用され得る。リモートＷＴＲＵが接続されるモバイル中継器ＷＴＲＵの測定値がしきい値２未満である場合に、モバイル中継器ＷＴＲＵは、モバイル中継器再選択手順をイニシエートすることができる。たとえば、モバイル中継器再選択手順は、モバイル中継器信号品質がしきい値２未満に下落することに基づいて、リモートＷＴＲＵ自律再選択に関して説明されたものとすることができる。ＷＴＲＵは、自律再選択を実行することができ、再選択判断基準がトリガされるときに、ＷＴＲＵは、再選択判断についてｅＮＢに通知することができる。
【０１１３】
モバイル中継器を再選択するときに、ＷＴＲＵは、再選択された候補モバイル中継器への接続確立手順を自律的にイニシエートすることができる。一例では、リモートＷＴＲＵは、ｅＮＢからの明示的な表示を待つことができ、たとえば、明示的な表示は、再選択されたモバイル中継器ＷＴＲＵへの接続確立をイニシエートすべきかどうかをリモートＷＴＲＵに知らせることができる。ｅＮＢは、再選択されたモバイル中継器への接続の確立を先を見越して停止することができる。モバイル中継器への再選択のときに、ＷＴＲＵは、リモートＷＴＲＵが接続しているモバイル中継器のアイデンティティを再選択されたモバイル中継器に示すことができる。リモートＷＴＲＵが接続しているモバイル中継器のアイデンティティを再選択されたモバイル中継器に示すことは、確立要求内または新しいＰＣ５メッセージを介して発生することができる。
【０１１４】
ＷＴＲＵ、ｅＮＢ、および／またはこの２つの組合せ内の内部状態または内部条件が、再選択がどのように実行されるのかに影響する可能性がある。たとえば、リモートＷＴＲＵがカバレージ内から開始し、ｅＮＢのカバレージ外に移動する場合に、リモートＷＴＲＵがＲＲＣ＿ＣＯＮＮＥＣＴＥＤであるときに再選択がどのように実行されるのかは、ＷＴＲＵがＲＲＣ＿ＩＤＬＥであるときとは異なる可能性がある。たとえば、ＲＲＣ＿ＣＯＮＮＥＣＴＥＤ状態では、再選択は、ｅＮＢによって制御され得る。ｅＮＢは、ＷＴＲＵがどのモバイル中継器に接続され得るのかに関する判断を行うことを許可され得る。リモートＷＴＲＵは、リモートＷＴＲＵがモバイル中継器に接続されるときに送信リソースを使用することができる。リモートＷＴＲＵは、接続モードで以前にｅＮＢと能動的に送信していた。リモートＷＴＲＵがＲＲＣ＿ＩＤＬＥである場合に、リモートＷＴＲＵは、ＷＴＲＵ自律モバイル中継器選択を実行することができる。リモートＷＴＲＵは、潜在的にｅＮＢからｅＭＢＭＳトラフィックを受信することができる。リモートＷＴＲＵは、モバイル中継器ＷＴＲＵからｅＭＢＭＳを受信すると期待することができる。
【０１１５】
下位レイヤ測定が、選択／再選択手順をサポートするのに使用され得る。上側レイヤは、下位レイヤの測定を構成することができる。上側レイヤは、リモートＷＴＲＵが接続される中継器を含む中継器に対して異なるときにまたは継続的に測定を可能にすることができる。
【０１１６】
Ｒ１２ディスカバリ／通信手順およびＲ１２測定手順に対する機能強化が、リモートＷＴＲＵによって見られるモバイル中継器ＷＴＲＵの測定品質を提供するために導入され得る。リモートＷＴＲＵからのモバイル中継器ＷＴＲＵの品質の表示が、提供され得る。リモートＷＴＲＵからのモバイル中継器ＷＴＲＵの品質の表示が、上位レイヤに提供され得る。
【０１１７】
下位レイヤ（たとえば、ＰＨＹ／ＭＡＣ／ＲＲＣ）の測定構成は、上側レイヤによって行われ得る。上側レイヤは、発信元に由来するトランスポートブロックに関連付けられた測定値を報告するように下位レイヤを構成することができる。トランスポートブロックは、特定の発信元またはモバイル中継器として識別される任意の数の発信元に由来するものとすることができる。１つまたは複数の発信元が、発信元ＷＴＲＵ  ＩＤとして識別され得る。１つまたは複数の発信元が、ＳＬ−ＳＣＨのＭＡＣヘッダ内で見つけられ得る。１つまたは複数の発信元が、ＳＡ内で復号されるレイヤ１  ＩＤ内で見つけられ得る。１つまたは複数の発信元が、ＰＳＢＣＨから取り出されたＩＤ内で見つけられ得る。１つまたは複数の発信元が、メッセージまたは信号を送るために予約されたリソースから受信され得る。
【０１１８】
測定は、異なるときに上側レイヤ（たとえば、上位レイヤ）によって可能にされ得る。測定は、上側レイヤがモデルＢ応答メッセージおよび／またはモデルＡアナウンスメントメッセージを期待しているときの時間期間中に使用可能にされ得る。モデルＢ応答メッセージおよび／またはモデルＡアナウンスメントメッセージは、潜在的なモバイル中継器によって送信され得る。測定は、リモートＷＴＲＵの上側レイヤによって使用不能にされ得る。測定は、いくつかのまたはすべての期待されるディスカバリメッセージが受信されるときに、リモートＷＴＲＵの上側レイヤによって使用不能にされ得る。いくつかのまたはすべての期待されるディスカバリメッセージが、タイマの満了の後に受信される可能性がある。
【０１１９】
測定は、継続的なモバイル中継器ＷＴＲＵの測定を可能にするために継続的に可能にされ得る。測定は、リモートＷＴＲＵが接続しているモバイル中継器上で継続的に可能にされ得る。他のモバイル中継器に対する測定が、開始され、かつ／または停止され得る。測定は、測定の値に基づいて継続的に可能にされ得る。たとえば、リモートＷＴＲＵが接続しているモバイル中継器に対する測定が、特定のしきい値未満になる場合に、上側レイヤは、ランク付けされ測定された他のモバイル中継器に対する測定を可能にすることができる。リモートＷＴＲＵが接続しているモバイル中継器に対する測定が、特定のしきい値未満になる場合に、上側レイヤは、アナウンスメントを送るいくつかのまたはすべてのモバイル中継器に対して測定を実行することができる。しきい値は、リモートＷＴＲＵ内で上側レイヤによってまたはモバイル中継器ＷＴＲＵもしくはｅＮＢによって構成され得る。しきい値は、リモートＷＴＲＵとのセキュアリンクの確立中にモバイル中継器ＷＴＲＵまたはｅＮＢからリモートＷＴＲＵに送られ得る。
【０１２０】
モバイル中継器ＷＴＲＵの測定をサポートするために、ＰＳＢＣＨが、所与のときにモバイル中継器として働くＷＴＲＵによって送信され得る。モバイル中継器ＷＴＲＵの上側レイヤは、モバイル中継器接続がモバイル中継器に対して行われるときに必ずＰＳＢＣＨの送信を可能にし、かつ／またはＷＴＲＵがそれへのモバイル中継器接続をもはや有しないときに必ず使用不能にされ得る。
【０１２１】
リモートＷＴＲＵは、サイドリンクブロードキャストチャネルＳＬ−ＢＣＨ（ｓｉｄｅｌｉｎｋ  ｂｒｏａｄｃａｓｔ  ｃｈａｎｎｅｌ）および／またはサイドリンク共有チャネル（ＳＬ−ＳＣＨ）の測定を実行することができる。
【０１２２】
リモートＷＴＲＵは、ＳＬ−ＳＣＨ上でモバイル中継器ＷＴＲＵによって送信されるＤＭＲＳに対する測定を実行することができる。これは、たとえば、モデルＢディスカバリ応答またはモデルＡモバイル中継器アナウンスメントがリモートＷＴＲＵによってＤ２Ｄ通信を介して（たとえば、ＳＬ−ＳＣＨ上で）送られる場合に行われ得る。
【０１２３】
モバイル中継器ＷＴＲＵの測定値／品質は、ＰＳＢＣＨ内で送信されたＤＭＲＳの、リモートＷＴＲＵによって行われた測定に基づくものとすることができる。測定手順（たとえば、ＳＬ−ＳＣＨの測定）を可能にするために、Ｒ１２  ＰＳＢＣＨは、ペイロード内にＰＳＢＣＨを送信するＷＴＲＵのＬ２  ＷＴＲＵ  ＩＤを含むように機能強化され得る。応答がＤ２Ｄディスカバリを使用して送信されるときのモデルＢ応答またはモデルＡアナウンスメント中の測定を可能にするために、Ｄ２Ｄディスカバリは、ＰＳＢＣＨがＤ２Ｄディスカバリ中に送信されるようにするために機能強化され得る。たとえば、モバイル中継器ＷＴＲＵ内の上側レイヤは、モデルＢ応答を送るのにＤ２Ｄディスカバリを使用してＰＳＢＣＨを送信するように下位レイヤを構成することができる。
【０１２４】
無線アクセスネットワークレベル中継器制御は、中継器ディスカバリ、中継器接続要求、ＴＭＧＩからブロードキャストを受信する要求、および／または類似物を含む様々なステージで中継器を事前選択し、かつ／または中継器をイニシエートする為の動作および手順を備えることができる。
【０１２５】
モバイル中継器動作は、ｅＮＢによって制御され得る。ｅＮＢは、モバイル中継器動作のためにリソース割振りを実行することができる。たとえば、ｅＮＢは、どのリソースがリモートＷＴＲＵと通信するためにモバイル中継器ＷＴＲＵによって使用されなければならないか（たとえば、かつ／またはその逆）を指定することができる。ｅＮＢは、使用可能なリソース、最適化されたリソース、およびＷＴＲＵ対モバイル中継器グループ化に依存してモバイル中継器動作を許可／拒絶することができる。ｅＮＢは、ある種の手順の後に上位レイヤと相互作用することができる。たとえば、モバイル中継器は、要求および／または報告をｅＮＢに送ることができる。
【０１２６】
モバイル中継器動作のＲＡＮ制御を可能にするために、モバイル中継器ＷＴＲＵは、ｅＮＢへの報告および／または要求の送信をイニシエートすることができる。モバイル中継器ＷＴＲＵは、以下のトリガのうちの１つまたは複数に従って要求を送ることができる。トリガは、上位レイヤモバイル中継器ディスカバリ動作の前に発生する事前選択を含むことができる。トリガは、モバイル中継器のモデルＡディスカバリのイニシエーションを含むことができる。トリガは、モバイル中継器が監視モードであるときに、モバイル中継器のモデルＢディスカバリのイニシエーションを含むことができる。トリガは、モバイル中継器が要請メッセージの送信をイニシエートすることを望むときに、モバイル中継器のモデルＢディスカバリのイニシエーションを含むことができる。トリガは、ＷＴＲＵがそれに関して応答メッセージを送ることを許可される要請メッセージの受信（たとえば、モデルＢからの）を含むことができる。要請メッセージは、モデルＢディスカバリからのものとすることができる。トリガは、１対１接続を確立するためのリモートＷＴＲＵによる要求を含むことができる。トリガは、上位レイヤによって決定される接続の成功完了を含むことができる。トリガは、特定のＴＭＧＩのブロードキャストメッセージを受信することのリモートＷＴＲＵによる要求を含むことができる。トリガは、ｅＮＢからの、ＷＴＲＵが要求したＴＭＧＩを監視することが要求されたことのＴＭＧＩの検出を含むことができる。トリガは、サービスのタイプを変更するためのリモートＷＴＲＵによる要求を含むことができる。たとえば、サービスの変更は、同一のモバイル中継器リンクを介して異なるビデオ通話を開始することを含むことができる。サービスの変更は、既存のサービスを破棄することを含むことができる。サービスの変更は、サービスへのリンクを停止することを含むことができる。
【０１２７】
要求／報告は、ある種の情報を含むことができる。要求／報告は、ある種のタイプのディスカバリを含むことができる。ディスカバリのタイプは、モバイル中継器、グループメンバ、または類似物とすることができる。要求／報告は、ディスカバリモデルタイプを含むことができる。ディスカバリモデルタイプは、モデルＡまたはモデルＢとすることができる。ディスカバリのタイプは、モデルＢのある種のステージを含むことができる。モデルＢの状態は、要請メッセージの監視、要請メッセージの送信、受信された要請メッセージおよび要求される応答のトリガ、または類似物を含むことができる。要求／報告は、接続情報を含むことができる。接続情報は、ｅＮＢがサービスをサポートするかどうかをｅＮＢが決定するのを助けるためのものとすることができる。接続情報は、モバイル中継器がモバイル中継器として働くことができるかどうかをｅＮＢが決定するのを助けるためのものとすることができる。要求／報告は、ｅＮＢに関する信号強度を示す測定報告を含むことができる。要求／報告は、リモートＷＴＲＵのＩＤを含むことができる。要求／報告は、モバイル中継器動作をアナウンスするかサービスをアナウンスする検出されたモバイル中継器のＩＤを含むことができる。要求／報告は、ＷＴＲＵによって要求されたＴＭＧＩを含むことができる。要求／報告は、モバイル中継器が監視を要求したことを検出するＴＭＧＩを含むことができる。要求／報告は、選択されたモバイル中継器および／または他のモバイル中継器の測定値を含むことができる。測定は、リモートＷＴＲＵおよび／またはモバイル中継器ＷＴＲＵによって行われ得る。要求／報告は、リモートＷＴＲＵによって必要とされるサービスおよび／またはリソースの表示を含むことができる。
【０１２８】
要求メッセージは、ＭＯＢＩＬＥ  ＲＥＬＡＹ＿ＲＥＱＵＥＳＴ＿ＭＥＳＳＡＧＥとすることができる。要求メッセージがどのステージ内で送られるのかに依存して、ｅＮＢからの応答は、ＷＴＲＵ内の異なる挙動を構成することができる。ＭＯＢＩＬＥ  ＲＥＬＡＹ＿ＲＥＱＵＥＳＴ＿ＭＥＳＳＡＧＥは、ＲＲＣまたはＭＡＣ  ＣＥを介してｅＮＢに送られ得る。ＭＯＢＩＬＥ  ＲＥＬＡＹ＿ＲＥＱＵＥＳＴ＿ＭＥＳＳＡＧＥは、モバイル中継器によって使用されるリソースのｅＮＢによる割当をトリガすることができる。ＭＯＢＩＬＥ  ＲＥＬＡＹ＿ＲＥＱＵＥＳＴ＿ＭＥＳＳＡＧＥは、ｅＮＢによる要求の完全な拒絶をトリガすることができる。
【０１２９】
ＷＴＲＵは、モバイル中継器関連手順の初期化の前および／または後に、モバイル中継器として働き、かつ／またはモバイル中継器関連の動作を拒絶するように構成され得る。モバイル中継器関連手順は、ディスカバリ、接続の確立、ＴＭＧＩ要求、および／または類似物を含むことができる。
【０１３０】
ＷＴＲＵは、モバイル中継器として働くＷＴＲＵの能力、事前ディスカバリ手順によって決定される、ＷＴＲＵがそのために働くことができる可能性があるリモートＷＴＲＵの数、および／またはＷＴＲＵの位置に基づいて、事前選択プロセス中にモバイル中継器として働くように構成され得る。事前選択は、ＷＴＲＵがモバイル中継器としての動作に関する上位レイヤ要求を受信する前に発生することができる。モバイル中継器ＷＴＲＵの事前選択のプロセスは、カバレージ内ＷＴＲＵがインテリジェントな形でモバイル中継器ＷＴＲＵとして働くために選択されるようにするために実行され得る。情報が、モバイル中継器ＷＴＲＵによって通信され得るときに、複数のＷＴＲＵが同一の情報をモバイル通信することは、事前選択プロセスを実行することによって回避され得る。モバイル中継器ＷＴＲＵの事前選択は、ｅＮＢおよび／またはネットワークによって実行され得る。モバイル中継器ＷＴＲＵの事前選択は、協調して働くｅＮＢおよびネットワークによって実行され得る。ネットワーク、アプリケーション／機能、またはネットワーク、アプリケーション／機能の組合せが、事前選択で用いられ得る（たとえば、ｅＮＢによって）。
【０１３１】
ｅＮＢは、ＷＴＲＵの能力に基づいてモバイル中継器として働くようにＷＴＲＵを構成することができる。ＷＴＲＵは、ｅＮＢに登録し、その能力をｅＮＢおよび／またはネットワークに供給することができる。ＷＴＲＵは、それがモバイル中継器として動作できるかどうかに関する情報を供給することができる。ＷＴＲＵは、そのモバイル中継器プロパティに関する情報を供給することができる。たとえば、モバイル中継器プロパティは、ＷＴＲＵが１つまたは複数の別々のラジオ、別々の動作周波数／帯域、および／または類似物を使用して動作できるかどうかを含むことができる。
【０１３２】
モバイル中継器の事前選択は、モバイル中継器の位置に基づいて行われ得る。ｅＮＢは、モバイル中継器として動作するようにＷＴＲＵを構成し、ＷＴＲＵの位置および／またはモバイル中継器として働くＷＴＲＵの能力に基づいて、それがモバイル中継器ディスカバリに参加することを可能にすることができる。図８は、位置に基づく例示的な事前選択を示す。ＷＴＲＵは、８０２で、ｅＮＢに接続し、かつ／またはそのモバイル中継器能力情報をｅＮＢに送ることができる。能力情報は、ＷＴＲＵがその上で動作できる周波数を含むことができる。能力情報は、別々のラジオを用いて動作する能力を含むことができる。能力情報は、サポートをリリースする能力を含むことができる。たとえば、サポートをリリースする能力は、ＷＴＲＵがモバイル中継器動作をサポートするかどうかを含むことができる。ｅＮＢは、８０４で、ＷＴＲＵの位置を決定することができる。ｅＮＢは、チャネル品質測定値を使用することができる。ｅＮＢは、ローカライゼーションのための特定の機能を使用することができる。ローカライゼーションのための特定の機能は、上位レイヤから入手され得る。
【０１３３】
ｅＮＢは、８０６で、ＷＴＲＵがモバイル中継器として機能することを可能にするか否かを判断することができる。ｅＮＢは、ｅＮＢに対するＷＴＲＵの位置のｅＮＢの知識を使用することができる。たとえば、ｅＮＢは、８０６で、ＷＴＲＵがｅＮＢのカバレージエッジに近い場合に、モバイル中継器としてＷＴＲＵを構成すると判断することができる。ｅＮＢのカバレージエッジに近いＷＴＲＵは、ｅＮＢのカバレージエリアの外部にある最大数の潜在的なリモートＷＴＲＵのために働くことができる。ｅＮＢに相対的に近いことがｅＮＢによって知られているＷＴＲＵは、８０６でモバイル中継器としてｅＮＢによって構成されてもされなくてもよい。たとえば、他のオプションが存在する場合に、ｅＮＢに相対的に近いことがｅＮＢによって知られているＷＴＲＵは、モバイル中継器としてｅＮＢによって構成されなくてもよい。他のオプションは、ｅＮＢのカバレージエリアのエッジにあるモバイル中継器ＷＴＲＵを含むことができる。ｅＮＢは、ｅＮＢに相対的に近いことがｅＮＢによって知られているＷＴＲＵを、モバイル中継器を検索しているＷＴＲＵにアドバタイズしてもしなくてもよい。事前選択プロセスは、終了することができる。
【０１３４】
ｅＮＢは、８０８で、モバイル中継器ディスカバリに参加するようにまたはモバイル中継器ディスカバリを使用不能にするようにＷＴＲＵを構成するためにＷＴＲＵにメッセージを送ることができる。ＷＴＲＵが、モバイル中継器として動作することを可能にされる場合に、ｅＮＢは、モバイル中継器にディスカバリリソースまたは通信リソースを割り当てることができる。ｅＮＢは、モバイル中継器Ｄ２Ｄリソースを構成／再構成するためにＲＲＣメッセージを送ることができる。たとえば、ｅＮＢは、要請メッセージをリスンし、かつ／またはモデルＡアナウンスメントメッセージを送るように、モバイル中継器内の上位レイヤを構成することができる。ＷＴＲＵは、モバイル中継器として振る舞うことの肯定の表示を受信することができる。ＷＴＲＵは、それがモバイル中継器要請メッセージを受け入れることができることを上位レイヤに示すことができる。ＷＴＲＵは、８１０で、モデルＡディスカバリアナウンスメントメッセージの送信を開始することができる。ＷＴＲＵは、否定の表示を受信することができる。否定の表示は、ＷＴＲＵがモバイル中継器として働くことができないことを示すことができる。ＷＴＲＵは、上側レイヤへの通知をトリガすることができる。通知は、モデルＡアナウンスメントを送信しないように、またはモデルＢ要請メッセージに応答しないように、上側レイヤに通知することができる。ｅＮＢは、ＷＴＲＵがモバイル中継器として働くことができない場合に、ＷＴＲＵのディスカバリリソースを構成してもしなくてもよい。
【０１３５】
モバイル中継器動作が受け入れられる場合に、ｅＮＢおよび／またはモバイル中継器は、８０８で、モバイル中継器リソースの再構成をイニシエートすることができる。リソースは、８１０でのディスカバリに使用され得る。ディスカバリは、モデルＡディスカバリおよび／またはモデルＢディスカバリを含むことができる。たとえば、モデルＡディスカバリに関して、モバイル中継器ＷＴＲＵは、モバイル中継器ディスカバリに関するディスカバリアナウンスメントを送信することができる。ＷＴＲＵは、中継器ディスカバリ中の中継器イニシエーションの結果および／またはＴＭＧＩからブロードキャストを受信する要求中の中継器イニシエーションの結果に基づいて、追加のモバイル中継器リソースを要求することができる。
【０１３６】
位置に基づく事前選択は、シグナリングを介して実行され得る。ｅＮＢは、モバイル中継器動作のために受入可能な位置をＷＴＲＵに供給するのにシグナリングを使用することができる。シグナリングは、ブロードキャストシグナリングまたは専用のＲＲＣシグナリングを含むことができる。たとえば、ｅＮＢは、ブロードキャストシグナリングを介してモバイル中継器動作のための許容可能な位置をシグナリングすることができる。ＷＴＲＵは、ＷＴＲＵの位置がモバイル中継器動作のための受入可能な位置内にある可能性があるかどうかのそれ自体の決定を実行することができる。ＷＴＲＵは、ＷＴＲＵの位置がｅＮＢの位置要件を満足できるかどうかおよび／またはＷＴＲＵの位置が他の要件を満足できるかどうかのそれ自体の決定を実行することができる。ＷＴＲＵが、ＷＴＲＵの位置がｅＮＢの位置要件および他の要件を満足すると決定する場合に、ＷＴＲＵは、モバイル中継器として動作することができる。ＷＴＲＵは、ディスカバリを実行するために、ｅＮＢによって割り当てられたリソースを利用することができる。ｅＮＢは、専用のシグナリングおよび／またはブロードキャストシグナリングを介してリソースを割当済みである可能性がある。
【０１３７】
モバイル中継器の事前選択は、リモートＷＴＲＵとして働くことのできるＷＴＲＵの事前ディスカバリに基づいて行われ得る。ｅＮＢ／ネットワーク／機能が、どのＷＴＲＵがどの潜在的なリモートＷＴＲＵのモバイル中継器として構成され得るのかを決定するために事前ディスカバリ手順をイニシエートすることができる。事前ディスカバリ手順は、どのＷＴＲＵがお互いに近接しているのかを決定するのにＲ１２  Ｄ２Ｄディスカバリを使用することができる。事前ディスカバリ手順は、どのＷＴＲＵがモバイル中継器動作が可能であるのかを決定するのにＲ１２  Ｄ２Ｄディスカバリを使用することができる。事前ディスカバリ手順は、どのＷＴＲＵが最大数のリモートＷＴＲＵのために働くことができるのかを決定するのにＲ１２  Ｄ２Ｄディスカバリを使用することができる。
【０１３８】
たとえば、ｅＮＢは、事前ディスカバリ手順を実行することができる。ｅＮＢは、事前ディスカバリ手順を周期的に実行することができる。ｅＮＢは、ｅＮＢカバレージ内の潜在的なモバイル中継器ＷＴＲＵを指定するために事前ディスカバリ手順ｅＮＢを使用することができる。ｅＮＢは、複数のＷＴＲＵがすでにモバイル中継器として動作しているときに、この手順をイニシエートすることができる。ｅＮＢは、モバイル中継器ＷＴＲＵにモバイル中継器ＷＴＲＵとしての動作を停止させるために事前ディスカバリ手順ｅＮＢを使用することができる。
【０１３９】
事前ディスカバリ手順は、以下のステップのうちの１つまたは複数を任意の順序で備えることができる。事前ディスカバリ手順では、ｅＮＢは、ネットワークに登録したそのカバレージ内のいくつかのまたはすべてのＤ２Ｄ対応ＷＴＲＵを、事前に構成されたディスカバリリソースプール上でディスカバリメッセージをリスンするように構成することができる。事前ディスカバリ手順では、リモートＷＴＲＵは、モバイル中継器として働くことのできるＤ２Ｄ  ＷＴＲＵを見つけるために、自己イニシエートされたディスカバリメッセージを実行することができる。リモートＷＴＲＵは、それがｅＮＢのカバレージなしで電源をオンにされるときに、自己イニシエートされたディスカバリメッセージを実行することができる。リモートＷＴＲＵは、それがカバレージ外シナリオに移動するときに、自己イニシエートされたディスカバリメッセージを実行することができる。自己イニシエートされたディスカバリメッセージのコードは、ハードコーディングされまたは他の形でＷＴＲＵ内で事前に構成され得る。デフォルト値は、モバイル中継器検索に使用され得る。ディスカバリメッセージは、「モバイル中継器検索」コードを含むことができる。ディスカバリメッセージは、ＷＴＲＵの識別子を含むことができる。ＷＴＲＵの識別子は、どのＷＴＲＵがディスカバリメッセージを送るのかを識別するのに使用され得る。ＷＴＲＵの識別子は、どのＷＴＲＵがモバイル中継器を検索しているのかを識別するのに使用され得る。識別子は、ディスカバリメッセージ内のアプリケーションコードの一部とすることができる。ｅＮＢのカバレージ外のリモートＷＴＲＵは、Ｒ１２で定義されているように、事前に構成されたディスカバリリソースを使用することができる。モバイル中継器によって既にサービスされているカバレージ外ＷＴＲＵは、ディスカバリメッセージを送っても送らなくてもよい。
【０１４０】
事前ディスカバリ手順では、「モバイル中継器検索」のアプリケーションコードと共にディスカバリメッセージを成功裡に受信するいくつかのまたはすべてのＤ２Ｄ  ＷＴＲＵが、ディスカバリメッセージの受信をｅＮＢ／ネットワークに報告することができる。報告は、ＲＲＣメッセージ、ＭＡＣ  ＣＥ、および／またはアプリケーションメッセージを介して実行され得る。報告は、リモートＷＴＲＵのアイデンティティを含むことができる。Ｄ２Ｄ対応ＷＴＲＵは、報告を送る責任を負うものとすることができる。Ｄ２Ｄ対応ＷＴＲＵは、それがある種の時間期間の間に「モバイル中継器検索」のコードと共にそれに関するディスカバリメッセージを受信したいくつかのまたはすべてのＷＴＲＵを含む報告をコンパイルすることができる。
【０１４１】
事前ディスカバリ手順では、ｅＮＢは、そのカバレージ内の様々なＤ２Ｄ対応ＷＴＲＵからいくつかのまたはすべての報告を収集することができる。ｅＮＢは、モバイル中継器として働くためのカバレージ内のＷＴＲＵのセットを指定することができる。ｅＮＢは、報告されたリモートＷＴＲＵに基づいてＷＴＲＵのセットを指定することができる。ｅＮＢは、カバレージ内にあるどのＷＴＲＵがリモートＷＴＲＵを複数回報告したのかに基づいてＷＴＲＵのセットを指定することができる。事前ディスカバリ手順では、ｅＮＢは、ＷＴＲＵまたはＷＴＲＵのセットがＷＴＲＵ−ネットワークモバイル中継器として構成され得ることをコアネットワークに示すことができる。事前ディスカバリ手順では、選択されたカバレージＷＴＲＵが、モバイル中継器として構成され得る。選択されたモバイル中継器ＷＴＲＵは、モバイル中継器ディスカバリ動作を実行することができる。モバイル中継器ディスカバリ動作は、モデルＡおよび／またはモデルＢに基づくものとすることができる。
【０１４２】
ＷＴＲＵは、モバイル中継器関連手順の初期化の後に、モバイル中継器として働くように構成され、かつ／またはモバイル中継器関連動作を拒絶することができる。モバイル中継器イニシエーションは、様々なステージで発生することができる。モバイル中継器イニシエーションは、モバイル中継器ディスカバリ中に発生することができる。ｅＮＢおよびＷＴＲＵが、モバイル中継器動作をサポートする場合に、ＷＴＲＵに関連付けられた上位レイヤは、モバイル中継器関連手順をイニシエートすることができる。ＷＴＲＵは、ｅＮＢへの報告または要求をトリガすることができる。モバイル中継器関連手順は、モデルＡ、モデルＢ、モバイル中継器アナウンスメント、ＷＴＲＵからモバイル中継器への確立成功、ＴＭＧＩ要求、および／または類似物を含むことができる。
【０１４３】
ＷＴＲＵは、モデルＡディスカバリ手順がＷＴＲＵ内で上位レイヤによってトリガされるときに、ｅＮＢへの報告をトリガすることができる。ＷＴＲＵは、モデルＢ要請要求が受信され、モバイル中継器ＷＴＲＵが応答を送ることができるときに、ｅＮＢへの報告をトリガすることができる。応答は、上位レイヤに従って送られ得る。
【０１４４】
ある種の情報が、ｅＮＢに供給され得る。報告は、情報を含むことができる。情報は、ディスカバリタイプを含むことができる。ディスカバリタイプは、モバイル中継器ディスカバリ（たとえば、ＷＴＲＵ対ネットワークディスカバリ）、グループメンバディスカバリ、またはＷＴＲＵ対ＷＴＲＵモバイル中継器ディスカバリを含むことができる。情報は、メッセージのタイプを含むことができる。メッセージのタイプは、アナウンスメント、要請、および／または応答を含むことができる。情報は、接続情報を含むことができる。接続情報は、モバイル中継器ＷＴＲＵがアナウンスするつもりであるものを含むことができる。接続情報は、モバイル中継器ＷＴＲＵが応答メッセージ内で送るつもりであるものを含むことができる。情報は、ディスカバリがモデルＢ応答タイプである場合に、要請メッセージ内の受信されたＷＴＲＵ  ＩＤおよび／または受信されたＷＴＲＵ  ＩＤのグループを含むことができる。情報は、ｅＮＢに報告を送っているＷＴＲＵのＷＴＲＵ  ＩＤまたはモバイル中継器ＩＤを含むことができる。情報は、メッセージを送っているＷＴＲＵのチャネル品質測定値またはメッセージを送っているＷＴＲＵの位置情報を含むことができる。チャネル品質測定値は、ｅＮＢに関するもの、検出されたモバイル中継器ＷＴＲＵに関するもの、および／またはリモートＷＴＲＵに関するものとすることができる。
【０１４５】
ｅＮＢは、ある種のアクションを行うことができる。ｅＮＢは、要求（たとえば、モバイル中継器ＷＴＲＵに関する要求）を受信することができる。ｅＮＢは、要求されたサービスのために潜在的な候補モバイル中継器ＷＴＲＵにリソースを割り振るべきかどうかを決定することができる。ｅＮＢは、モバイル中継器としてのＷＴＲＵの動作を許可すべきかどうかを決定することができる。モバイル中継器としてのＷＴＲＵの動作を許可するために、ｅＮＢは、ディスカバリメッセージ、アナウンスメント、および／またはＷＴＲＵ応答の送信のイニシエーションを可能にすることができる。
【０１４６】
ｅＮＢは、ＷＴＲＵによって送られた報告に基づいて、潜在的な候補ＷＴＲＵのモバイル中継器動作を許可すべきかどうかを決定することができる。ｅＮＢは、ある種の情報に基づいて、潜在的な候補ＷＴＲＵのモバイル中継器動作を許可すべきかどうかを決定することができる。ｅＮＢは、報告されたリモートＷＴＲＵおよび／もしくは要請要求ならびに／または報告されたリモートＷＴＲＵからのモバイル中継器確立を示すモバイル中継器ＷＴＲＵの数に基づいて、潜在的な候補ＷＴＲＵのモバイル中継器動作を許可すべきかどうかを決定することができる。ｅＮＢは、リモートＷＴＲＵまたはモバイル中継器ＷＴＲＵによって要求されたサービスのタイプをネットワークがサポートする場合に、そのサービスに基づいて、潜在的な候補ＷＴＲＵのモバイル中継器動作を許可すべきかどうかを決定することができる。ｅＮＢは、ｅＮＢに関するＷＴＲＵの位置に基づいて、潜在的な候補ＷＴＲＵのモバイル中継器動作を許可すべきかどうかを決定することができる。ｅＮＢに関するＷＴＲＵの位置は、受信された測定値に基づいて決定され得る。ｅＮＢは、モバイル中継器になることを要求している潜在的な候補モバイル中継器ＷＴＲＵの付近で検出された候補モバイル中継器ＷＴＲＵに基づいて、潜在的な候補ＷＴＲＵのモバイル中継器動作を許可すべきかどうかを決定することができる。ＷＴＲＵによって送られた報告および情報に基づいて、ｅＮＢは、モバイル中継器動作を許可すべきかどうかを決定することができ、リソースがまだＷＴＲＵ内で使用可能ではない場合に、リソースを割り振ることによって潜在的な候補ＷＴＲＵに応答することができる。ｅＮＢは、モバイル中継器動作が許可されることを示す明示的なメッセージを送ることができる。
【０１４７】
潜在的な候補モバイル中継器ＷＴＲＵは、ある種のアクションを行うことができる。ＷＴＲＵは、潜在的な候補モバイル中継器ＷＴＲＵが要求されるサービスのリソースを提供するメッセージを受信するときに、上位レイヤメッセージの送信および／またはモバイル中継器リソースの再構成をイニシエートすることができる。ＷＴＲＵは、潜在的な候補モバイル中継器ＷＴＲＵがモバイル中継器動作の明示的な是認を受信するときに、上位レイヤメッセージの送信および／またはモバイル中継器リソースの再構成をイニシエートすることができる。ＷＴＲＵは、モバイル中継器になるための判断基準が満足されたとＷＴＲＵが決定するときに、上位レイヤメッセージの送信および／またはモバイル中継器リソースの再構成をイニシエートすることができる。判断基準は、ｅＮＢによって構成され得る。モバイル中継器動作ディスカバリ送信は、拒絶され得る。モバイル中継器動作ディスカバリ送信が拒絶され得るときに、上位レイヤは、ディスカバリメッセージ送信を停止することができる。
【０１４８】
モバイル中継器イニシエーションは、モバイル中継器接続要求中に発生することができる。モバイル中継器ＷＴＲＵは、リモートＷＴＲＵとの接続が確立されることを要求されたときに、ｅＮＢに報告を送ることができる。モバイル中継器ＷＴＲＵは、リモートＷＴＲＵとの接続が確立されたときに、ｅＮＢに報告を送ることができる。
【０１４９】
モバイル中継器イニシエーションは、モバイル中継器接続要求中に発生することができる。モバイル中継器ＷＴＲＵは、ある種のイベントが発生するときに、ネットワークに報告および／または要求を送るようにトリガされ得る。トリガするイベントは、モバイル中継器ＷＴＲＵがリモートＷＴＲＵとの接続の成功を確立したこととすることができる。上位レイヤは、モバイル中継器ＷＴＲＵがリモートＷＴＲＵとの接続の成功を確立したかどうかを決定することができる。接続の成功は、追加のリモートＷＴＲＵと共に確立され得る。トリガするイベントは、モバイル中継器ＷＴＲＵが追加のリモートＷＴＲＵとの接続の成功を確立したこととすることができる。トリガするイベントは、モバイル中継器ＷＴＲＵが、リモートＷＴＲＵのグループとは異なるグループに属するリモートＷＴＲＵとの接続の成功を確立したこととすることができる。トリガするイベントは、モバイル中継器ＷＴＲＵが、リモートＷＴＲＵによって要求されたサービスとは異なるタイプのサービスを要求する可能性があるリモートＷＴＲＵとの接続の成功を確立したこととすることができる。トリガするイベントは、モバイル中継器ＷＴＲＵが追加のリモートＷＴＲＵから接続確立メッセージを受信することとすることができる。トリガするイベントは、リモートＷＴＲＵが追加のまたは異なるサービスを要求することとすることができる。トリガするイベントは、リモートＷＴＲＵがモバイル中継器ＷＴＲＵから切断することとすることができる。トリガするイベントは、ＴＭＧＩ要求がリモートＷＴＲＵによって一新されず、リモートＷＴＲＵがモバイル中継器のサービスを使用する可能性と使用しない可能性とがあることを示すこととすることができる。
【０１５０】
報告は、リモートＷＴＲＵもしくは潜在的なリモートＷＴＲＵの識別および／またはサービス関連情報を備えることができる。報告は、トリガするイベントが発生するときに送られたものと同一の報告とすることができる。報告内の情報は、リモートＷＴＲＵアイデンティティ（たとえば、ＷＴＲＵ  ＩＤ）、リモートＷＴＲＵが接続されるＷＴＲＵのリスト、および／または接続確立を要求するか接続確立を要求したリモートＷＴＲＵのＷＴＲＵ  ＩＤを含むことができる。報告内の情報は、サービスまたは任意の他のサービス関連情報を含むことができる。サービス情報は、接続情報および／またはグループ情報を含むことができる。サービス関連情報は、接続情報を含むことができる。接続は、使用可能なＴＭＧＩのリストを要求するためのものとすることができる。たとえば、接続は、ブロードキャストサービスへの接続を要求するためのものとすることができる。接続は、１対１通信のためのものとすることができる。１対１通信は、サーバからのファイルダウンロードを含むことができる。報告内の情報は、ｅＮＢに関する測定値を含むことができる。
【０１５１】
ｅＮＢは、接続するための要求および／もしくは報告を受け入れ、もしくは拒絶することができ、かつ／またはｅＮＢは、本明細書で説明されるリダイレクションプロセスをイニシエートすることができる。ｅＮＢは、モバイル中継器通信のためのリソースを提供しない、リモートＷＴＲＵへの接続を拒絶する、またはリダイレクトすると判断することができる。決定は、ｅＮＢが受信した情報に基づくものとすることができる。受信された情報は、提供されるサービス、要求されたＴＭＧＩ、測定値、および／または本明細書で説明される方法を含むことができる。モバイル中継器のイニシエーションは、様々な理由からｅＮＢによって拒絶され得る。たとえば、ｅＮＢは、モバイル中継器接続に使用される通信リソースを提供できない場合がある（たとえば、モバイル中継器ＷＴＲＵがディスカバリリソースを使用して構成され得る可能性がある場合であっても）。リモートＷＴＲＵのサービスを提供することのできるシステム内の他のモバイル中継器が存在する場合がある。
【０１５２】
モバイル中継器ＷＴＲＵは、拒絶を上位レイヤに転送することができる。上位レイヤによる拒絶の受信は、リモートＷＴＲＵとの接続を解除し、かつ／または拒絶する手順をイニシエートするように上位レイヤをトリガすることができる。たとえば、モバイル中継器ＷＴＲＵは、上位レイヤと共に接続確立手順を継続しないことによって、および／または接続確立失敗メッセージをリモートＷＴＲＵに送ることによって、接続を拒絶することができる。本明細書で提供される報告は、モバイル中継器ＷＴＲＵとリモートＷＴＲＵとの間の接続が機能によって十分に是認される前にｅＮＢに送られ得る。たとえば、本明細書で提供される報告は、リモートＷＴＲＵからモバイル中継器ＷＴＲＵへの接続確立手順がイニシエートされるときに、ｅＮＢに送られ得る。上位レイヤに拒絶を転送することは、リモートＷＴＲＵが別の候補モバイル中継器ＷＴＲＵを見つけられるように、リモートＷＴＲＵとモバイル中継器ＷＴＲＵとの間の接続の解除または停止をイニシエートすることができる。
【０１５３】
モバイル中継器イニシエーションは、ＴＭＧＩからブロードキャストを受信する要求中に発生することができる。ｅＮＢは、モバイル中継器からｅＭＢＭＳブロードキャストを受信することを求める、リモートＷＴＲＵに由来する要求を拒絶することができる。ｅＮＢは、様々な理由から、ＴＭＧＩからブロードキャストを受信する要求中に、モバイル中継器のイニシエーションまたはリモートＷＴＲＵからモバイル中継器への接続を拒絶することができる。たとえば、ｅＮＢは、関連付けられたＴＭＧＩのトラフィックをブロードキャストするために十分なリソースをモバイル中継器に供給できる場合とできない場合とがある。ｅＮＢは、リモートＷＴＲＵが、要求されたＴＭＧＩをブロードキャストしている可能性がある別のモバイル中継器に接続できるように、リモートＷＴＲＵ接続へのモバイル中継器のイニシエーションを拒絶することができる。ｅＮＢは、モバイル中継器ＷＴＲＵに割り当てるべきリソースを有する場合と有しない場合とがある。モバイル中継器ＷＴＲＵが、他のリモートＷＴＲＵのモバイル中継器として動作している場合がある。
【０１５４】
ＴＭＧＩからブロードキャストを受信する要求中のｅＮＢによるモバイル中継器接続の潜在的な拒絶は、リモートＷＴＲＵがサービスを入手するために接続することのできる１つまたは複数の代替のモバイル中継器ＷＴＲＵを識別することによって増補され得る。リモートＷＴＲＵがサービスを入手するために接続することのできる１つまたは複数の代替のモバイル中継器ＷＴＲＵの識別は、ｅＮＢが、どのモバイル中継器ＷＴＲＵが特定のＴＭＧＩに関係するブロードキャストサービスを転送できるのかを制御することを可能にすることができる。どのモバイル中継器ＷＴＲＵが特定のＴＭＧＩに関係するブロードキャストサービスを転送できるのかを制御できることは、異なるモバイル中継器ＷＴＲＵが、同一のＴＭＧＩに関連付けられたブロードキャストサービスを異なるリモートＷＴＲＵに送信している可能性があるシナリオを回避することができる。同一のＴＭＧＩに関連付けられたサービスが、モバイル中継器ＷＴＲＵによって異なるリモートＷＴＲＵにブロードキャストされ得る。複数のリモートＷＴＲＵが、同一のモバイル中継器ＷＴＲＵに接続され得る。
【０１５５】
モバイル中継器ＷＴＲＵによって送られるｅＭＢＭＳブロードキャストは、要求の送信を介してｅＮＢによって制御され得る。たとえば、要求は、モバイル中継器ＷＴＲＵからｅＮＢへのＢＲＯＡＤＣＡＳＴ＿ＭＯＢＩＬＥ  ＲＥＬＡＹ＿ＲＥＱＵＥＳＴ＿ＭＥＳＳＡＧＥとすることができる。上側レイヤは、以下のシナリオのうちの１つまたは複数で、ｅＮＢにＢＲＯＡＤＣＡＳＴ＿ＭＯＢＩＬＥ  ＲＥＬＡＹ＿ＲＥＱＵＥＳＴ＿ＭＥＳＳＡＧＥを送るようにモバイル中継器ＷＴＲＵの下位レイヤをトリガすることができる。上側レイヤは、モバイル中継器ＷＴＲＵの上側レイヤが特定のＴＭＧＩを監視する要求をリモートＷＴＲＵから受信するときに、ｅＮＢにＢＲＯＡＤＣＡＳＴ＿ＭＯＢＩＬＥ  ＲＥＬＡＹ＿ＲＥＱＵＥＳＴ＿ＭＥＳＳＡＧＥを送るようにモバイル中継器ＷＴＲＵの下位レイヤをトリガすることができる。上側レイヤは、リモートＷＴＲＵが要求している特定のＴＭＧＩの監視をリモートＷＴＲＵが停止することをモバイル中継器ＷＴＲＵの上側レイヤが検出するときに、ｅＮＢにＢＲＯＡＤＣＡＳＴ＿ＭＯＢＩＬＥ  ＲＥＬＡＹ＿ＲＥＱＵＥＳＴ＿ＭＥＳＳＡＧＥを送るようにモバイル中継器ＷＴＲＵの下位レイヤをトリガすることができる。モバイル中継器ＷＴＲＵの上側レイヤは、リモートＷＴＲＵからモバイル中継器ＷＴＲＵに送られる直接メッセージを受信することができる。直接メッセージは、モバイル中継器ＷＴＲＵの上側レイヤが、リモートＷＴＲＵが要求している特定のＴＭＧＩの監視を停止できることを示すことができる。モバイル中継器ＷＴＲＵの上側レイヤは、ある事前定義の時間期間の後に、リモートＷＴＲＵが同一のＴＭＧＩの再要求を停止することを検出することができる。上側レイヤは、モバイル中継器ＷＴＲＵの上側レイヤが、モバイル中継器ＷＴＲＵによって監視されるＴＭＧＩに対応しないＴＭＧＩを監視する要求をリモートＷＴＲＵから受信するときに、ｅＮＢにＢＲＯＡＤＣＡＳＴ＿ＭＯＢＩＬＥ  ＲＥＬＡＹ＿ＲＥＱＵＥＳＴ＿ＭＥＳＳＡＧＥを送るようにモバイル中継器ＷＴＲＵの下位レイヤをトリガすることができる。たとえばモバイル中継器ＷＴＲＵによって監視されるＴＭＧＩに対応しないＴＭＧＩは、新しいＴＭＧＩを含むことができる。ＴＭＧＩに関連付けられたいくつかのまたはすべてのブロードキャストメッセージは、同一のＤ２Ｄリソースを使用してモバイル中継器によってＰＣ５を介して送られ得る。上側レイヤは、モバイル中継器ＷＴＲＵがＷＴＲＵに関するＴＭＧＩの監視を停止するときに、ｅＮＢにＢＲＯＡＤＣＡＳＴ＿ＭＯＢＩＬＥ  ＲＥＬＡＹ＿ＲＥＱＵＥＳＴ＿ＭＥＳＳＡＧＥを送るようにモバイル中継器ＷＴＲＵの下位レイヤをトリガすることができる。上側レイヤは、モバイル中継器ＷＴＲＵが要求された情報と共にｅＮＢにＢＲＯＡＤＣＡＳＴ＿ＭＯＢＩＬＥ  ＲＥＬＡＹ＿ＲＥＱＵＥＳＴメッセージを周期的に送ることができるときに、ｅＮＢにＢＲＯＡＤＣＡＳＴ＿ＭＯＢＩＬＥ  ＲＥＬＡＹ＿ＲＥＱＵＥＳＴ＿ＭＥＳＳＡＧＥを送るようにモバイル中継器ＷＴＲＵの下位レイヤをトリガすることができる。
【０１５６】
ＢＲＯＡＤＣＡＳＴ＿ＭＯＢＩＬＥ  ＲＥＬＡＹ＿ＲＥＱＵＥＳＴメッセージは、ある種の情報を含むことができる。ＢＲＯＡＤＣＡＳＴ＿ＭＯＢＩＬＥ  ＲＥＬＡＹ＿ＲＥＱＵＥＳＴメッセージは、ＢＲＯＡＤＣＡＳＴ＿ＭＯＢＩＬＥ  ＲＥＬＡＹ＿ＲＥＱＵＥＳＴメッセージを送る原因の表示を含むことができる。例示的な原因は、ＴＭＧＩが監視されることを要求する新しいＷＴＲＵ、もはやＴＭＧＩを監視しないＷＴＲＵ、周期的報告、または類似物を含むことができる。ＢＲＯＡＤＣＡＳＴ＿ＭＯＢＩＬＥ  ＲＥＬＡＹ＿ＲＥＱＵＥＳＴメッセージは、監視され通信されることが要求されるＴＭＧＩを含むことができる。ＢＲＯＡＤＣＡＳＴ＿ＭＯＢＩＬＥ  ＲＥＬＡＹ＿ＲＥＱＵＥＳＴメッセージは、ＴＭＧＩを要求しているリモートＷＴＲＵのＷＴＲＵ  ＩＤおよび／またはＴＭＧＩの受信の要求を停止したリモートＷＴＲＵのＷＴＲＵ  ＩＤを含むことができる。ＷＴＲＵ  ＩＤは、Ｌ２  ＷＴＲＵ  ＩＤ、ＷＴＲＵの物理レイヤＩＤ、または類似物とすることができる。ＢＲＯＡＤＣＡＳＴ＿ＭＯＢＩＬＥ  ＲＥＬＡＹ＿ＲＥＱＵＥＳＴメッセージは、リモートＷＴＲＵがモバイル中継器ＷＴＲＵと共に確立した接続に関連付けられた接続情報を含むことができる。ＢＲＯＡＤＣＡＳＴ＿ＭＯＢＩＬＥ  ＲＥＬＡＹ＿ＲＥＱＵＥＳＴメッセージは、サービスに関係する情報を含むことができる。サービスに関係する情報は、ＰＣ５を介してブロードキャストトラフィックを転送するのに使用され得るリソースの量を識別することができる。ＢＲＯＡＤＣＡＳＴ＿ＭＯＢＩＬＥ  ＲＥＬＡＹ＿ＲＥＱＵＥＳＴメッセージは、ＴＭＧＩ、ＷＴＲＵ  ＩＤ、接続情報、ｅＭＢＭＳブロードキャストに関してモバイル中継器ＩＤをリスンしているリモートＷＴＲＵの追加のサービス情報を含む、本明細書で説明される情報を含むことができる。ＢＲＯＡＤＣＡＳＴ＿ＭＯＢＩＬＥ  ＲＥＬＡＹ＿ＲＥＱＵＥＳＴメッセージは、サービスを提供することのできる、付近で検出された他のモバイル中継器ＷＴＲＵの、リモートＷＴＲＵからの測定値を含むことができる。ＢＲＯＡＤＣＡＳＴ＿ＭＯＢＩＬＥ  ＲＥＬＡＹ＿ＲＥＱＵＥＳＴメッセージは、サービスを提供することのできる、付近で検出された他のモバイル中継器ＷＴＲＵの存在の表示を含むことができる。
【０１５７】
ＢＲＯＡＤＣＡＳＴ＿ＭＯＢＩＬＥ  ＲＥＬＡＹ＿ＲＥＱＵＥＳＴメッセージは、たとえばＭＡＣ  ＣＥまたはＲＲＣメッセージを使用して送られ得る。ＢＲＯＡＤＣＡＳＴ＿ＭＯＢＩＬＥ  ＲＥＬＡＹ＿ＲＥＱＵＥＳＴメッセージは、一例として使用される。本明細書で説明されるメッセージは、ＢＲＯＡＤＣＡＳＴ＿ＭＯＢＩＬＥ  ＲＥＬＡＹ＿ＲＥＱＵＥＳＴメッセージ内に含まれるそのような要求および／または情報を送るのに使用され得る。ＷＴＲＵ情報メッセージが、ＢＲＯＡＤＣＡＳＴ＿ＭＯＢＩＬＥ  ＲＥＬＡＹ＿ＲＥＱＵＥＳＴメッセージ内に含まれるそのような要求および／または情報を送るのに使用され得る。要求および／または情報は、本明細書で説明される情報のうちのより多くのうちの１つとすることができる。
【０１５８】
ｅＮＢは、ＢＲＯＡＤＣＡＳＴ＿ＭＯＢＩＬＥ  ＲＥＬＡＹ＿ＲＥＱＵＥＳＴメッセージに応答しない場合がある。たとえば、ｅＮＢは、周期的なＢＲＯＡＤＣＡＳＴ＿ＭＯＢＩＬＥ  ＲＥＬＡＹ＿ＲＥＱＵＥＳＴメッセージが表示を供給するときに、ＢＲＯＡＤＣＡＳＴ＿ＭＯＢＩＬＥ  ＲＥＬＡＹ＿ＲＥＱＵＥＳＴメッセージに応答しない場合がある。
【０１５９】
ｅＮＢは、様々な形でＢＲＯＡＤＣＡＳＴ＿ＭＯＢＩＬＥ  ＲＥＬＡＹ＿ＲＥＱＵＥＳＴメッセージに応答することができる。ｅＮＢは、モバイル中継器によって要求されたＤ２Ｄリソースを再構成することができる。ｅＮＢは、ＲＲＣメッセージ、ＭＡＣ  ＣＥ、または類似物を介してＢＲＯＡＤＣＡＳＴ＿ＭＯＢＩＬＥ  ＲＥＬＡＹ＿ＲＥＱＵＥＳＴに応答することができる。応答は、モバイル中継器ＷＴＲＵによってその上側レイヤに転送され得る。
【０１６０】
ｅＮＢの応答は、要求の受入を含むことができる。たとえば、ｅＮＢの受入は、リモートＷＴＲＵ内の上側レイヤに、要求に応答させることができる。たとえば、要求が、ＴＭＧＩを監視することをリモートＷＴＲＵが要求することの結果として送られた場合に、受入は、リモートＷＴＲＵ内の上側レイヤに、リモートＷＴＲＵからのＴＭＧＩ監視要求を受け入れさせ、ＴＭＧＩ監視要求に関連付けられた情報を供給させることができる。
【０１６１】
ｅＮＢの応答は、要求の拒絶を含むことができる。たとえば、ｅＮＢは、モバイル中継器ＷＴＲＵの監視する要求またはＴＭＧＩごとのモバイル中継器を拒絶することができる。モバイル中継器ＷＴＲＵは、拒絶を上位レイヤに転送することができる。上位レイヤは、拒絶メッセージをリモートＷＴＲＵに送るようにモバイル中継器ＷＴＲＵをトリガすることができる。拒絶メッセージは、ＴＭＧＩについて中継するモバイルにモバイル中継器ＷＴＲＵの拒絶を示すことができる。リモートＷＴＲＵとモバイル中継器ＷＴＲＵとの間の接続が、壊れる場合がある。切断は、リモートＷＴＲＵによる拒絶メッセージの受信時にイニシエートされ得る。リモートＷＴＲＵは、異なる候補モバイル中継器ＷＴＲＵを見つけることができる。
【０１６２】
ｅＮＢの応答は、要求の拒絶と一緒に、拒絶されたモバイル中継器ＷＴＲＵが提供できるサービスへの接続を提供する１つまたは複数のモバイル中継器ＷＴＲＵの識別（たとえば、モバイル中継器のＬ２  ＩＤ）をモバイル中継器ＷＴＲＵに送ることを含むことができる。識別は、上側レイヤに送られ得る。上側レイヤは、リダイレクションメッセージを供給することができる。リダイレクションメッセージは、様々な形で働くようにリモートＷＴＲＵに促すことができる。いくつかの例では、リダイレクションメッセージは、ある形で働くようにリモートＷＴＲＵに提案することができる。いくつかの例では、リダイレクションメッセージは、ある形で働くことをリモートＷＴＲＵに強制することができる。
【０１６３】
リダイレクションメッセージは、リモートＷＴＲＵが接続しているモバイル中継器との接続を解除するようにリモートＷＴＲＵに促すことができる。リモートＷＴＲＵが接続しているモバイル中継器は、要求されたＴＭＧＩに関連付けられたブロードキャストトラフィックを通信する仕事を課せられないものとすることができる。
【０１６４】
リダイレクションメッセージは、拒絶されたモバイル中継器ＷＴＲＵが提供できるサービスを提供できる候補モバイル中継器を見つけるためにモバイル中継器再選択プロセスをイニシエートするようにリモートＷＴＲＵに促すことができる。
【０１６５】
リダイレクションメッセージは、リダイレクションメッセージ内に含まれ得る候補モバイル中継器ＷＴＲＵとの接続をイニシエートするようにリモートＷＴＲＵに促すことができる。リモートＷＴＲＵは、促しを無視し、またはそれに従って働くことができる。たとえば、リモートＷＴＲＵは、ｅＮＢによって提案される候補モバイル中継器を聞かないものとすることができる。一例、候補モバイル中継器は、リモートＷＴＲＵがモデルＢディスカバリをイニシエートするときにモデルＢディスカバリに応答しなかった可能性がある。リモートＷＴＲＵは、候補モバイル中継器の提案を無視し、リモートＷＴＲＵが接続しているモバイル中継器に影響し続けることができる。
【０１６６】
リモートＷＴＲＵは、候補モバイル中継器ＷＴＲＵとの接続をイニシエートするようにリダイレクションメッセージがリモートＷＴＲＵに促すときに、それに従って働くことができる。リモートＷＴＲＵは、ｅＮＢによって提案された候補モバイル中継器を聞くことができる。一例、候補モバイル中継器は、リモートＷＴＲＵがモデルＢディスカバリをイニシエートするときにモデルＢディスカバリに応答した可能性がある。リモートＷＴＲＵは、リモートＷＴＲＵが接続しているモバイル中継器との接続を解除することができる。リモートＷＴＲＵは、ｅＮＢによって提案された候補モバイル中継器との接続をイニシエートすることができる。リモートＷＴＲＵは、ＴＭＧＩのブロードキャストを要求することができる。候補モバイル中継器が、同一のＴＭＧＩを既にブロードキャストしている可能性があり得る。
【０１６７】
図９は、選択／接続確立の例である。リモートＷＴＲＵ  ９２０およびモバイル中継器ＷＴＲＵ  ９２２は、９０２で、ディスカバリ（たとえば、公共安全ディスカバリまたは商用通信ディスカバリ）に携わることができる。モバイル中継器ＷＴＲＵ  ９２２は、本明細書で説明される判断基準を使用して、ｅＮＢ  ９２４によって以前にイニシエートされた可能性がある。リモートＷＴＲＵ  ９２０は、９０２で、付近の潜在的な候補モバイル中継器の測定を実行することができる。リモートＷＴＲＵ  ９２０は、モバイル中継器ＷＴＲＵ  ９２２によって送信されたディスカバリメッセージ内の信号を使用することができる。リモートＷＴＲＵ  ９２０は、許容可能な測定値を有し、その上側レイヤ情報（たとえば、サービス、ＰＬＭＮ  ＩＤ）がリモートＷＴＲＵ  ９２０のサービス要件を満足するモバイル中継器ＷＴＲＵを選択することができる。リモートＷＴＲＵ  ９２０は、９０４で、モバイル中継器ＷＴＲＵ  ９２２への１対１接続要求を送ることができる。１対１接続要求は、選択されたモバイル中継器および他のモバイル中継器の識別および測定値、要求されるサービス、ならびに／または類似物を含むことができる。リモートＷＴＲＵ  ９２０は、９０４で、モバイル中継器ＷＴＲＵ  ９２２の識別および候補モバイル中継器の識別を送ることができる。リモートＷＴＲＵ  ９２０は、９０４で、サービス要件を送ることができる。リモートＷＴＲＵ  ９２０は、９０４で、リモートＷＴＲＵ  ９２０の要件を満足できるモバイル中継器ＷＴＲＵおよびモバイル中継器ＷＴＲＵの測定された品質のリストを送ることができる。モバイル中継器ＷＴＲＵ  ９２２は、９０６で、モバイル中継要求をｅＮＢ  ９２４に送ることができる。要求は、選択されたモバイル中継器および他のモバイル中継器の識別および測定値、要求されるサービス、ならびに／または類似物を含むことができる。モバイル中継要求は、モバイル中継器ＷＴＲＵ  ９２２の識別および候補モバイル中継器の識別、リモートＷＴＲＵ  ９２０の要件を満足できるモバイル中継器ＷＴＲＵおよびモバイル中継器ＷＴＲＵの測定された品質のリスト、ならびに／またはリモートＷＴＲＵ  ９２０のサービス要件を含むことができる。モバイル中継要求は、モバイル中継器ＷＴＲＵ  ９２２に接続されたＷＴＲＵの数を含むことができる。モバイル中継器ＷＴＲＵ  ９２２は、９０６で、リモートＷＴＲＵ  ９２０によって送られた測定値をｅＮＢ  ９２４に転送することができる。９０８では、ｅＮＢ  ９２４が、９０６で転送された要求に応答することができる。ｅＮＢ  ９２４は、９０８で、要求を受け入れ、要求を拒絶し、かつ／または９０６で提供され、リモートＷＴＲＵ  ９２０によって与えられたモバイル中継器のリストから候補モバイル中継器を提供することができる。ｅＮＢ  ９２４は、９０８で、Ｄ２Ｄリソースを再構成することができる。たとえば、ｅＮＢ  ９２４は、追加のリソースが送信をサポートするために割り振られなければならない場合に、９０８でＤ２Ｄリソースを再構成することができる。９１０で、セキュアリンク確立が発生することができる。リモートＷＴＲＵ  ９２０は、モバイル中継器ＷＴＲＵ  ９２２との接続中に、９１２で、サービスを変更する要求をモバイル中継器ＷＴＲＵ  ９２２に示すことができる。９１２でのサービスの変更は、ネットワークに対して確立される追加のベアラ、追加の／異なるビデオ接続の開始、モバイル中継器ＷＴＲＵ  ９２２または他のモバイル中継器の使用の停止、および／または類似物に基づくものとすることができる。モバイル中継器ＷＴＲＵ  ９２２は、９１４で、リモートＷＴＲＵ  ９２０のサービスの変化を示す異なるモバイル中継要求を送ることができる。９１４での異なるモバイル中継要求は、モバイル中継器ＷＴＲＵ  ９２２の識別、選択され得る候補モバイル中継器の識別、および候補モバイル中継器の識別を含むことができる。９１４での異なるモバイル中継要求は、リモートＷＴＲＵ  ９２０のサービス要求の変更を満足できるモバイル中継器ＷＴＲＵのリストおよびリスト内のモバイル中継器ＷＴＲＵの測定された品質、ならびに／またはリモートＷＴＲＵ  ９２０のサービス要件を含むことができる。モバイル中継要求は、モバイル中継器ＷＴＲＵ  ９２２に接続されるＷＴＲＵの数および／または９１４で選択され得る候補モバイル中継器を含むことができる。９１６では、ｅＮＢ  ９２４が、９１４で送られた要求に応答することができる。ｅＮＢ  ９２４は、要求を受け入れ、要求を拒絶し、または９１４で提供されたモバイル中継器のリストから候補モバイル中継器を提供することができる。ｅＮＢ  ９２４は、９１６でＤ２Ｄリソースを再構成することができる。ｅＮＢ  ９２４による応答は、９１８で、モバイル中継器ＷＴＲＵ  ９２２へのリンクの解除をトリガすることができる。ｅＮＢ  ９２４による応答は、９１８で、ＰＣ５インターフェース上で使用されるリソースの再構成をトリガすることができる。
【０１６８】
リソースは、モバイル中継器ＷＴＲＵおよび／またはＤ２Ｄ通信のために割り振られ、または割り当てられ得る。リソースのスケジューリングを含むリソース割当は、ｅＮＢまたはモバイル中継器によって実行され得る。モバイル中継器ＷＴＲＵへのリソースの割当は、リモートＷＴＲＵに提供され得るサービスの推定を含む様々な要件に基づいて実行され得る。リソースのスケジューリングを含むＤ２Ｄ通信へのリソース割当は、様々な手法によって達成され得る。ある種の手法は、リソースプールを構成するｅＮＢとリソースプールの中のリソースをスケジューリングするＷＴＲＵとを備えることができる。ある種の手法は、リソースプールを構成するｅＮＢと、リソースを分離し、分離されたリソースをリモートＷＴＲＵまたはリモートＷＴＲＵのグループに割り当てるＷＴＲＵとを備えることができる。ある種の手法は、リソースプールの中のリソースを直接スケジューリングするｅＮＢを備えることができる。たとえば、ｅＮＢは、モバイル中継器ＷＴＲＵのためにリソースプールを直接スケジューリングすることができ、ＷＴＲＵは、他のＷＴＲＵのためにリソースプールの中のリソースをスケジューリングすることができる。
【０１６９】
モバイル中継器ＷＴＲＵは、リソースのプールを用いて構成され得る。たとえば、ｅＮＢは、モバイル中継器に使用されるリソースのセットまたはリソースプールを割り振ることができる。リソースのプールは、モバイル中継器の専用とすることができる。専用のモバイル中継器リソースは、モバイル中継器ＷＴＲＵによって使用され得るＤ２Ｄ通信リソースのサブセットとすることができる。専用のモバイル中継器リソースは、モバイル中継器がＤ２Ｄ通信に使用できるリソースとは別々のリソースとすることができる。ｅＮＢは、専用のモバイル中継器ＷＴＲＵリソースを再構成することができる。ＲＲＣ構成メッセージが、専用のモバイル中継器ＷＴＲＵリソースを再構成するのに使用され得る。ｅＮＢがモバイル中継器ＷＴＲＵから更新を受信するときに、ｅＮＢは、専用のモバイル中継器リソースを再構成することができる。更新は、モバイル中継器ＷＴＲＵによって管理されるリモートＷＴＲＵの数の変化に関するものとすることができる。たとえば、リモートＷＴＲＵの数は、モバイル中継器ＷＴＲＵによって管理されるリモートＷＴＲＵへ／からのリモートＷＴＲＵの追加／除去に伴って変化する可能性がある。モバイル中継器ＷＴＲＵに専用のリソースプールは、リモートＷＴＲＵによって要求されるサービスの数が変化するときに動的に変更／再構成され得る。モバイル中継器ＷＴＲＵに専用のリソースプールは、モバイル中継器ＷＴＲＵの推定されたトラフィックが変化するときに動的に変更／再構成され得る。リソースの変更および／または再割振りは、様々な手法を介して実行され得る。
【０１７０】
モバイル中継器ＷＴＲＵのリソース割当は、モバイル中継器ＷＴＲＵによって提供されるサービスを推定することによって達成され得る。モバイル中継器ＷＴＲＵへのリモートＷＴＲＵの接続時に、リモートＷＴＲＵのために働くのに使用され得るリソースの量が、推定され得る。モバイル中継器ＷＴＲＵおよび／またはｅＮＢは、リモートＷＴＲＵのために働くのに使用され得るリソースの量を推定することができる。たとえば、リモートＷＴＲＵは、モバイル中継器ＷＴＲＵがＰＣ５インターフェースを介して異なるリモートＷＴＲＵに既に送信しているｅＭＢＭＳトラフィックの通信を要求することができる。リモートＷＴＲＵによって使用されるリソースの量がリモートＷＴＲＵの要求を満足するために大幅に変更され得ないことの推定が、行われ得る。ｅＮＢが、その推定を行うことができる。
【０１７１】
これらのリソースの推定は、使用されるリソースが所与のサービス要件またはサービス要件のセットに必要な最大値に近い可能性があるという仮定に基づくものとすることができる。たとえば、所与のサービスのリソースの最大量が、所与のサービスが始まるときに使用可能なリソースに追加され得るように、推定を行うことができる。モバイル中継器ＷＴＲＵは、モバイル中継器ＷＴＲＵが追加のリモートＷＴＲＵに接続されるときにリソースの量の増加の表示を送ることができる。モバイル中継器ＷＴＲＵは、追加のリモートＷＴＲＵに関係する追加サービスのセットの表示を送ることができる。リソースの推定は、追加のリモートＷＴＲＵによって使用され得るすべての可能なサービスを考慮に入れることができる。モバイル中継器ＷＴＲＵは、モバイル中継器ＷＴＲＵのリソースプール構成を定義するためにリソースの推定を使用することができる。モバイル中継器ＷＴＲＵは、モバイル中継器ＷＴＲＵがそれのために働くリモートＷＴＲＵの数を考慮に入れることができる。モバイル中継器ＷＴＲＵは、モバイル中継器ＷＴＲＵが追加のリモートＷＴＲＵに接続されるときのリソースの量の増加の表示および／または追加のリモートＷＴＲＵに関係する追加サービスのセットの表示をＲＲＣシグナリングを介してｅＮＢに送ることができる。表示は、モバイル中継器ＷＴＲＵによってＭＡＣ  ＣＥを介してｅＮＢに送られ得る。
【０１７２】
表示は、様々な情報を含むことができる。表示は、モバイル中継器ＷＴＲＵがそれのために働くリモートＷＴＲＵの数を含むことができる。表示は、使用され得るリソースの量を含むことができる。使用され得るリソースの量は、追加のリモートＷＴＲＵがモバイル中継器ＷＴＲＵに接続されるようになる結果として使用され得る追加リソースの量および／またはモバイル中継器ＷＴＲＵに接続されるリモートＷＴＲＵのうちの一部またはすべてによって使用されるリソースの量に基づくものとすることができる。表示は、モバイル中継器ＷＴＲＵが経験しているリソースプールのローディング（loading）を含むことができる。モバイル中継器ＷＴＲＵが経験しているリソースプールのローディングは、モバイル中継器ＷＴＲＵがモード２を使用するときのスケジューリングリソースのモバイル中継器ＷＴＲＵの知識に基づくものとすることができる。表示は、モバイル中継器ＷＴＲＵに接続される追加の／またはリモートＷＴＲＵによって要求される追加サービスを含むことができる。
【０１７３】
モバイル中継器ＷＴＲＵは、リモートＷＴＲＵのために働くために使用され得るリソースおよび／またはサービスの量を報告することができる。報告では、モバイル中継器ＷＴＲＵは、それがそのために働く独立のストリームまたは送信先の数を示すことができる。モバイル中継器ＷＴＲＵは、独立のストリームの一部のまたはすべてのために要求されるデータレートを示すことができる。モバイル中継器ＷＴＲＵは、複数の送信先および／または独立のストリームに同時に送信する能力を有しても有しなくてもよい。ｅＮＢは、モバイル中継器ＷＴＲＵに十分な時間リソースを供給するために報告を使用することができる。
【０１７４】
Ｄ２Ｄ送信のリソースのスケジューリングは、様々なモードによって達成され得る。モードは、モード１、モード２、または機能強化されたモードを含むことができる。モード１では、ｅＮＢは、送信に使用されるリソースプールの中のリソースを直接スケジューリングすることができる。リソースのスケジューリングは、ＳＡを介して通信され得る。モード２では、ｅＮＢは、リソースプールを構成することができる。送信するＷＴＲＵは、スケジューリング期間の間に使用されるリソースを自律的に判断することができる。機能強化されたモードは、モード１および／またはモード２に基づき、これを改善したものとすることができる。リモートＷＴＲＵは、カバレージ外である場合があり、システム情報からプール構成を受信できる場合とできない場合とがある。モード１および／またはモード２は、モバイル中継器ＷＴＲＵとリモートＷＴＲＵによって使用されるスケジューリングリソースとの文脈で機能強化され得る。
【０１７５】
Ｄ２Ｄ通信のリソースのスケジューリングは、機能強化されたモードに基づくものとすることができる様々な手法を介して達成され得る。ある種の手法は、リソースプールとリソースプールの中のリソースをスケジューリングするＷＴＲＵとを構成するｅＮＢを備えることができる。ある種の手法は、リソースプールと、リソースを分離し、分離されたリソースをリモートＷＴＲＵまたはリモートＷＴＲＵのグループに割り当てたＷＴＲＵとを構成するｅＮＢを備えることができる。ある種の手法は、リソースプールの中のリソースを直接スケジューリングするｅＮＢを備えることができる。たとえば、ｅＮＢは、モバイル中継器ＷＴＲＵのリソースプールを直接スケジューリングすることができ、ＷＴＲＵは、他のＷＴＲＵのリソースプールの中のリソースをスケジューリングすることができる。
【０１７６】
ある種の手法は、リソースプールとリソースプールの中のリソースをスケジューリングするＷＴＲＵとを構成するｅＮＢを備えることができる。ＷＴＲＵは、事前に構成されたプールを使用して、および／またはｅＮＢによってシグナリングされたプールを使用して、Ｄ２ＤディスカバリまたはＤ２Ｄ通信を送信することができる。事前に構成されたプールは、デバイス内の構成されたプールおよび／またはレイヤによって構成されたプールを含むことができる。たとえば、事前に構成されたプールは、ＷＴＲＵがカバレージ外であるときに使用され得る。ｅＮＢによってシグナリングされたプールは、ＷＴＲＵがカバレージ内であるときに使用され得る。ＷＴＲＵ（たとえば、ｅＮＢのカバレージ外であるＷＴＲＵ）がモバイル中継器ＷＴＲＵ（たとえば、ｅＮＢのカバレージ内であるＷＴＲＵ）と通信することを可能にするために、ＷＴＲＵの送信器（ＴＸ）プールは、異なるＷＴＲＵの受信器（ＲＸ）プール内に存在することができる。ＷＴＲＵのＴＸプールを異なるＷＴＲＵのＲＸプール内に存在させることは、様々な手法を介して達成され得る。
【０１７７】
ＷＴＲＵのＴＸプールを異なるＷＴＲＵのＲＸプール内に存在させる様々な手法は、モバイル中継器ＷＴＲＵが、それ自体の事前に構成されたリソースおよび／またはリモートＷＴＲＵの事前に構成されたリソースをｅＮＢに示すことを含むことができる。モバイル中継器ＷＴＲＵは、ＲＲＣシグナリングを介して、それ自体の事前に構成されたリソースおよび／またはリモートＷＴＲＵの事前に構成されたリソースをｅＮＢに示すことができる。モバイル中継器ＷＴＲＵは、それ自体の事前に構成されたリソースがリモートＷＴＲＵの事前に構成されたリソースと一致するときに、それ自体の事前に構成されたリソースをｅＮＢに示すことができる。リモートＷＴＲＵは、モバイル中継器ＷＴＲＵとの接続確立中に、その事前に構成されたリソースをモバイル中継器ＷＴＲＵに送ることができる。ｅＮＢは、事前に構成されたリソースの知識に基づいてモバイル中継器ＷＴＲＵのリソースを構成することができる。
【０１７８】
ＷＴＲＵのＴＸプールを異なるＷＴＲＵのＲＸプール内に存在させる様々な手法は、ｅＮＢが、ネットワークからおよび／または機能から、あるモバイル中継器ＷＴＲＵによって使用される事前に構成されたリソースを受信することを含むことができる。ｅＮＢは、ネットワークからおよび／または機能から受信された情報に基づいて、モバイル中継器ＷＴＲＵによって使用されるプールを構成することができる。事前に構成されたプールは、特にリモートＷＴＲＵに関するものとすることができる。事前に構成されたプールが、特にリモートＷＴＲＵに関する場合に、ｅＮＢは、リモートＷＴＲＵとの通信のためにモバイル中継器ＷＴＲＵによって使用されるプールを決定するために、リモートＷＴＲＵの識別を使用することができる。ｅＮＢは、リモートＷＴＲＵの識別をモバイル中継器ＷＴＲＵから受信することができる（たとえば、本明細書で説明される手段によって）。
【０１７９】
リソースプール構成は、モバイル中継器ＷＴＲＵおよび／またはリモートＷＴＲＵに通信され得る。ｅＮＢは、本明細書で議論されるように、モバイル中継器ＷＴＲＵおよびリモートＷＴＲＵによって使用されるリソースプールを決定することができる。ｅＮＢは、リソースプール構成を用いてモバイル中継器ＷＴＲＵを構成することができる。ｅＮＢは、モバイル中継器ＷＴＲＵを構成するためにＲＲＣシグナリングのＲ１２機構を使用することができる。モバイル中継器ＷＴＲＵは、リソースプール構成をリモートＷＴＲＵに転送することができる。制御Ｄ２Ｄ通信メッセージが、リソースプール構成をリモートＷＴＲＵに転送するのに使用され得る。たとえば、リソースプール構成をリモートＷＴＲＵに転送するのに使用されるＤ２Ｄ制御メッセージは、Ｄ２Ｄモバイル中継器リソースプール制御メッセージと呼ばれる場合がある。Ｄ２Ｄモバイル中継器リソースプール制御メッセージは、たとえば、リモートＷＴＲＵのＲＲＣレイヤ宛とすることができる。Ｄ２Ｄモバイル中継器リソースプール制御メッセージは、将来のＤ２Ｄ通信に利用されるリソースプールについてリモートＷＴＲＵに知らせることができる。制御Ｄ２Ｄメッセージは、複数の異なる形を介して識別され得る。
【０１８０】
Ｄ２Ｄモバイル中継器リソースプール制御メッセージは、ある種のＳＣＩフォーマット（たとえば、ＳＣＩフォーマット１）を介して識別され得る。ＳＣＩフォーマットは、Ｄ２Ｄモバイル中継器リソースプール制御メッセージを送信するのに使用され得る。リモートＷＴＲＵは、Ｄ２Ｄモバイル中継器リソースプール制御メッセージに対応するデータを識別することができる。データは、無線リソース制御（ＲＲＣ）に転送され得る。
【０１８１】
Ｄ２Ｄモバイル中継器リソースプール制御メッセージは、ある種のグループ送信先ＩＤ（たとえば、Ｌ２  ＩＤ）を介して識別され得る。グループ送信先ＩＤは、Ｄ２Ｄモバイル中継器リソースプール制御メッセージに使用され得る。グループ送信先ＩＤは、ＳＣＩフォーマットで示され得る。たとえば、ＳＣＩフォーマットは、ＳＣＩフォーマット０とすることができる。ＳＣＩフォーマット０は、ＳＬ−ＳＣＨ上で受信／復号されるリソースブロックをスケジューリングすることができる。グループ送信先ＩＤは、一部のまたはすべてのリモートＷＴＲＵが制御メッセージを受信することを可能にすることができる。たとえば、モバイル中継器ＷＴＲＵは、そのモバイル中継器ＷＴＲＵがそれのために働くいくつかのまたはすべてのＷＴＲＵにメッセージを送信することができる。
【０１８２】
Ｄ２Ｄモバイル中継器リソースプール制御メッセージは、パケットデータ収束プロトコル（ＰＤＣＰ）パケットヘッダ内のある種のフィールドまたはインジケータを介して識別され得る。フィールドおよび／またはインジケータは、ある種のタイプのＰＤＣＰパケットがＲＲＣ制御のためのものとされ得ることを示すことができる。フィールドおよび／またはインジケータは、そのタイプのＰＤＣＰパケットが、アプリケーションレイヤに転送されない（たとえば、そうではなくＲＲＣレイヤに転送される）ことを示すことができる。
【０１８３】
Ｄ２Ｄモバイル中継器リソースプール制御メッセージは、ブロードキャストメッセージングを送るのに利用される方法を介して識別され得る。Ｄ２Ｄモバイル中継器リソースプール制御メッセージは、ｅＮＢから直接ＲＲＣシグナリングを介して識別され得る。リモートＷＴＲＵは、Ｄ２Ｄのリソースが構成されているときにｅＮＢのカバレージ内にある場合がある。
【０１８４】
リモートＷＴＲＵは、事前に構成されたリソースを使用するために、Ｄ２Ｄモバイル中継器リソースプール制御メッセージを介してシグナリングされ得る。リモートＷＴＲＵは、初期構成の前にシグナリングされ得る。Ｄ２Ｄモバイル中継器リソースプール制御メッセージが受信され、リモートＷＴＲＵのリソースプールが再構成されるときに、リモートＷＴＲＵは、再構成されるプールをリスンすることができる。リモートＷＴＲＵは、モバイル中継器と通信するために新しいプール上で送信することができる。後続の再構成は、本明細書で議論される形で行われ得る。
【０１８５】
リソースプール再構成は、様々なタイプの再構成を含むことができる。リモートＷＴＲＵは、事前に構成されたＲＸプールに加えって、追加のＲＸディスカバリおよび／または通信プールを監視するように再構成され得る。リモートＷＴＲＵは、送信するのに事前に構成されたＴＸプールを使用することができる。リモートＷＴＲＵは、ＲＸプールのある種のセットを監視するようにｅＮＢによって（たとえば、モバイル中継器を介して）再構成され得る。リモートＷＴＲＵは、ディスカバリおよび／または通信のためのＴＸプールのある種のセットを使用して送信することができる。モバイル中継器ＷＴＲＵは、ＲＸプールのある種のセットを監視するように再構成され得る。モバイル中継器ＷＴＲＵは、ｅＮＢまたは機能によって再構成され得る。ＲＸプールのセットは、リモートＷＴＲＵの事前に構成されたＴＸプールを含むことができる。モバイル中継器ＷＴＲＵは、送信するのに最初のｅＮＢによって構成されたＴＸプールを使用することができる。
【０１８６】
リソースプール再構成は、カバレージ外ＷＴＲＵに有用である場合がある。カバレージ外ＷＴＲＵは、事前に構成されたリソースの使用を介して到達され得る。たとえば、一部のまたはすべてのモバイル中継器は、リモートＷＴＲＵとの初期通信に事前に構成されたリソースを使用することができる。事前に構成されたリソースは、一部のまたはすべてのモバイル中継器がリモートＷＴＲＵとの接続を確立することを可能にすることができる。モバイル中継器通信は、大量のリソースを使用する可能性がある。ｅＮＢは、モバイル中継器動作に十分な帯域幅を保証するために事前に構成されたプールを定義することなく、大量のリソースを制御することができる。ｅＮＢは、効率的なリソース管理のためにリソースを制御することができる。
【０１８７】
リソースプール再構成は、様々な形で発生することができる。リソースプール再構成は、接続確立中に発生することができる。リモートＷＴＲＵは、モバイル中継器ディスカバリおよび／または接続確立を実行するために、事前に構成されたディスカバリおよび／または通信リソースプールを使用することができる。接続確立中に、リモートＷＴＲＵは、再構成メッセージの受信の後に、モバイル中継器リンクを介するさらなる通信のためにリソースプールの再構成されたセットを使用するように再構成され得る。リモートＷＴＲＵは、接続確立手順の終りに、再構成メッセージの受信の後に、モバイル中継器リンクを介するいくつかのまたはすべてのさらなる通信のためにリソースプールの再構成されたセットを使用するように再構成され得る。リモートＷＴＲＵは、接続確立手順のためのＤ２Ｄ通信が完了するときに再構成され得る。
【０１８８】
図１０は、リソース再構成の例の図である。リモートＷＴＲＵ  １０１０は、１００２で、事前に構成されたＤ２Ｄ通信リソースを使用して接続確立要求メッセージを送ることができる。モバイル中継器ＷＴＲＵ  １０１２は、リモートＷＴＲＵ  １０１０のリソースの使用を認可するためにｅＮＢ  １０１４に問い合わせることができる。モバイル中継器ＷＴＲＵ  １０１２は、１００４で、ｅＮＢ認可と共に、モバイル中継器ＷＴＲＵ  １０１２およびリモートＷＴＲＵ  １０１０によって使用されるリソースプールを受信することができる。モバイル中継器ＷＴＲＵ  １０１２は、以前にモバイル中継器ＷＴＲＵ  １０１２によって使用されるリソースプールを受信済みである場合がある。たとえば、モバイル中継器ＷＴＲＵ  １０１２は、モバイル中継器ＷＴＲＵ  １０１２がモバイル中継器として動作するようにセットアップされたときに、モバイル中継器ＷＴＲＵ  １０１２によって使用されるリソースプールを受信済みである場合がある。モバイル中継器ＷＴＲＵ  １０１２は、１００６で、接続確立完了メッセージを送ることができる。接続確立完了メッセージは、使用される新しいリソースプール（たとえば、再構成されたリソース）を含むことができる。接続確立完了メッセージの受信の後に、リモートＷＴＲＵ  １０１０は、１００８で、リソース再構成で指定されたＲＸプール監視しＴＸプールを使用することができる。
【０１８９】
リソースプール再構成は、モバイル中継器ディスカバリを介して達成され得る。たとえば、モバイル中継器ＷＴＲＵは、モバイル中継器ディスカバリメッセージ内にリソース再構成を埋め込むことができる。リモートＷＴＲＵが、モバイル中継器との接続の確立を試みるときに、リモートＷＴＲＵは、モバイル中継器からのディスカバリアナウンスメント／応答内で受信された再構成されたプールを使用して接続要求を送信することができる。
【０１９０】
リソースプール再構成は、モバイル中継器ＷＴＲＵとリモートＷＴＲＵとの間の１対１通信中に発生することができる。モバイル中継器ＷＴＲＵは、モバイル中継器ＷＴＲＵとリモートＷＴＲＵとの間の１対１通信中にリソース再構成メッセージを送ることができる。モバイル中継器ＷＴＲＵは、リソース再構成を送るために、事前に構成されたリソースおよび／またはモバイル中継器ＷＴＲＵによって以前に再構成されたリソースを使用することができる。リソース再構成メッセージの受信時に、リモートＷＴＲＵは、再構成されたプールを使用して送信および監視を開始することができる。
【０１９１】
リソースプール再構成は、リモートＷＴＲＵがｅＮＢのカバレージ内にあり、かつ／または潜在的にモバイル中継器に接続できるときに発生することができる。たとえば、リモートＷＴＲＵが、ｅＮＢのカバレージから外に移動している場合がある。リモートＷＴＲＵのトラフィックの一部（たとえば、公共安全トラフィック）が、モバイル中継器に移動される場合がある。リソースプール再構成は、リモートＷＴＲＵへの専用のＲＲＣシグナリングを介しておよび／またはブロードキャストシグナリング（たとえば、システム情報ブロック（ＳＩＢ））を介して受信され得る。
【０１９２】
リソース再構成メッセージは、ＴＸ／ＲＸディスカバリ／通信プールの説明、プールを使用するための時間妥当性、および／またはｅＮＢ識別子のうちの１つまたは複数を含むことができる。
【０１９３】
リモートＷＴＲＵは、リモートＷＴＲＵがｅＮＢおよび／またはモバイル中継器から受信したリソース再構成を記憶することができる。リソース再構成は、リモートＷＴＲＵによってｅＮＢおよび／またはモバイル中継器から受信された最後のリソース再構成に対応することができる。リモートＷＴＲＵは、リモートＷＴＲＵのメモリ内にリソース再構成を記憶することができる。以前のリソースプール構成がリモートＷＴＲＵのメモリ内に存在する場合に、リモートＷＴＲＵは、以前のプール構成をモバイル中継器に通信することを試みることができる。たとえば、リモートＷＴＲＵは、以前に事前に構成されたプールを使用してディスカバリ信号を検索することができる。リモートＷＴＲＵは、メモリからの以前に事前に構成されたプールを使用してモバイル中継器接続確立を実行することを試みることができる。接続確立が失敗する場合には、別の接続確立が、以前に事前に構成されたプールを使用して再試行され得る。メモリからの以前に事前に構成されたプールを使用する接続確立が失敗する場合に、リモートＷＴＲＵは、以前に事前に構成されたプールをリモートＷＴＲＵのメモリから削除することができる。
【０１９４】
Ｄ２Ｄ通信のリソースのスケジューリングは、リソースプールの分離（たとえば、リソースプールの分離を伴うモード２）を用いるリソースプール構成を介して達成され得る。モバイル中継器ＷＴＲＵは、ｅＮＢからモード２リソースプールを受信することができる。モバイル中継器ＷＴＲＵは、リソースプールを異なるリモートＷＴＲＵまたはリモートＷＴＲＵのグループに分離することができる。モバイル中継器ＷＴＲＵは、ｅＮＢによって構成されたプールから複数のサブプールを自律的に選択することができる。モバイル中継器ＷＴＲＵは、モバイル中継器ＷＴＲＵがｅＮＢによって構成されたプールから選択したサブプールを用いて異なるリモートＷＴＲＵを別々に構成することができる。モバイル中継器ＷＴＲＵは、モバイル中継器ＷＴＲＵがｅＮＢによって構成されたプールから選択したサブプールを用いてリモートＷＴＲＵの異なるサブグループを別々に構成することができる。モバイル中継器ＷＴＲＵは、異なるリモートＷＴＲＵに割り振るべきリソースの量を決定することができる。異なるリモートＷＴＲＵに割り振るべきリソースの量の決定は、リモートＷＴＲＵからの期待されるトラフィックに基づくものとすることができる。
【０１９５】
ｅＮＢおよび／またはネットワークは、リソースプールがモバイル中継器ＷＴＲＵと一部のまたはすべてのリモートＷＴＲＵとの間でどのように分離されるのかを選択することができる。ｅＮＢは、送信の間および／または送信の中でのリソース衝突を回避するために、リモートＷＴＲＵおよびモバイル中継器ＷＴＲＵの送信リソースプールを構成することができる。たとえば、リモートＷＴＲＵの送信リソースプールおよびモバイル中継器ＷＴＲＵの送信リソースプールは、リソース衝突を回避するために直交になるように構成され得る。
【０１９６】
複数のリモートＷＴＲＵは、それらが干渉の危険性を有しないことが知られている場合に、同一の送信リソースプールに割り当てられ得る。たとえば、それらが、同時には送信しない場合がある。それらの相対位置が、干渉の危険性がないようなものである場合がある。
【０１９７】
ｅＮＢは、ＷＴＲＵに関連付けられた潜在的に静的な優先順位に従ってリソースプールを割り当てることができる。たとえば、モバイル中継器ＷＴＲＵは、リモートＷＴＲＵより高い潜在的に静的な優先順位を有することができる。ｅＮＢは、モバイル中継器ＷＴＲＵによって使用されるリソースプールをモバイル中継器ＷＴＲＵにシグナリングすることができる。その後、ｅＮＢは、リモートＷＴＲＵによって使用されるリソースプールをシグナリングすることができる。ｅＮＢは、リモートＷＴＲＵのグループによって使用されるリソースプールをシグナリングすることができる。
【０１９８】
ｅＮＢは、モバイル中継器に使用され得る複数のリソースプールをリモートＷＴＲＵ通信に送ることができる。モバイル中継器ＷＴＲＵは、リモートＷＴＲＵの中でリソースプールをどのように副分割すべきかを決定することができる。モバイル中継器ＷＴＲＵは、リモートＷＴＲＵがどの送信プールを使用できるのかをそのリモートＷＴＲＵが決定するために、プール構成を送ることができる。モバイル中継器ＷＴＲＵは、リモートＷＴＲＵがどの受信プールをリスンできるのかをそのリモートＷＴＲＵが決定するために、プール構成を送ることができる。
【０１９９】
リモートＷＴＲＵは、選択された送信／受信プールを用いて構成され得、選択されたリソースプールは、それがモバイル中継器ＷＴＲＵからの送信を受信することを可能にすることができる（たとえば、モバイル中継器ＷＴＲＵ送信プールに基づいて）。たとえば、ｅＮＢは、モバイル中継器通信に使用される、モバイル中継器ＷＴＲＵへの４つの送信プール（たとえば、ＳＡ用およびデータ用）を構成することができる。モバイル中継器ＷＴＲＵは、リモートＷＴＲＵに向かうそれ自体の通信の送信のために送信プールのうちの１つを使用すると判断することができる。その後、残りの送信プールは、リモートＷＴＲＵの送信に使用され得る。リモートＷＴＲＵの一部またはグループが、残りのプールに関して選択され得る。別の例では、モバイル中継器ＷＴＲＵは、その送信のために４つすべてのプールを使用し、単一の受信プールを用いて各リモートＷＴＲＵを構成することができる。その後、モバイル中継器ＷＴＲＵは、送信の所期の受信側であるリモートＷＴＲＵのために使用すべき送信プールを選択することができる。
【０２００】
リモートＷＴＲＵの数がプールの数より多い場合に、選択は、ある種の割当に基づいて実行され得る。割当は、ほぼ同一数のリモートＷＴＲＵが各残りのプールに割り当てられることを保証するための、各残りのプールへの複数のＷＴＲＵのランダム割当とすることができる。優先順位は、リモートＷＴＲＵおよび／またはモバイル中継器ＷＴＲＵの送信の期待されるローディングに基づくものとすることができる。リモートＷＴＲＵおよび／またはモバイル中継器ＷＴＲＵの送信の期待されるローディングは、ｅＮＢからおよび／またはモバイル中継器ＷＴＲＵ内のレイヤから入手され得る。相対的に等しい量のトラフィック送信負荷が、送信プールに割り当てられ得る。たとえば、大きいトラフィック期待値を有するＷＴＲＵは、単独でプール内にあるものとすることができる。より小さいトラフィック期待値を有する複数のＷＴＲＵのセットが、別のプールに割り当てられ得る。
【０２０１】
ｅＮＢは、モバイル中継器ＷＴＲＵに１つまたは複数のプールを送ることができる。単一のプールが、複数のリモートＷＴＲＵの中で副分割され得る。この副分割は、モバイル中継器ＷＴＲＵによって行われ得る。この副分割は、ｅＮＢによって行われ得る。プールは、ある種の割当に基づいて副分割され得る。割当は、許可されるＴ−ＲＰＴのセットをリモートＷＴＲＵに割り振ることとすることができる。たとえば、リモートＷＴＲＵは、ある値のｋまたはＴ−ＲＰＴインデックスのあるセットを使用するように制限され得る。割当は、許可されるスケジューリング期間のセットに基づくものとすることができる。たとえば、リモートＷＴＲＵは、別のリモートＷＴＲＵとは別個の、あるスケジューリング期間またはスケジューリング期間のセットを割り当てられ得る。割当は、許可される周波数リソースのセットに基づくものとすることができる。たとえば、ＷＴＲＵによって使用され得るＤ２Ｄサブフレーム内の許容可能な周波数リソースは、別のＷＴＲＵによって使用され得る許容可能な周波数リソースとは別個とすることができる。割当は、ホッピングパターンに基づくものとすることができる。たとえば、リモートＷＴＲＵによって使用される選択されたホッピングパターンは、異なるリモートＷＴＲＵの実際に選択されたリソースが別個になり得るようなものとすることができる。
【０２０２】
モバイル中継器ＷＴＲＵおよび／またはｅＮＢは、ある種の判断基準に基づいてリソースプールの分離を選択することができる。判断基準は、リモートＷＴＲＵ送信の相対負荷を含むことができる。たとえば、モバイル中継器ＷＴＲＵおよび／またはｅＮＢは、各副分割の負荷がお互いに対して相対的に等しくなるように、様々な負荷を有する複数のリモートＷＴＲＵを副分割に割り当てることによって、各副分割の相対的に等しい負荷を保証することができる。判断基準は、リモートＷＴＲＵまたはリモートＷＴＲＵトラフィックの優先順位を含むことができる。たとえば、高優先順位ＷＴＲＵは、他のＷＴＲＵとの干渉を回避するために、それら自体の副分割または少数の他のＷＴＲＵを有する副分割を与えられ得る。判断基準は、ある種の固定された／静的なルールを含むことができる。たとえば、副分割は、固定された数のＷＴＲＵに割り当てられ得る。
【０２０３】
Ｄ２Ｄ通信のリソースのスケジューリングは、モバイル中継器送信に関するモード１リソースプール構成およびリモートＷＴＲＵ送信に関するモード２リソースプール構成を介して達成され得る。ｅＮＢは、モバイル中継器送信（たとえば、モバイル中継器ＷＴＲＵからリモートＷＴＲＵへのリソースの送信）にモード１を使用し続けることができる。ｅＮＢは、リモートＷＴＲＵがモード２を使用してモバイル中継器ＷＴＲＵに送信することを可能にすることができる。たとえば、モバイル中継器ＷＴＲＵは、主として、ブロードキャストトラフィックおよびリモートＷＴＲＵからｅＮＢへの一部のアップリンクトラフィックに使用され得る。リモートＷＴＲＵからｅＮＢへのアップリンクトラフィックは、ネットワークまたはアプリケーションサーバへの１対１通信リンクを含むことができる。ｅＮＢは、リモートＷＴＲＵによる受信およびリモートＷＴＲＵによる送信に使用されるリソースプールを構成することができる。リソースプールは、リモートＷＴＲＵに転送され得る。その後、ｅＮＢは、ＤＣＩフォーマット５を介してモバイル中継器による送信をスケジューリングすることができる。
【０２０４】
サービス継続性は、様々な手法によって維持され得る。モバイル中継器ＷＴＲＵおよび／またはリモートＷＴＲＵは、リモートＷＴＲＵのサービス継続性を維持するためにある種の手順を実施することができる。サービス継続性は、様々な状況で維持され得る。モバイル中継器が、ｅＮＢへの接続を失う場合がある。たとえば、リモート／モバイル中継器ＷＴＲＵが、ｅＮＢのカバレージ外に進む場合がある。モバイル中継器が、ｅＮＢによって使用不能にされる場合がある。リモートＷＴＲＵは、あるモバイル中継器の使用から別のモバイル中継器に移転することができる。リモートＷＴＲＵは、ｅＮＢとのカバレージ内接続とモバイル中継器を介する接続との間で推移することができる。たとえば、推移は、ＵｕとＰＣ５との間の推移に関するものとすることができる。モバイル中継器ＷＴＲＵが、あるｅＮＢから別のｅＮＢにハンドオーバされる場合がある。ｅＮＢは、これらの手順を支援しまたは制御することができる。
【０２０５】
サービス継続性は、モバイル中継器がｅＮＢとの接続を失うときに維持され得る。モバイル中継器ＷＴＲＵは、モバイル中継器ＷＴＲＵがｅＮＢ接続の消失を検出するときに、ＰＣ５を介して通知を送ることができる。モバイル中継器ＷＴＲＵは、モバイル中継器ＷＴＲＵがｅＮＢのカバレージを去りつつある可能性があると決定するときに、リモートＷＴＲＵに通知または情報を送ることができる。Ｕｕ消失通知は、ＰＣ５を介しておよび／またはディスカバリトランスポートもしくは通信トランスポートを介して送られ得る。Ｕｕ消失通知は、ＭＡＣ  ＣＥを備えることができる。Ｕｕ消失通知は、ＰＨＹレイヤシグナリングを使用して送られ得る。たとえば、Ｕｕ消失通知は、Ｄ２ＤＳＳまたは他のチャネルの一部としてＰＨＹレイヤシグナリングを使用して送られ得る。Ｕｕ消失通知は、ＲＲＣレイヤ制御シグナリングを使用して送られ得る。モバイル中継器ＷＴＲＵは、リモートＷＴＲＵにメッセージを独立に送ることができる。モバイル中継器ＷＴＲＵは、メッセージを送るのにモバイル中継器固有ブロードキャスト機構を使用することができる。
【０２０６】
Ｕｕ消失通知は、ある種のトリガに応答して送られ得る。トリガは、モバイル中継器によって見られるＵｕインターフェースの信号品質を含むことができる。たとえば、Ｕｕインターフェースの信号品質は、ダウンリンク信号品質の既存のＬＴＥ測定値を介してモバイル中継器によって見られ得る。トリガは、ＲＲＣ再確立手順のトリガを含むことができる。トリガは、固定され、かつ／またはシグナリングを介してネットワークによって構成され得る。たとえば、シグナリングは、Ｕｕを介するＲＲＣシグナリングを含むことができる。モバイル中継器ＷＴＲＵは、モバイル中継器のモバイル中継器動作が停止され得ることを示す明示的なメッセージがｅＮＢから受信されるときに、リモートＷＴＲＵに送られるＵｕ消失通知をトリガすることができる。
【０２０７】
Ｕｕ消失通知をトリガする、モバイル中継器ＷＴＲＵの挙動および／または測定された信号品質のしきい値は、ネットワークによってセットされ得る。ネットワークは、Ｕｕ消失通知が信号品質の一時的低下に関してトリガされることを回避するために、しきい値および潜在的なヒステリシス値をセットすることができる。ネットワークは、複数のしきい値を構成することができる。複数のしきい値は、リモートＷＴＲＵ内の異なる挙動をトリガするのに使用され得る。挙動は、Ｕｕ消失通知と一緒にリモートＷＴＲＵに通信され得る。たとえば、モバイル中継器によって測定されたＵｕ信号品質が、劣悪であるか、ヒステリシスを超える時間にわたってしきい値未満であると決定される場合に、モバイル中継器ＷＴＲＵは、挙動を実行するための表示と一緒に、Ｕｕ消失通知をＰＣ５インターフェースを介してリモートＷＴＲＵに送ることができる。しきい値が超えられないが、別のしきい値が超えられる場合には、Ｕｕ消失通知は、それでも、別の挙動を実行するための表示と共にではあるが、送られ得る。
【０２０８】
Ｕｕ消失通知の受信時に、リモートＷＴＲＵは、ある種のアクションを実行することができる。Ｕｕ消失通知と共に示される挙動パラメータは、リモートＷＴＲＵがどの挙動または挙動の組合せを行えるのかを指図するのに使用され得る。リモートＷＴＲＵは、別のモバイル中継器のディスカバリを開始することができる。たとえば、それは、モデルＢディスカバリ要請を送信し、異なるモバイル中継器からのモデルＢディスカバリ応答をリスンし始めることができる。リモートＷＴＲＵは、モバイル中継器再選択手順をイニシエートすることができる。リモートＷＴＲＵは、モバイル中継器ＷＴＲＵからのモデルＡディスカバリアナウンスをリスンすることができる。リモートＷＴＲＵは、モバイル中継器から送られたディスカバリメッセージに基づいて、使用可能な異なるモバイル中継器のリンク品質（たとえば、ＰＣ５上の）を測定し、測定値を上位レイヤに送り始めることができる。リモートＷＴＲＵの上位レイヤは、下位レイヤによって供給される測定値と一緒に、モバイル中継器選択を実行することができる。リモートＷＴＲＵは、選択されたモバイル中継器ＷＴＲＵとの１対１通信の確立を試みることができる。
【０２０９】
以下は、リモートＷＴＲＵ内の異なる挙動をトリガするための複数のしきい値の使用の例とすることができる。たとえば、しきい値が超えられる場合に、リモートＷＴＲＵは、別のモバイル中継器のディスカバリを開始し、モデルＡディスカバリアナウンスをリスンし、リンク品質を測定し、モバイル中継器選択を待つことができる。別のしきい値が超えられる場合に、リモートＷＴＲＵは、別のモバイル中継器のディスカバリを開始し、モデルＡディスカバリアナウンスをリスンし、リンク品質を測定し、モバイル中継器選択を待ち、選択されたモバイル中継器ＷＴＲＵとの１対１通信の確立を試みることができる。別のしきい値が超えられ、複数のアクティビティが、以前のＵｕ消失通知の受信に基づいて実行済みである場合に、リモートＷＴＲＵは、既に選択されているモバイル中継器に基づいて、選択されたモバイル中継器ＷＴＲＵとの１対１通信の確立を試みることができる。
【０２１０】
モバイル中継器ＷＴＲＵは、Ｕｕ消失通知と一緒にｅＮＢによって供給された情報をリモートＷＴＲＵに送ることができる。ｅＮＢは、モバイル中継器の通常動作中および／またはｅＮＢとの劣悪な接続中に、リモートＷＴＲＵに情報を供給することができる。
【０２１１】
モバイル中継器の通常動作中に、ｅＮＢは、モバイル中継器ＷＴＲＵがカバレージ外に進む場合にリモートＷＴＲＵが接続しているモバイル中継器を置換できる候補ＷＴＲＵ  ＩＤのリストをモバイル中継器ＷＴＲＵに送ることができる。リストは、ｅＮＢによって周期的に更新され、モバイル中継器ＷＴＲＵに送られ得る。リストは、Ｕｕインターフェース上でＲＲＣシグナリングを介して送られ得る。リストは、機能によって更新され、ＰＣ３インターフェースを介して送られ得る。
【０２１２】
劣悪な無線条件および／またはｅＮＢとの接続問題の検出時に、モバイル中継器ＷＴＲＵは、モバイル中継器のカバレージの消失をシグナリングするためにＤ２Ｄ制御メッセージを（たとえばＰＣ５を介して）送信するように構成され得る。カバレージの消失を示すのに使用されるＤ２Ｄ制御メッセージは、Ｄ２Ｄ  Ｕｕバックホール消失制御メッセージと呼ばれる場合がある。劣悪な無線条件および／または接続問題は、ＲＬＦ条件がトリガされるとき、Ｔ３１０、Ｔ３１１、もしくはＴ３０１のうちの１つまたは複数が走行しているとき、Ｔ３００が満了したとき、および／またはモバイル中継器ＷＴＲＵが例外リソースを使用するときに検出され得る。Ｄ２Ｄ  Ｕｕバックホール消失制御メッセージは、リモートＷＴＲＵにブロードキャストされ得る。たとえば、ブロードキャストは、事前に定義された送信先アドレスを使用することができる。制御メッセージは、１対１通信経路を使用してリモートＷＴＲＵに個別に送られ得る。たとえば、１対１通信経路は、専用のＷＴＲＵ  ＩＤを含むことができる。Ｄ２Ｄ  Ｕｕバックホール消失制御メッセージは、ある種の情報を含むことができる。Ｄ２Ｄ  Ｕｕバックホール消失制御メッセージは、カバレージ表示の消失を含むことができる。Ｄ２Ｄ  Ｕｕバックホール消失制御メッセージは、リモートＷＴＲＵがサービスを継続するための接続を確立することを試行することのできる提案されるＷＴＲＵ  ＩＤを含むことができる。ＷＴＲＵ  ＩＤは、モバイル中継器ＷＴＲＵがｅＮＢに接続されるときにｅＮＢによってモバイル中継器ＷＴＲＵに周期的に供給され得る。ＷＴＲＵ  ＩＤは、問題のモバイル中継器ＷＴＲＵがｅＮＢとの接続を失いつつあるときに供給され得る。Ｄ２Ｄ  Ｕｕバックホール消失制御メッセージは、モバイル中継器ＷＴＲＵと通信するのに使用され得るリソースまたはリソースプールのリストを含むことができる。たとえば、リモートＷＴＲＵは、完全なディスカバリ手順を実行せずに、モバイル中継器ＷＴＲＵとの１対１通信を直接確立するように求められ得る。ｅＮＢは、１対１通信を好む可能性がある。１対１通信のためのプールは、事前に構成されたプールとは異なるものとすることができる。
【０２１３】
リモートＷＴＲＵは、モバイル中継器によるｅＮＢのカバレージの消失をシグナリングするＤ２Ｄ  Ｕｕバックホール消失制御メッセージを受信することができる。リモートＷＴＲＵは、ディスカバリおよび／または置換モバイル中継器として働くことのできる提案されたＷＴＲＵとの１対１通信をイニシエートすることができる。ｅＮＢは、リモートＷＴＲＵをサポートするために、置換モバイル中継器にその役割を知らせることができる。ｅＮＢは、適当なリソースを用いて置換モバイル中継器を構成することができる。たとえば、置換モバイル中継器は、リモートＷＴＲＵに接続する前に、同一の一時モバイルグループ識別（ＴＭＧＩ）の監視を開始するように求められる場合がある。置換モバイル中継器は、ＴＭＧＩおよび／またはＥ−ＵＴＲＡＮセルグローバル識別子（ＥＣＧＩ）の送信を開始することができる。たとえば、ディスカバリおよび／または置換ＷＴＲＵとの１対１通信をイニシエートすることによる事前構成は、置換モバイル中継器ＷＴＲＵが、リモートＷＴＲＵによってイニシエートされた接続手順より前にブロードキャストデータをバッファリングすることを可能にすることができる。
【０２１４】
サービス継続性は、モバイル中継器がｅＮＢによって使用不能にされるときに維持され得る。ｅＮＢは、モバイル中継器コンテキスト転送を可能にすることができる。ｅＮＢは、リモートＷＴＲＵのセットがモバイル中継器から切断することを強制するためにＵｕ消失通知をトリガすることができる。ｅＮＢは、モバイル中継器ＷＴＲＵとｅＮＢとの間の接続の品質に基づいてモバイル中継器ＷＴＲＵを使用不能にしまたは非アクティブ化すると判断することができる。たとえば、ｅＮＢは、モバイル中継器ＷＴＲＵとｅＮＢとの間のＵｕリンクのリンク品質を評価することができる。評価は、評価する周期的に実行され得る。品質の評価は、モバイル中継器ＷＴＲＵによってｅＮＢに送られるＵｕリンク品質の周期的測定値に基づくものとすることができる。リンク品質の評価は、モバイル中継器との通信の消失の検出に基づくものとすることができる。たとえば、モバイル中継器との通信の消失は、モバイル中継器がもはやｅＮＢによって行われる送信を肯定応答しない場合に検出され得る。リンク品質が許容可能なしきい値未満になる場合に、ｅＮＢは、モバイル中継器ＷＴＲＵを使用不能にすることができる。ｅＮＢは、ｅＮＢが使用不能にしまたは非アクティブ化しようとしているモバイル中継器ＷＴＲＵの置換モバイル中継器ＷＴＲＵを選択することができる。ｅＮＢは、置換モバイル中継器ＷＴＲＵに情報を転送し、かつ／または置換モバイル中継器ＷＴＲＵを構成することができる。
【０２１５】
ｅＮＢは、ある種の情報を置換モバイル中継器ＷＴＲＵに送ることができる。ｅＮＢは、モバイル中継器アクティブ化メッセージを送ることができる。たとえば、ｅＮＢは、置換モバイル中継器が当初にモバイル中継器として働いていなかった場合にモバイル中継器アクティブ化メッセージを送ることができる。モバイル中継器アクティブ化メッセージは、モバイル中継器として振る舞い始め、モデルＡアナウンスメントメッセージを送信し始め、かつ／またはモデルＢ要請メッセージをリスンし始めるようにＷＴＲＵをトリガすることができる。ｅＮＢは、モバイル中継器転送表示を送ることができる。たとえば、ｅＮＢは、置換モバイル中継器ＷＴＲＵがモバイル中継器として振る舞っており、異なるおよび／または追加のリモートＷＴＲＵのために働き始めることができる場合に、モバイル中継器転送表示を送ることができる。ｅＮＢは、モバイル中継器によってサービスされるリモートＷＴＲＵのリストを送ることができる。リストは、リモートＷＴＲＵの識別子（たとえば、Ｌ２  ＩＤ、ＰＨＹレイヤＩＤ、および／または類似物）を含むことができる。リストは、置換モバイル中継器ＷＴＲＵに転送されているリモートＷＴＲＵを含むことができる。ｅＮＢは、モバイル中継器ＷＴＲＵがＤ２Ｄ通信またはＤ２Ｄディスカバリを送信するのに使用できるリソースまたはリソースプールを送ることができる。ｅＮＢは、モバイル中継器ＷＴＲＵがＤ２Ｄ通信またはＤ２Ｄディスカバリをその上でリスンすることのできるリソースまたはリソースプールを送ることができる。たとえば、置換モバイル中継器ＷＴＲＵは、非アクティブ化されたモバイル中継器によって使用されたリソースプールを使用し始めることができる。置換モバイル中継器ＷＴＲＵは、リモートＷＴＲＵとの送信／受信のためにリソースプールを使用することができる。ｅＮＢは、リモートＷＴＲＵに供給されるサービスおよびそれらのサービスに関連付けられたコンテキスト情報を送ることができる。たとえば、非アクティブ化されたモバイル中継器が、ブロードキャスト情報を供給するためにＴＭＧＩを監視していた場合がある。置換モバイル中継器は、同一のＴＭＧＩを監視してもしなくてもよい。ｅＮＢは、置換モバイル中継器ＷＴＲＵに以下の情報のうちの１つまたは複数を示すことができる。ｅＮＢは、モバイル中継器ＷＴＲＵが監視するように構成され得るＴＭＧＩを置換モバイル中継器ＷＴＲＵに示すことができる。たとえば、置換モバイル中継器ＷＴＲＵが監視するように構成され得るＴＭＧＩが、非アクティブ化されるモバイル中継器が監視していた可能性があるＴＭＧＩとは異なる場合がある。ｅＮＢは、ＰＣ５送信のためのグループＩＤを置換モバイル中継器に示すことができる。ＰＣ５送信のためのグループＩＤは、リモートＷＴＲＵにｅＭＢＭＳデータを送るために通信するのに、使用不能にされるモバイル中継器によって使用されていた可能性がある。リモートＷＴＲＵは、異なるＴＭＧＩ監視要求を置換モバイル中継器に発行してもしなくてもよい。ｅＮＢは、ＴＭＧＩのブロードキャストを受信しているリモートＷＴＲＵの特定のＩＤ（たとえば、Ｌ２  ＩＤ、ＰＨＹ  ＩＤ、および／または類似物）を置換モバイル中継器に示すことができる。ｅＮＢは、モバイル中継器ブロードキャスト機構に使用されるアドレスを置換モバイル中継器に示すことができる。
【０２１６】
置換モバイル中継器ＷＴＲＵは、モバイル中継器アクティブ化メッセージおよび／またはモバイル中継器転送メッセージを受信することができる。置換モバイル中継器ＷＴＲＵは、ある種のアクションを実行することができる。置換モバイル中継器ＷＴＲＵは、モバイル中継器アクティブ化メッセージが受信される場合に、モデルＡアナウンスメントの送信またはモデルＢ要請メッセージのリスンおよびこれに対する応答を開始することができる。置換モバイル中継器ＷＴＲＵは、ｅＮＢが置換モバイル中継器ＷＴＲＵに示したＴＭＧＩの監視を開始することができる。置換モバイル中継器ＷＴＲＵは、関連付けられたグループＩＤを使用してＰＣ５上でＴＭＧＩに関してＵｕインターフェースから読み取られたブロードキャスト情報の送信を開始することができる。置換モバイル中継器ＷＴＲＵは、ＰＣ５通信にグループＩＤを使用することができる（たとえば、ｅＮＢによって示されたもの）。置換モバイル中継器ＷＴＲＵは、将来のブロードキャスト制御メッセージ（たとえば、本明細書で説明されるＵｕ消失通知メッセージ）を送信することができる。置換モバイル中継器ＷＴＲＵは、それが以前に使用したブロードキャストアドレスを使用することができ、置換モバイル中継器ＷＴＲＵは、使用不能にされるモバイル中継器によって使用されていたブロードキャストアドレスを使用することができる。置換モバイル中継器ＷＴＲＵは、使用不能にされるモバイル中継器によってサービスされたリモートＷＴＲＵにブロードキャストメッセージを送ることができる。ブロードキャストメッセージは、リモートＷＴＲＵが、それらの監視されるブロードキャスト制御アドレスを置換モバイル中継器ＷＴＲＵのブロードキャスト制御アドレスに変更できることを示すことができる。
【０２１７】
置換モバイル中継器ＷＴＲＵがセットアップされた後に、ｅＮＢは、ｅＮＢが使用不能にしようとしているモバイル中継器にモバイル中継器非アクティブ化メッセージを送ることができる。ｅＮＢが使用不能にしようとしているモバイル中継器は、モバイル中継器非アクティブ化メッセージを受信することができる。ｅＮＢが使用不能にしようとしているモバイル中継器は、モデルＡディスカバリメッセージの送出を停止することができる。ｅＮＢが使用不能にしようとしているモバイル中継器は、モデルＢ要請メッセージへの応答を停止することができる。進行中のモバイル中継器動作は、停止され得る。たとえば、ｅＮＢが使用不能にしようとしているモバイル中継器との１対１通信は、停止され得る。ｅＮＢが使用不能にしようとしているモバイル中継器は、そのモバイル中継器動作に関するＴＭＧＩのブロードキャストの監視を停止することができる。ｅＮＢが使用不能にしようとしているモバイル中継器は、ＰＣ５リンクを介するブロードキャストデータの送信を停止することができる。
【０２１８】
モバイル中継器ＷＴＲＵが使用不能にされ、ｅＮＢが、リモートＷＴＲＵの情報を異なるおよび／または追加のモバイル中継器に転送する場合に、Ｕｕ消失通知メッセージが、ｅＮＢが使用不能に使用としているモバイル中継器によって送られ得る。送信（たとえば、モバイル中継器ＷＴＲＵによる）および受信（たとえば、リモートＷＴＲＵによる）に関する挙動が、適用可能とすることができる。
【０２１９】
サービス継続性は、リモートＷＴＲＵがモバイル中継器から別のモバイル中継器に移転するときに維持され得る。モバイル中継器リンクの置換および終了が、実行され得る。セッション継続性および／またはアドレス維持が、アプリケーションレイヤで実行され得る。たとえば、セッション継続性および／またはアドレス維持は、リモートＷＴＲＵが、リモートＷＴＲＵと以前のモバイル中継器との間のリンクのリンク品質に基づいて異なるモバイル中継器（たとえば、再選択されたモバイル中継器）への再選択を実行できるときに、実行され得る。再選択されたモバイル中継器は、以前のもしくは現在のモバイル中継器選択および／または以前のモバイル中継器とのリンクの終了について通知され得る。
【０２２０】
リモートＷＴＲＵは、異なるモバイル中継器（たとえば、再選択されたモバイル中継器）への再選択を実行すると判断することができる。リモートＷＴＲＵは、解除されようとしているモバイル中継器リンクに関する情報を送ることができる。リモートＷＴＲＵは、再選択されたモバイル中継器にモバイル中継器リンク転送表示を送ることができる。モバイル中継器リンク転送表示および情報は、アドレスを予約するためにモビリティ管理ゲートウェイまたはサービングゲートウェイ（ＭＭＥ／Ｓ−ＧＷ）に転送され得る。異なるおよび／または追加のベアラが、再選択されたモバイル中継器を介して確立され得る。モバイル中継器リンク転送表示および情報は、既存のＰＤＮ接続を維持するためにＭＭＥ／Ｓ−ＧＷに転送され得る。モバイル中継器リンク転送表示および情報は、１対１通信の接続の確立中に送られ得る。モバイル中継器リンク転送表示および情報は、リモートＷＴＲＵとモバイル中継器ＷＴＲＵとの間の、ディスカバリと１対１通信確立との間のあるときに発生する追加のメッセージ交換中に送られ得る。
【０２２１】
手順が、サービス継続性のために使用され得る。この手順は、解除されようとしているモバイル中継器リンクに関する情報と一緒のモバイル中継器リンク転送表示の送出と、再選択されたモバイル中継器とのリンクが確立されるときの、解除されようとしているモバイル中継器リンクの終了とを組み込むことができる。この手順は、複数のステップを含むことができる。以下は、一例とすることができる。
【０２２２】
リモートＷＴＲＵは、ＥＰＣを用いて、ＰＤＮ接続が関連付けられるモバイル中継器との接続を確立済みである場合がある。リモートＷＴＲＵは、本明細書で説明したトリガに基づいて、別のモバイル中継器（たとえば、再選択されたモバイル中継器）への再選択をイニシエートすることができる。リモートＷＴＲＵは、再選択されたモバイル中継器への１対１接続をイニシエートすることができる。リモートＷＴＲＵは、１対１接続確立中に、接続がモバイル中継器とのリンクを置換するために確立されつつあることを示すことができる。リモートＷＴＲＵは、モバイル中継器に関する情報を示し、かつ／またはモバイル中継器リンク転送を示すことができる。この表示は、リモートＷＴＲＵのＩＰアドレス、リモートＷＴＲＵの識別（たとえば、Ｌ２  ＩＤ、ＰＨＹレイヤＩＤ、および／または類似物）、およびモバイル中継器１の識別子（たとえば、Ｌ２  ＩＤ、ＰＨＹレイヤＩＤ、または送信先グループＩＤ）のうちの１つまたは複数を含むことができる。この表示は、ＰＣ５シグナリングプロトコルを介してまたは上位レイヤメッセージを介して転送され得る。下位レイヤからの情報は、異なるモバイル中継器に接続する判断が行われた後に、リモートＷＴＲＵの上位レイヤによって入手され得る。再選択されたモバイル中継器は、ＮＡＳシグナリングを介して、再選択されたモバイル中継器を介してリモートＷＴＲＵのパケットを再ルーティングするために、ＥＰＣ内のルーティングの再構成をトリガすることができる。実際のルーティング再構成は、異なるときに実行され得る。実際のルーティング再構成は、即座に実行され得、または、それは、モバイル中継器接続が再選択されたモバイル中継器に関して完全にセットアップされるまで遅延され得る。ＥＰＣ内でのルーティング再構成の後に、再選択されたモバイル中継器は、リモートＷＴＲＵに対するモバイル中継器の正しい構成を確認することができる。リモートＷＴＲＵは、モバイル中継器との接続を解除し、リンクの解除の終了をモバイル中継器に示すことができる。終了表示の受信時に、モバイル中継器は、以前に構成されたルート再構成を可能にするために、ＮＡＳメッセージを送ることができる。
【０２２３】
リモートＷＴＲＵは、リモート／モバイル中継器ＷＴＲＵがモバイル中継器終了表示を送るまで、モバイル中継器によってサービスされ続けることができる。たとえば、リモートＷＴＲＵは、リモートＷＴＲＵがモバイル中継器終了表示を送るまで、モバイル中継器を介してアップリンクデータを送信し、かつ／またはモバイル中継器からダウンリンクデータを受信することができる。モバイル中継器終了メッセージがモバイル中継器に送られるときに、リモートＷＴＲＵは、ある種の論理チャネルに関し、モバイル中継器通信にマッピングされた一部のまたはすべての通信が、再選択されたモバイル中継器を介して送られると仮定することができる。
【０２２４】
モバイル中継器リンクの転送および終了は、Ｕｕ接続とＰＣ５接続との間のサービス継続性を保証するのに使用され得る。
【０２２５】
Ｕｕ接続とＰＣ５接続との間のサービス継続性が、維持され得る。判断基準が、モバイル中継器選択および接続確立のイニシエーションに関して確立され得る。ＷＴＲＵがｅＮＢに接続されるときに、モバイル中継器接続の素早い確立は、ＷＴＲＵがサービス中断を最小化することを可能にすることができる。たとえば、モバイル中継器接続の素早い確立は、ＷＴＲＵがＵｕ接続を介してｅＮＢに接続される場合に、ＷＴＲＵが、Ｕｕリンクの劣化時のサービス中断を最小化することを可能にすることができる。モバイル中継器接続は、モバイル中継器選択および接続確立を含むことができる。ｅＮＢに接続されたＷＴＲＵは、潜在的なサービス停止に備えていくつかのステップを実行することができる。
【０２２６】
ｅＮＢに接続されたＷＴＲＵは、モバイル中継器選択を継続的にまたは周期的に実行することができる。モバイル中継器選択は、自律的またはｅＮＢの支援および／もしくは制御を介するものとすることができる。モバイル中継器選択の周期は、ＷＴＲＵ内で静的に構成され得る。たとえば、モバイル中継器選択の周期は、接続確立時に静的に構成され、かつ／またはＷＴＲＵに供給され得る。モバイル中継器選択の周期は、機能内で静的に構成され得る。モバイル中継器選択の周期は、ＲＲＣシグナリングを使用してｅＮＢによって構成され得る。ＲＲＣシグナリングは、専用またはブロードキャストとすることができる。モバイル中継器選択の周期は、ＷＴＲＵによるｅＮＢのリンク品質または測定値の値に依存するものとすることができる。たとえば、モバイル中継器選択の異なる頻度が、測定されたＵｕリンク品質の異なる範囲にあてはまることができる。ＷＴＲＵは、最新の選択されたモバイル中継器の情報を維持し、ある種のトリガの発生に基づいてモバイル中継器選択をイニシエートするためにその情報を利用することができる。たとえば、トリガは、モバイル中継器への移動とすることができる。トリガに応答して、ＷＴＲＵは、最後の選択されたモバイル中継器とのモバイル中継器接続を試みることができる。モバイル中継器接続が成功した後に、ＷＴＲＵは、関係するＵｕトラフィックを選択されたモバイル中継器ＷＴＲＵに移動することができる。
【０２２７】
ｅＮＢに接続されたＷＴＲＵは、トリガの発生時に選択プロセスを開始し、その後、別のトリガの発生時に、接続確立および選択されたモバイル中継器への移動を実行することができる。
【０２２８】
ｅＮＢに接続されたＷＴＲＵは、周期的にまたはあるトリガに基づいて、モバイル中継器との接続確立を実行することができる。ＷＴＲＵは、別のトリガが発生するまで、Ｕｕ接続を介して一部のまたはすべてのトラフィックを送り続けることができる。接続は、無期限に維持され、または、モバイル中継器の潜在的な選択または潜在的なモバイル中継器再選択に基づいて周期的に解除され、再確立され得る。データは、データ転送トリガが発生するまで、アクティブモバイル中継器接続を介して送られても送られなくてもよい。周期的なキープアライブメッセージが、モバイル中継器接続の品質を維持するために接続を介して送信され得る。周期的なキープアライブメッセージは、異なるモバイル中継器への再選択を促すために送信され得る。たとえば、キープアライブメッセージは、受信器に中継器接続の品質を測定させ、別のモバイル中継器への再選択が実行され得るかどうかを判断させるために、モバイル中継器ＷＴＲＵまたはリモートＷＴＲＵによって送られるディスカバリメッセージまたは通信メッセージを備えることができる。キープアライブメッセージは、有効なデータを含んでも含まなくてもよい、アプリケーション制御メッセージまたはＡＳメッセージとすることができる。そのようなメッセージは、意図された受信されるものによって期待され得、そのようなメッセージの不在は、再選択をトリガすることができる。そのようなメッセージは、ＰＨＹ信号または基準信号をも備え、受信器がモバイル中継器接続の信号品質を測定することを可能にすることができる。
【０２２９】
トリガは、以下のうちの１つまたは複数を含むことができる。トリガは、ｅＮＢによる直接命令を含むことができる。たとえば、ｅＮＢによる直接命令は、メッセージを介するものとすることができる。メッセージは、ＲＲＣＲｅｃｏｎｆｉｇｕｒａｔｉｏｎメッセージを含むことができる。トリガは、ＷＴＲＵによって測定されたＵｕ品質がしきい値未満になる可能性があることの表示を含むことができる。トリガは、下位レイヤが同期はずれおよび／または無線リンク障害を宣言することを含むことができる。トリガは、ＲＲＣ接続再確立失敗および／またはＲＲＣ接続再確立に関連付けられたタイマの満了を含むことができる。トリガは、ＲＬＣ回復不能エラーを含むことができる。トリガは、ハンドオーバ失敗を含むことができる。
【０２３０】
接続確立通知および解放に関するある種の手順が、実施され得る。リモートＷＴＲＵは、ネットワーク内カバレージとモバイル中継器接続との間で移動することができる。リモートＷＴＲＵは、ネットワーク内カバレージとモバイル中継器接続との間での推移をイニシエートすることができる。リモートＷＴＲＵは、ｅＮＢによって、ネットワーク内カバレージとモバイル中継器接続との間で推移するように促され得る。たとえば、リモートＷＴＲＵは、ネットワーク内カバレージからモバイル中継器接続に移動することができる。リモートＷＴＲＵは、ネットワーク／アプリケーションサーバ／リモートＷＴＲＵ内の上位レイヤに、リモートＷＴＲＵがカバレージを去ったことを通知することができる。上側レイヤは、データが異なる接続／ベアラ／ＩＰアドレスを介して送られ得るときに通知され得る。ＡＳは、異なる接続をイニシエートすることができる。
【０２３１】
ネットワーク内カバレージからモバイル中継器接続に移動するときに、リモートＷＴＲＵは、それがモバイル中継器ＷＴＲＵへの接続を確立した後に、モバイル中継器接続が成功であったことをｅＮＢに通知することができる。Ｕｕインターフェース上のＲＲＣ接続および／またはＵＴＲＡＮを介するＥＰＣ接続は、解放され得る。ＥＰＣからのデータの転送は、モバイル中継器接続を介して開始され得る。ＷＴＲＵは、モバイル中継器に接続するときにある種の手順／プロセスに従うことができる。
【０２３２】
たとえば、リモートＷＴＲＵは、モバイル中継器選択をイニシエートすることができる。モバイル中継器選択は、ネットワークによって支援され得る。リモートＷＴＲＵは、１対１確立接続中にｅＮＢとのそのＲＲＣ接続に関する情報をモバイル中継器ＷＴＲＵに（たとえば、ＰＣ５接続を介して）送ることができる。ｅＮＢとのＲＲＣ接続に関する情報は、モバイル中継器ＷＴＲＵがＥ−ＵＴＲＡＮ接続からのトラフィック／セッションの転送をイニシエートすることを可能にするために、上位レイヤシグナリングの一部として送られ得る。ｅＮＢとのＲＲＣ接続に関する情報は、モバイル中継器ＷＴＲＵへの接続を試みているリモートＷＴＲＵの識別子（たとえば、Ｌ２  ＩＤ、ＰＨＹ  ＩＤ、３ＧＰＰ  ＩＤ、および／または類似物）を含むことができる。ｅＮＢとのＲＲＣ接続に関する情報は、以前にＥ−ＵＴＲＡＮ接続によって割り当てられたリモートＷＴＲＵのアドレスを含むことができる。ｅＮＢとのＲＲＣ接続に関する情報は、そのトラフィックがＰＣ５を介して転送されている、Ｅ−ＵＴＲＡＮ上の無線ベアラの識別を含むことができる。ｅＮＢとのＲＲＣ接続に関する情報は、リモートＷＴＲＵが接続されたｅＮＢの識別を含むことができる。
【０２３３】
リモートＷＴＲＵは、接続確立成功を受信することができる。リモートＷＴＲＵは、モバイル中継器ＷＴＲＵがネットワークアクセスのために正しく構成されたことを示すことができる。リモートＷＴＲＵは、モバイル中継器接続の成功裡の確立についてｅＮＢに通知するためにｅＮＢにメッセージを送ることができる。モバイル中継器ＷＴＲＵは、リモートＷＴＲＵの代わりに、ｅＮＢとのＵｕリンクを介してメッセージを送ることができる。メッセージは、様々な情報を含むことができる。メッセージは、モバイル中継器ＷＴＲＵの識別を含むことができる。メッセージは、モバイル中継器ＷＴＲＵのために働くｅＮＢの識別を含むことができる。メッセージは、モバイル中継器ＷＴＲＵと通信するのに使用されるリソース情報（たとえば、リソースプール）を含むことができる。メッセージは、モバイル中継器ＷＴＲＵのタイミング情報（たとえば、同期ソース情報）を含むことができる。メッセージは、リモートＷＴＲＵのために働くｅＮＢに関するタイミングの差を含むことができる。メッセージは、プロトコル状況または構成情報（たとえば、ＰＤＣＰ状況、シーケンス番号、および／または構成情報）を含むことができる。
【０２３４】
リモートＷＴＲＵは、ある種のアクションを実行することができる。アクションは、メッセージを送った後にＲＲＣ接続を自律的に解放することを含むことができる。アクションは、モバイル中継器ＷＴＲＵに転送されているサービスのために使用されていた無線ベアラに関連付けされた一部のまたはすべての情報を削除することを含むことができる。アクションは、ＲＲＣ接続を解放しまたはベアラを解除するためのｅＮＢからの明示的な信号を待つことを含むことができる。たとえば、ｅＮＢは、ＲＲＣ接続を解放するようにリモートＷＴＲＵにシグナリングし、解放がモバイル中継器ＷＴＲＵに接続するためのものであることを示すメッセージを送ることができる。アクションは、判断基準が満足されるまで、一部のまたはすべてのサービスにＵｕ接続を使用し続けることを含むことができる。判断基準は、ＲＲＣ接続の解放および／またはＵｕ無線ベアラの解除と、モバイル中継器ＷＴＲＵを介する通信とに関するものとすることができる。判断基準のいくつかの例は、ＲＳＲＰしきい値、カバレージ外の検出、ＲＬＦ、および／または類似物である。アクションは、異なるＰＣ５リンクおよび／または関連付けられたベアラの存在について上側レイヤに通知することを含むことができる。アクションは、接続確立成功の受信時にリモートＷＴＲＵによって実行され得る。リモートＷＴＲＵは、アプリケーションデータを送るのに異なるＰＣ５および／または関連付けられたベアラを使用することができる。リモートＷＴＲＵは、Ｕｕリンクベアラを使用してもしなくてもよい。アクションは、Ｕｕ無線ベアラバッファ（たとえば、ＲＬＣ）内の送信されないデータを異なるＰＣ５ベアラに転送するようにＡＳに通知することを含むことができる。
【０２３５】
リモートＷＴＲＵは、ＥＰＣを用いて実行される一部のまたはすべての通信がモバイル中継器ＷＴＲＵを介して（たとえば、ＰＣ５インターフェースを介して）達成され得ることを仮定し始めることができる。リモートＷＴＲＵは、ＥＰＣを用いて実行される一部のまたはすべての通信がＵｕインターフェースを介さない可能性があることを仮定し始めることができる。リモートＷＴＲＵは、特定の無線ベアラが解除されたことを仮定し始めることができる。
【０２３６】
モバイル中継器接続からネットワークカバレージに移動するときに、ＷＴＲＵは、モバイル中継器の識別およびモバイル中継器情報をｅＮＢに供給することができる。モバイル中継器の識別およびモバイル中継器情報のｅＮＢへの供給は、モバイル中継器ＷＴＲＵ対モバイル中継器ＷＴＲＵ転送に類似するものとすることができる。ＷＴＲＵは、ｅＮＢとのＲＲＣ接続を確立することができる。ＷＴＲＵは、ＥＰＣ接続をモバイル中継器からｅＮＢに転送するために、ｅＮＢを介してネットワークにモバイル中継器情報を送ることができる。ＷＴＲＵは、異なるＥＰＣ接続を作成するためにｅＮＢを介してネットワークにモバイル中継器情報を送ることができる。リモートＷＴＲＵは、それがネットワークカバレージ内にあると決定した後に、ある種の手順／プロセスに従うことができる。
【０２３７】
リモートＷＴＲＵは、それがネットワークカバレージ内にあると決定した後に、ｅＮＢとのＲＲＣ接続手順をイニシエートすることができる。
【０２３８】
リモートＷＴＲＵは、それが接続されたモバイル中継器に関する情報を送ることができる。情報は、ＲＲＣ  Ｃｏｎｎｅｃｔｉｏｎ  Ｓｅｔｕｐ  Ｃｏｍｐｌｅｔｅメッセージ内のＮＡＳメッセージの一部として送られ得る。ｅＮＢは、アドレスに関連付けられたパケットのルーティングの再構成をイニシエートするために、この情報をＭＭＥに転送することができる。この情報は、モバイル中継器ＷＴＲＵの識別子（たとえば、Ｌ２  ＩＤ、ＰＨＹレイヤＩＤ、または送信先グループＩＤ）を含むことができる。この情報は、モバイル中継器によって提供されるサービスのリスト（たとえば、監視されているＴＭＧＩのリスト）を含むことができる。この情報は、モバイル中継器ＷＴＲＵによってリモートＷＴＲＵに割り当てられた現在のアドレスを含むことができる。この情報は、リモートＷＴＲＵの識別（たとえば、Ｌ２  ＩＤ、ＰＨＹレイヤＩＤ、および／または類似物）を含むことができる。この情報は、Ｄ２Ｄリンクおよび／またはモバイル中継器からｅＮＢへのリンクに関するベアラ情報を含むことができる。この情報は、プロトコル状況および／または構成情報（たとえば、ＰＤＣＰ状況、シーケンス番号、および／または構成情報）を含むことができる。
【０２３９】
リモートＷＴＲＵは、モバイル中継器ＷＴＲＵから切断／解放を発行するためにモバイル中継器ＷＴＲＵに終了表示を送ることができる。たとえば、終了表示は、ＲＲＣ接続の完了および／またはｅＮＢを介するサービスの成功裡のイニシエーションの後に送られ得る。終了表示は、様々な目的のためにモバイル中継器ＷＴＲＵによって使用され得る。終了表示は、今はカバレージ内にあるリモートＷＴＲＵとの通信のためにモバイル中継器ＷＴＲＵ内で維持されるＤ２Ｄリソースの解放を強制するためにモバイル中継器ＷＴＲＵによって使用され得る。終了表示は、ｅＮＢに通知するためにモバイル中継器ＷＴＲＵによって使用され得る。たとえば、モバイル中継器ＷＴＲＵは、リモートＷＴＲＵがそのカバレージ内にあるｅＮＢとは異なるｅＮＢによってサービスされ得る。終了表示は、モバイル中継器接続からＵｕ接続への転送が完了したことをネットワークに確認するためにモバイル中継器ＷＴＲＵによって使用され得る。
【０２４０】
終了表示の受信時に、モバイル中継器ＷＴＲＵは、ある種のアクションを実行することができる。モバイル中継器ＷＴＲＵは、リモートＷＴＲＵと通信するのに使用された可能性がある一部のまたはすべてのリソース／プールを解放することができ、または、モバイル中継器ＷＴＲＵは、そのプールを再構成することができる。たとえば、再構成は、リモートＷＴＲＵがもはやＤ２Ｄリソースを使用しない可能性があるという事実に基づくものとすることができる。モバイル中継器ＷＴＲＵは、ｅＮＢが、リモートＷＴＲＵがそのカバレージ内にあるｅＮＢとは異なる場合に、モバイル中継器のために働くｅＮＢにメッセージを送ることができる。一部のリソースは、モバイル中継器のために働くｅＮＢ内で解放され得る。リソースプールは、モバイル中継器ＷＴＲＵによって再構成され得る。モバイル中継器ＷＴＲＵは、Ｅ−ＵＴＲＡＮ接続を介するリモートＷＴＲＵのデータの転送をイニシエートするために、ネットワークにＮＡＳメッセージを送ることができる。
【０２４１】
ユーザプレーンデータ転送が実施され得る。データは、推移中のデータの消失を回避する形でベアラ／論理チャネルの間で転送される必要がある場合がある。Ｕｕを介して特定のアプリケーションおよび／またはサービスのために働くＵｕ無線ベアラは、リモートＷＴＲＵとモバイル中継器ＷＴＲＵとの間のＰＣ５ベアラならびにモバイル中継器とｅＮＢとの間のＵｕ無線ベアラの組合せと置換され得る。
【０２４２】
ある種のプロセスおよび／または手順が、推移中のデータの消失を回避するために実施され得る。異なるプロセスおよび／または手順が、ＵｕからＰＣ５へのデータの転送および／またはＰＣ５からＵｕへのデータの転送に関して実施され得る。ダウンリンクデータは、アップリンクデータとは異なって扱われ得る。
【０２４３】
完全にロスレスな手法が、ＵｕからＰＣ５へのダウンリンクデータ転送を扱うために使用され得る。たとえば、ｅＮＢは、まだ送信されていないＲＬＣ  ＰＤＵまたは送信されたがＵｕリンク上でモバイル中継器を介して肯定応答されていないＲＬＣ  ＰＤＵを転送することができる。ｅＮＢは、それが無線ベアラを解除する間／後にＲＬＣ  ＰＤＵを転送し、かつ／またはＲＬＣ  ＰＤＵがそれに宛てられた送信先リモートＷＴＲＵを示すことができる。ＲＬＣ  ＰＤＵの転送は、複数のステップを含むことができる。ステップは、以下を含むことができる。
【０２４４】
リモートＷＴＲＵは、無線ベアラのサービスがモバイル中継器を介してサポートされ得る（たとえば、本明細書で説明されるように）ので、そのベアラが解除され得ることをｅＮＢに通知することができる。無線ベアラは、ｅＮＢによって解除され得る。たとえば、無線ベアラは、ＲＲＣ接続再構成を送ることによって、ｅＮＢによって解除され得る。ｅＮＢは、ＷＴＲＵが自然にＲＬＦに移動することを可能にすることができる。ｅＮＢは、無線ベアラをアクティブのままにし、かつ／または無線ベアラを介するデータの送信を停止することができる。リモートＷＴＲＵは、ＲＲＣ接続再構成の受信時にＵｕ無線ベアラに関連付けられた一部のまたはすべてのデータを削除し、ベアラを解除することができる。リモートＷＴＲＵは、同一のアプリケーションレイヤエンティティ宛のＰＣ５リンクを介してデータパケットを受信する際に、Ｕｕ無線ベアラに関連付けられた一部のまたはすべてのデータを削除することができる。リモートＷＴＲＵは、無線ベアラが解除され得ることの通知をｅＮＢに送った直後に、Ｕｕ無線ベアラに関連付けられた一部のまたはすべてのデータを削除することができる。ｅＮＢは、モバイル中継器ＷＴＲＵへのＵｕを介してまだ送信されていない一部のまたはすべてのＰＤＵを転送することができる（たとえば、通知の後に）。異なるベアラが、モバイル中継器ＷＴＲＵへのＵｕを介してまだ送信されていない一部のまたはすべてのＰＤＵを転送するために作成され得る。モバイル中継器のために働いていたベアラは、モバイル中継器ＷＴＲＵへのＵｕを介してまだ送信されていない一部のまたはすべてのＰＤＵを転送するのに使用され得る。ｅＮＢは、アプリケーションサーバがパケットの生成を停止するまで、古いＷＴＲＵアドレスを有して受信された（たとえば、Ｕｕを介して）パケットから異なるおよび／または追加のＲＬＣを作成し続けることができる。
【０２４５】
モバイル中継器ＷＴＲＵは、複数のパケットがＰＣ５を介してリモートＷＴＲＵに送られ得ることを知らされ得る。パケットは、ＷＴＲＵの古いアドレスを含む場合がある。パケットは、リモートＷＴＲＵの識別子（たとえば、Ｌ２  ＩＤ、ＰＨＹ  ＩＤ、または他のＩＤ）を用いて個別に識別され得る。パケットは、ｅＮＢからモバイル中継器ＷＴＲＵへの制御メッセージの使用を介して識別され得る。制御メッセージは、ＲＲＣ、ＰＤＣＰ状況報告、／または類似物を含むことができる。メッセージは、ＰＤＣＰ  ＳＮ、カウント値、／または類似物によって期待されるパケットを示すことができる。モバイル中継器ＷＴＲＵは、データをルーティングするために正しいアドレスに頼っても頼らなくてもよい。
【０２４６】
モバイル中継器ＷＴＲＵは、リモートＷＴＲＵに関連付けられた論理チャネル／ＰＣ５ベアラにパケットを転送することができる。パケットは、リモートＷＴＲＵへの送信のために転送され得る。パケットは、追加のおよび／または異なるパケットが、リモートＷＴＲＵのために働くモバイル中継器に送信されるデータから作成される前に、転送され得る。追加のおよび／または異なるパケットは、ＰＣ５宛の追加のおよび／または異なるＷＴＲＵ  ＩＰアドレスを使用してデータから作成され得る。
【０２４７】
リモートＷＴＲＵは、モバイル中継器ＷＴＲＵからｅＮＢによって転送されたパケットを受信することができる。リモートＷＴＲＵは、シーケンシング／番号付けおよび上側レイヤへの転送を継続することができる。シーケンシング／番号付けおよび上側レイヤへの転送は、Ｕｕ無線ベアラを介して発生していた。
【０２４８】
時間ベースのロスレス手法が、ＵｕからＰＣ５へのダウンリンクデータ転送を扱うのに使用され得る。たとえば、ｅＮＢは、まだ送信されていない一部のもしくはすべてのＰＤＵまたは送信されたが、それが無線ベアラを解除する前の特定の時間の間にＵｕ無線ベアラを介して肯定応答（たとえば、ＷＴＲＵにシグナリング）されなかったＰＤＵを送ることができる。ＰＤＵの送出は、複数のステップを伴うことができる。ステップは、以下を含むことができる。リモートＷＴＲＵは、無線ベアラが解除され得ることをｅＮＢに通知することができる。そのベアラのサービスは、モバイル中継器を介してサポートされ得る（たとえば、本明細書で説明されるように）。ｅＮＢは、ｅＮＢがそのバッファを空にするまで、Ｕｕリンクを介して一部のまたはすべてのＰＤＵを送信し続けることができる。ｅＮＢは、ある時間期間の間に送信／再送信を試み続けることができる。ＰＤＵは、その時間期間の満了時に破棄されまたはモバイル中継器ＷＴＲＵを介して送信され得る。ｅＮＢは、ｅＮＢがそのバッファを空にするまで、Ｕｕリンクを介して一部のまたはすべての追加の／異なるパケットを送信し続けることができる。ｅＮＢは、ある時間期間の間に追加の／異なるパケットの送信／再送信を試み続けることができる。追加の／異なるパケットは、その時間期間の満了時に破棄されまたはモバイル中継器ＷＴＲＵを介して送信され得る。
【０２４９】
リモートＷＴＲＵは、ベアラがｅＮＢによって解除されるまでまたはＷＴＲＵ内で設定された特定の時間期間の間に、ベアラを介してデータを受信し続けることができる。時間の満了時またはベアラを解除するｅＮＢによるＲＲＣ再構成の受信時に、リモートＷＴＲＵは、対応する無線ベアラに関連付けられた一部のまたはすべてのデータを削除することができる。たとえば、タイマは、ＷＴＲＵ内で事前に構成されまたはＲＲＣシグナリングを介してｅＮＢによって構成され得る。
【０２５０】
ロスレスすなわち冗長な手法が、ＵｕからＰＣ５へのダウンリンクデータ転送を扱うのに使用され得る。たとえば、ｅＮＢは、古い（たとえばＵｕ上の）ＷＴＲＵアドレスに関連付けられる、それが受信した一部のまたはすべてのＰＤＵを、Ｕｕリンクを介してＷＴＲＵにおよびＰＣ５リンクを介してモバイル中継器ＷＴＲＵに送ることができる。モバイル中継器ＷＴＲＵ内で適用可能な手順が、使用され得る。リモートＷＴＲＵは、両方のリンクから受信された重複パケットを破棄することができる。
【０２５１】
ロッシイ手法が、ＵｕからＰＣ５へのダウンリンクデータ転送を扱うのに使用され得る。たとえば、ｅＮＢは、それがバッファリングした一部のまたはすべてのパケットと、ＷＴＲＵの古い（たとえばＵｕ上の）アドレス宛の追加のおよび／または異なるパケットとを破棄することができる。ロッシイ手法は、単純である可能性がある。ロッシイ手法は、ＵｕベアラからＰＣ５ベアラへの推移の結果としてデータ消失をもたらす可能性がある。ロッシイ手法は、以下のステップのうちの１つまたは複数を含むことができる。
【０２５２】
リモートＷＴＲＵは、無線ベアラが解除され得ることをｅＮＢに通知することができる。そのベアラのサービスは、モバイル中継器を介してサポートされ得る（たとえば、本明細書で説明されるように）。ｅＮＢは、解除される無線ベアラの一部のまたはすべてのＰＤＣＰ  ＰＤＵを破棄することができる。ｅＮＢは、受信され、ＷＴＲＵにアドレッシングされ、無線ベアラに宛てられた追加のパケットを破棄することができる。リモートＷＴＲＵは、Ｕｕ無線ベアラに関連付けられた一部のまたはすべてのデータを削除することができる。リモートＷＴＲＵは、ベアラを解除するＲＲＣ接続再構成の受信時に、Ｕｕ無線ベアラに関連付けられた一部のまたはすべてのデータを削除することができる。リモートＷＴＲＵは、同一のアプリケーションレイヤエンティティ宛のＰＣ５リンクを介するデータパケットの受信時に、Ｕｕ無線ベアラに関連付けられた一部のまたはすべてのデータを削除することができる。リモートＷＴＲＵは、無線ベアラが解除され得ることの通知をｅＮＢに送った後に、Ｕｕ無線ベアラに関連付けられた一部のまたはすべてのデータを削除することができる。
【０２５３】
複数の手法が、ＵｕからＰＣ５への推移中にＷＴＲＵがｅＮＢに送信しているアップリンクデータを扱うために使用され得る。
【０２５４】
完全にルーズレス（loseless）な手法が、ＵｕからＰＣ５へのアップリンクデータ転送を扱うのに使用され得る。たとえば、ＷＴＲＵは、送信されなかった一部のもしくはすべてのＲＬＣ  ＰＤＵまたは送信されたが肯定応答されなかったＲＬＣ  ＰＤＵをＵｕベアラから異なるＰＣ５ベアラへ転送することができる。ＲＬＣ  ＰＤＵの転送が、発生することができる（たとえば、ＰＣ５接続の確立の後に）。一例では、リモートＷＴＲＵは、使用され、モバイル中継器を介して提供されたサービスに送られるトラフィックのために異なるＰＣ５論理チャネルを作成することができる。異なるＰＣ５論理チャネルを介して異なるパケットを送る前に、リモートＷＴＲＵは、送信されなかった一部のもしくはすべてのＰＤＣＰ  ＰＤＵまたは送信されたが肯定応答されなかったＰＤＣＰ  ＰＤＵを異なる論理チャネルに転送することができる。リモートＷＴＲＵは、リンクに適用可能なセキュリティパラメータを考慮に入れるために、異なるパケットに対して一部のまたはすべてのＰＤＣＰ動作（たとえば、圧縮、暗号化、および／または類似物）を再実行することもできる。
【０２５５】
時間ベースのロスレス手法が、ＵｕからＰＣ５へのアップリンクデータ転送を扱うのに使用され得る。たとえば、ＷＴＲＵは、まだ送信されていない一部のもしくはすべてのＰＤＵまたはある時間の間にＵｕ無線ベアラを介して送信されたが肯定応答（たとえば、ＷＴＲＵにシグナリング）されなかったＲＬＣ  ＰＤＵを送ることができる。リモートＷＴＲＵは、ベアラを解除するＲＲＣ接続再構成の受信時またはタイマの満了時に、Ｕｕ無線ベアラを介してＰＤＵを送信し続けることができる。トリガ（たとえば、タイマまたは解除された無線ベアラ）の後に、リモートＷＴＲＵは、送信されなかったまたは肯定応答されなかったＰＤＵを破棄し、またはそれらを送信のために異なるＰＣ５ベアラに移動することができる。
【０２５６】
ロッシイ手法が、ＵｕからＰＣ５へのアップリンクデータ転送を扱うのに使用され得る。たとえば、ＷＴＲＵは、まだ送信されていない一部のもしくはすべてのＰＤＵまたは送信されたが肯定応答されなかった（たとえば、ＰＣ５接続の確立の後に）ＰＤＵを破棄することができる。ＷＴＲＵは、ベアラに関するトラフィックがモバイル中継器を介して転送され得ることの表示のｅＮＢへの送信の後に、送信されなかった一部のもしくはすべてのＰＤＵまたは送信されたが肯定応答されなかったＰＤＵを破棄することができる。ＷＴＲＵは、Ｕｕベアラを解除する、ｅＮＢによるＲＲＣ接続再構成の受信の後に、送信されなかった一部のもしくはすべてのＰＤＵまたは送信されたが肯定応答されなかったＰＤＵを破棄することができる。
【０２５７】
進行中のサービスが、ある種のパケットを有する場合がある。パケットは、アップリンクパケットまたはダウンパケットとすることができる。パケットは、モバイル中継器にある場合があり、推移（たとえば、モバイル中継器接続（ＰＣ５）からＵｕ接続への）中のサービス中断または劣化を回避するために、ｅＮＢまたはＷＴＲＵに配送され得る。
【０２５８】
アップリンクデータを扱うために、モバイル中継器ＷＴＲＵは、モバイル中継器ＷＴＲＵに存在するパケットと、送信されたが肯定応答されなかったＰＤＵ（たとえば、Ｕｕリンク上）とをｅＮＢに送ることができる。
【０２５９】
アップリンク送信すなわちＰＣ５からＵｕへの例では、モバイル中継器ＷＴＲＵは、リモートＷＴＲＵから受信されたモバイル中継器ＷＴＲＵにある一部のまたはすべてのデータが変更なしで送信され、肯定応答され終わるまで、ＰＤＣＰ送信バッファを空にし続けることができる。モバイル中継器ＷＴＲＵは、関連付けされたタイマまたは再試行カウンタの満了まで、リモートＷＴＲＵから受信されたモバイル中継器ＷＴＲＵにある一部のまたはすべてのデータが変更なしで送信され、肯定応答され終わるまで、ＰＤＣＰ送信バッファを空にし続けることができる。ネットワーク内のアプリケーションは、リモートＷＴＲＵのモバイル中継器によって割り当てられた発信元アドレスを有するパケットを一時的に受信することができる。シーケンス内配送のために、ｅＮＢは、Ｕｕ接続を介してＷＴＲＵ（たとえば、以前のリモートＷＴＲＵ）から受信されたパケットをバッファリングすることができる。ｅＮＢは、シーケンス内配送のために、新たに確立されたＵｕリンク無線ベアラを介して上側レイヤにＰＤＣＰデータを転送する前に、モバイル中継器ＷＴＲＵに通信するＰＤＣＰエンティティからの表示を待つことができる。
【０２６０】
アップリンク送信すなわちＰＣ５からＵｕの例では、モバイル中継器ＷＴＲＵは、ｅＮＢに送信される一部／すべての保留中データをフラッシュすることができる。ＷＴＲＵ（たとえば、以前にはリモート）は、Ｕｕ無線ベアラの確立の後に、ｅＮＢから、ｅＮＢで欠けているパケットまたはＰＤＵを反映する状況報告（たとえば、ＰＤＣＰまたは上側レイヤ）を受信することができる。ＷＴＲＵは、状況報告内に反映された欠けているパケット／ＰＤＵから始めて、Ｕｕ無線ベアラを介するｅＮＢへの送信を開始することができる。ＷＴＲＵは、ＰＣ５リンクを介して既に送信された、ある数またはＰＤＵを再送信することができる。再送信されるＰＤＵの数は、ネットワークによって構成されまたはＷＴＲＵ内で静的にセットされ得る。
【０２６１】
アップリンク送信すなわちＰＣ５からＵｕの例では、モバイル中継器ＷＴＲＵは、ｅＮＢに送信される一部のまたはすべての保留中データをフラッシュすることができる。ＷＴＲＵ（たとえば、以前にはリモート）は、モバイル中継器接続の解除の後に、送信される予定のＰＤＣＰ  ＰＤＵを送信することができる。
【０２６２】
本明細書で議論される他の手法のうちの１つまたは複数に関連して使用され得るアップリンク送信すなわちＰＣ５からＵｕの例では、リモートＷＴＲＵは、モバイル中継器ＷＴＲＵによってフラッシュされ得るモバイル中継器へのデータの送信を回避するために、接続ｅＮＢのイニシエーションのある点（たとえば、ＲＡＣＨ、ＲＲＣ接続確立、および／または類似物）で、モバイル中継器ＷＴＲＵへの送信を一時停止することができる。
【０２６３】
ダウンリンクデータを扱うために、モバイル中継器ＷＴＲＵは、ＷＴＲＵ（たとえば、以前にはリモート）にデータ（たとえば、ＩＰパケット、保留中のＰＤＣＰ  ＰＤＵ）を送ることができる。アップリンクに関して本明細書で説明される手法は、ダウンリンクデータを扱うために使用され得る。ｅＮＢの役割およびリモートＷＴＲＵの役割は、逆転され得る。本明細書で議論される手法は、モバイル中継器と別のモバイル中継器との間のリンクの転送（たとえば、モバイル中継器再選択のための）に使用され得る。
【０２６４】
サービス継続性は、あるｅＮＢから別のｅＮＢへのモバイル中継器ＷＴＲＵハンドオーバに関して維持され得る。モバイル中継器ＷＴＲＵのモビリティが、考慮され得る。モバイル中継器ＷＴＲＵは、あるｅＮＢの制御から別のｅＮＢへ移動することができる。ｅＮＢは、モバイル中継器としてのＷＴＲＵの状況に関する情報を含むことができる。ｅＮＢは、モバイル中継器コンテキスト情報（たとえば、そのモバイル中継器によって使用されるＤ２Ｄリソースプール）を含むことができる。この情報は、あるｅＮＢから別のｅＮＢへ転送され得る。ハンドオーバ手順では、ｅＮＢのモバイル中継器コンテキストは、Ｘ２インターフェースを介して別のｅＮＢへ転送され得る。モバイル中継器ＷＴＲＵのハンドオーバ中にＸ２インターフェースを介して転送され得る情報は、ハンドオーバを実行するＷＴＲＵがモバイル中継器として働いていることの表示、Ｄ２Ｄ通信のためにモバイル中継器ＷＴＲＵによって使用されるリソースプール（たとえば、モバイル中継器機能性に固有のものを含む）、モバイル中継器によってサービスされるリモートＷＴＲＵの数またはリスト、およびモバイル中継局によってサービスされるリモートＷＴＲＵの集合によって使用されているサービスの識別のうちの１つまたは複数を含むことができる。
【０２６５】
サービス継続性は、モバイル中継器固有のブロードキャスト機構を介し維持され得る。モバイル中継器は、そのモバイル中継器によってサービスされる一部のまたはすべてのリモートＷＴＲＵに特定のメッセージをブロードキャストすることを許可され得る。ブロードキャストされる特定のメッセージは、ある種のモバイル中継器リンクに通信され得る。ブロードキャストされる特定のメッセージは、識別子を介してモバイル中継器ＷＴＲＵに接続された一部のまたはすべてのリモートＷＴＲＵに送られ、かつ／またはＳＬ−ＢＣＨ内で送信され得る。
【０２６６】
モバイル中継器は、モバイル中継器ＷＴＲＵに接続されるリモートＷＴＲＵの一部またはすべてをある種の識別子によってアドレッシングすることによって、それらにブロードキャスト制御情報を送ることができる。この識別子は、Ｌ２  ＩＤ、アプリケーションＩＤ、ＰｒｏＳｅ  ＩＤ、ＭＡＣアドレス、または同様の識別子を含むことができる。ＡＳおよび／またはアプリケーションレイヤは、モバイル中継器動作（たとえば、制御メッセージング）に関連付けられた情報を識別するのにこれらの識別子を使用することができる。識別子は、モバイル中継器ＷＴＲＵが、モバイルＷＴＲＵによってサービスされるリモートＷＴＲＵまたは中継器ＷＴＲＵによってサービスされているサブセットリモートＷＴＲＵもしくはすべてのリモートＷＴＲＵに固有の情報をブロードキャストすることを可能にすることができる。モバイル中継器ＷＴＲＵは、１対１通信リンクを横切ってすべてのリモートＷＴＲＵにユニキャストメッセージを送っても送らなくてもよい。たとえば、識別子は、モバイル中継器ＷＴＲＵが、そのモバイル中継器ＷＴＲＵからブロードキャストされたｅＭＢＭＳを受信することができるリモートＷＴＲＵに同一の制御メッセージを送ることを可能にすることができる。リモートＷＴＲＵは、モバイル中継器ＷＴＲＵと共に能動的に確立された１対１通信リンクを有しても有しなくてもよい。
【０２６７】
ブロードキャスト機構が確立され得る。モバイル中継器ＷＴＲＵは、ディスカバリメッセージ内でまたはモバイル確立中にブロードキャストアドレスを送ることができる。モバイル中継器ＷＴＲＵは、ディスカバリメッセージのペイロードの一部としてブロードキャストアドレスを送ることができる。ブロードキャストアドレスは、リモートＷＴＲＵが制御情報のブロードキャストアドレスをリスンできるように、ディスカバリメッセージ内で送られ得る。ディスカバリメッセージは、モデルＡまたはモデルＢのディスカバリメッセージとすることができる。ブロードキャストアドレスは、１対１モバイル中継器確立中に送られ得る。たとえば、ブロードキャストアドレスは、リモートＷＴＲＵによって行われる直接通信要求の後に、認証およびＬ２セキュアリンクのセキュリティ確立中に送られ得る。ブロードキャストアドレスは、事前に構成されまたは事前構成から導出されることも可能である。たとえば、ＷＴＲＵは、その位置およびＷＴＲＵ事前構成内のいくつかの特定のルールに基づいて、それがリスンしなければならないブロードキャストアドレスを導出することができる。ブロードキャストアドレスは、モバイル中継器ＷＴＲＵ  Ｌ２  ＩＤから導出されることも可能である。リモートＷＴＲＵは、それがリスンしているかそれによってサービスされているモバイル中継器ＷＴＲＵドレスのＬ２アドレスに適用されるある特定の変換機能に基づいて、リスンすべきブロードキャストアドレスを決定することができる。
【０２６８】
リモートＷＴＲＵは、ブロードキャストアドレスを入手することができる。リモートＷＴＲＵは、ブロードキャストアドレス宛のモバイル中継器ＷＴＲＵからの制御メッセージをリスンすることができる（たとえば、それがモバイル中継器ＷＴＲＵのサービスを使用する限り）。そのような制御メッセージは、Ｄ２Ｄ通信メッセージまたはＤ２Ｄディスカバリメッセージで供給され得る。たとえば、１対１リンクが解除された後、リモートＷＴＲＵがＤ２Ｄ通信トランスポートを介してｅＭＢＭＳをリスンしているときであっても、モバイル中継器ＷＴＲＵは、モバイル中継器によって送られた制御に関係している可能性があるメッセージのブロードキャストアドレスをリスンし続けることができる。
【０２６９】
ブロードキャストメッセージは、その効果のために予約された１つまたは複数の専用のプール内で送信され得る。ブロードキャストメッセージがそれによって送信され得る特定のプールは、専用のシグナリングによってまたはＳＩＢ内で与えられる。
【０２７０】
ブロードキャストメッセージは、ＳＬ−ＢＣＨ内で送信され得る。ＩＥが、モバイル中継器として働いているＷＴＲＵのＳＬ−ＢＣＨ上で送信される情報に追加され得る。ＭａｓｔｅｒＩｎｆｏｒｍａｔｉｏｎＢｌｏｃｋ−ＳＬ内の予約済みビットが、ブロードキャストメッセージを送信するのに使用され得る。
【０２７１】
ブロードキャストメッセージは、モバイル中継器ＷＴＲＵ識別子（たとえば、Ｌ２  ＩＤ、ＰＨＹ  ＩＤ、または他）、他のモバイル中継器の識別（たとえば、モバイル中継器リダイレクション用）、ＴＭＧＩ、リモートＷＴＲＵのリソースプール構成、および／またはリモートＷＴＲＵによって実行され得るアクションという情報のうちの１つまたは複数を含むことができる。アクションは、メッセージ内のコードまたは少数のビットを識別され得、ビットのセットは、実行されるアクションの特定のタイプを参照する。アクションは、モバイル／停止中継器再選択を開始する、ディスカバリまたは測定を開始／停止する、Ｕｕ接続へ／から切り替える、Ｕｕへ／からトラフィックを向ける、ＰＣ５上の送信を一時停止／開始する、モバイルディファレント中継器に再選択する、かつ／またはモード２  ＴＸ／ＲＸプールの再構成（たとえば、利用されるＲＸ／ＴＸリソースプールを変更するコマンド）のうちの１つまたは複数を含むことができる。
【０２７２】
サービス継続性は、Ｕｕ接続およびモバイル中継器接続を使用することによって維持され得る。リモートＷＴＲＵは、Ｕｕ接続およびモバイル中継器接続を維持できる場合がある。たとえば、ＷＴＲＵは、モバイル中継器ＷＴＲＵを介して公共安全トラフィックを受信することができ、Ｕｕインターフェース上でｅＮＢから直接非公共安全トラフィックを受信することができる。モバイル中継器ＷＴＲＵは、同一のまたは異なるｅＮＢに接続され得る。
【０２７３】
ＷＴＲＵが、公共安全サービスおよび非公共安全サービスについてｅＮＢによってサービスされつつあり、ＷＴＲＵが、ｅＮＢのカバレージ外に移動し始め得る場合に、ＷＴＲＵは、一部のまたはすべての公共安全通信を継続するためにモバイル中継器に移動され得る。ネットワークは、モバイル中継器ＷＴＲＵとのモバイル中継器リンクが確立された後に、Ｕｕリンク上の公共安全通信に関する一部のまたはすべてのベアラを解除することができる。ＷＴＲＵは、非公共安全に関するベアラによってサービスされ続けるために、Ｕｕインターフェースを介するｅＮＢへの接続を維持することができる。ｅＮＢは、モバイル中継器を選択するようにＷＴＲＵをトリガするためにＷＴＲＵに表示を送ることができる。選択は、ｅＮＢまたはＷＴＲＵによって行われ得る。ＷＴＲＵは、モバイル中継器への接続を実行することができ、ネットワークへの接続は、モバイル中継器を介して確立され得る。モバイル中継器接続が確立された後に、ネットワークは、Ｕｕリンク上の公共安全関連ベアラを解除し、モバイル中継器を使用して公共安全関連トラフィックを送り始めることができる（たとえば、異なるアドレスを使用して、またはモバイル中継器を介して同一のアドレスを使用するようにＷＴＲＵを再構成し終えた後に）。ＷＴＲＵは、ＷＴＲＵがカバレージ外になるまで、非公共安全サービスに関してＵｕインターフェースを介して、および一部のまたはすべての公共安全サービスに関してＰＣ５インターフェースを介して、通信し続けることができる。Ｕｕリンクのカバレージの消失に関する手順が、実行され得る。
【０２７４】
同時Ｕｕ接続およびＰＣ５接続を有するときに、ＷＴＲＵは、非公共安全トラフィックに関してＵｕ接続を介してｅＮＢに接続され、同時に、異なるｅＮＢに接続され得る公共安全トラフィックに関してモバイル中継器ＷＴＲＵに接続され得る。ｅＮＢは、モバイル中継器によって使用されるリソースを知っていてもいなくてもよい。ｅＮＢは、ＷＴＲＵと通信するのに使用されるＵｕリソースと調整してもしなくてもよい。モバイル中継器ＷＴＲＵ送信および同期ソースは、ｅＮＢのタイミングと同期化されてもされなくてもよい。
【０２７５】
ＷＴＲＵは、モバイル中継器ＷＴＲＵが接続される異なるｅＮＢの識別をｅＮＢに送ることができる。異なるｅＮＢの識別は、ＷＴＲＵによってｅＣＧＩアナウンスメントを介して入手され得る。異なるｅＮＢの識別は、モバイル中継器ＷＴＲＵによってモバイル中継器ディスカバリメッセージ内で送られ得、または、モバイル中継器ＷＴＲＵとの接続確立中に入手され得る。異なるｅＮＢの識別を使用して、ｅＮＢは、モバイル中継器ＷＴＲＵのタイミング基準（たとえば、ｅＮＢの間のタイミング差）およびモバイル中継器リソース情報をＸ２を介して入手することができる。
【０２７６】
たとえば、ＷＴＲＵは、潜在的なモバイル中継器を測定するためにモバイル中継器ディスカバリメッセージを監視することができる。モバイル中継器選択判断基準に基づいて、ＷＴＲＵまたはサービングｅＮＢは、別のｅＮＢによってサービスされるモバイル中継器ＷＴＲＵを選択することができる。ＷＴＲＵは、モバイル中継器ＷＴＲＵにサービスするｅＮＢのｅＣＧＩを決定するためにｅＣＧＩ手順を実行することができる。モバイル中継器ＷＴＲＵとの接続確立を実行する前に、ＷＴＲＵは、別のｅＮＢ（たとえば、モバイル中継器ＷＴＲＵにサービスするｅＮＢ）の識別と共に、そのサービングｅＮＢへの接続確立の表示を送ることができる。ＷＴＲＵにサービスするｅＮＢは、モバイル中継器ＷＴＲＵにサービスするｅＮＢとのＸ２通信を介してモバイル中継器によって利用されるタイミングおよびリソース情報を入手することができ、リモートＷＴＲＵとの非公共安全データ通信のＵｕインターフェース上の進行中のリソースをスケジューリングすることができる。ｅＮＢは、ＷＴＲＵがモバイル中継器ＷＴＲＵとの接続確立に進むことを可能にすることができる。
【０２７７】
異なるｅＮＢの識別を使用して、ｅＮＢは、異なるｅＮＢへのハンドオーバをトリガすることができる（たとえば、これが可能な場合に）。たとえば、ＷＴＲＵがそれへの接続を実行することを望むモバイル中継器ＷＴＲＵのセル識別が、ＷＴＲＵサービングｅＮＢに送られ得る。ｅＮＢは、モバイル中継器接続を開始する要求を拒絶しまたはハンドオーバの後までこれを遅延させると同時に、ＷＴＲＵ内のイントラ／インター周波数測定をイニシエート／構成することができ、かつ／または異なるｅＮＢへのＷＴＲＵのハンドオーバを開始することができる。
【０２７８】
ＷＴＲＵは、モバイル中継器ＷＴＲＵの同期情報およびリソースプール情報をそのサービングｅＮＢに送ることができる。たとえば、リモートＷＴＲＵは、潜在的なモバイル中継器を測定するためにモバイル中継器ディスカバリメッセージを監視することができる。モバイル中継器選択判断基準に基づいて、リモートＷＴＲＵまたはサービングｅＮＢは、別のｅＮＢによってサービスされるモバイル中継器ＷＴＲＵを選択することができる。ＷＴＲＵは、モバイル中継器ＷＴＲＵとの接続の確立を試みる前に、同期基準情報（たとえば、それ自体のサービングｅＮＢタイミングとのモバイル中継器ＷＴＲＵの同期ソースのタイミング差）をｅＮＢに送ることができる。モバイル中継器ＷＴＲＵにサービスするｅＮＢは、この情報を使用して、ＷＴＲＵに対して行われる一部のまたはすべてのＵｕリソース割当（たとえば、非公共安全トラフィック用）を調整することができる。モバイル中継器ＷＴＲＵが、通信中のある点でＷＴＲＵにリソース再構成を送る場合に、ＷＴＲＵは、この情報をｅＮＢに送ることができる。
【０２７９】
ＷＴＲＵは、モバイル中継器に関連付けられたｅＮＢに関する情報を送った後に、モバイル中継器への接続を拒絶される場合がある。たとえば、ｅＮＢは、ＷＴＲＵにリダイレクションを送ることができ、または、Ｕｕリンクを使用して異なるモバイル中継器に接続するようにＷＴＲＵに命令することができる。
【０２８０】
上で説明されたプロセスは、コンピュータおよび／またはプロセッサによる実行のためにコンピュータ可読媒体内に組み込まれたコンピュータプログラム、ソフトウェア、および／またはファームウェアで実施され得る。コンピュータ可読媒体の例は、電子信号（有線および／またはワイヤレスの接続を介して送信される）および／またはコンピュータ可読記憶媒体を含むが、これに限定はされない。コンピュータ可読記憶媒体の例は、読取専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどであるがこれに限定されない磁気媒体、光磁気媒体、ならびに／またはＣＤ−ＲＯＭディスクおよび／もしくはデジタル多用途ディスク（ＤＶＤ）などの光媒体を含むが、これに限定はされない。ソフトウェアに関連付けられたプロセッサが、ＷＴＲＵ、端末、基地局、ＲＮＣ、および／または任意のホストコンピュータ内での使用のための無線周波数トランシーバを実施するのに使用され得る。ＷＴＲＵ対ネットワーク中継器、ＷＴＲＵ対ネットワークモバイル中継器、および／またはモバイル中継器は、交換可能に使用され得る。ＰｒｏＳｅモバイル中継器およびモバイル中継器は、いくつかのシナリオで交換可能に使用され得る。
【図１Ａ】
2018515969.tif 000003
【図１Ｂ】
2018515969.tif 000004
【図１Ｃ】
2018515969.tif 000005
【図１Ｄ】
2018515969.tif 000006
【図１Ｅ】
2018515969.tif 000007
【図２】
2018515969.tif 000008
【図３】
2018515969.tif 000009
【図４】
2018515969.tif 000010
【図５】
2018515969.tif 000011
【図６】
2018515969.tif 000012
【図７】
2018515969.tif 000013
【図８】
2018515969.tif 000014
【図９】
2018515969.tif 000015
【図１０】
2018515969.tif 000016
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
ワイヤレス送受信ユニット（ＷＴＲＵ）であって、
メモリと、
２つ以上のモバイル中継器からディスカバリ送信を受信し、前記ディスカバリ送信は、第１のモバイル中継器からの第１のディスカバリ送信と第２のモバイル中継器からの第２のディスカバリ送信とを含み、
前記第１のモバイル中継器からの前記第１のディスカバリ送信に基づく第１の基準信号受信電力（ＲＳＲＰ）と、前記第２のモバイル中継器からの前記第２のディスカバリ送信に基づく第２のＲＳＲＰとを決定し、
前記第１のＲＳＲＰおよび前記第２のＲＳＲＰが設定されたしきい値を超えるかどうかを決定し、
前記第１のモバイル中継器が、前記ＷＴＲＵに関連付けられた一時モバイルグループ識別（ＴＭＧＩ）をサポートするかどうか、および、前記第２のモバイル中継器が、前記ＷＴＲＵに関連付けられたＴＭＧＩをサポートするかどうかを決定し、
前記ＷＴＲＵに関連付けられた前記ＴＭＧＩをサポートし、前記設定されたしきい値を超えているＲＳＲＰを有するモバイル中継器を選択し、前記第１のモバイル中継器は、前記ＷＴＲＵに関連付けられた前記ＴＭＧＩをサポートする前記２つ以上のモバイル中継器の間で最高のＲＳＲＰを有している前記第１のモバイル中継器に基づいて選択され、
前記第１のモバイル中継器と接続するための要求を送り、
前記ＷＴＲＵによって選択された前記第１のモバイル中継器と接続する
ように構成されたプロセッサと
を備えたことを特徴とするＷＴＲＵ。
【請求項２】
前記ＷＴＲＵは、前記第１のＲＳＲＰを周期的に測定し、および、
前記ＷＴＲＵが前記測定に基づいて前記第１のＲＳＲＰが前記設定されたしきい値未満であると決定するという条件で、前記第２のＲＳＲＰが後続の測定機会中に前記設定されたしきい値を超えると決定し、
前記第２のモバイル中継器が前記ＷＴＲＵに関連付けられた前記ＴＭＧＩをサポートすると決定し、
前記第２のモバイル中継器と接続するための要求を送り、前記第２のモバイル中継器は選択され、前記第２のモバイル中継器は、前記後続の測定機会中に、前記ＷＴＲＵに関連付けられた前記ＴＭＧＩをサポートする前記２つ以上のモバイル中継器の間で前記最高のＲＳＲＰを有し、
前記第１のモバイル中継器と切断し、および、前記ＷＴＲＵによって選択された前記第２のモバイル中継器に接続する
ようにさらに構成されたことを特徴とする請求項１に記載のＷＴＲＵ。
【請求項３】
前記ディスカバリ送信は、前記２つ以上のモバイル中継器に対する識別を含むことを特徴とする請求項１に記載のＷＴＲＵ。
【請求項４】
前記ＷＴＲＵは、前記２つ以上のモバイル中継器に対する前記受信された識別をｅｖｏｌｖｅｄノードＢ（ｅＮＢ）に報告するようにさらに構成されたことを特徴とする請求項３に記載のＷＴＲＵ。
【請求項５】
前記２つ以上のモバイル中継器に対する前記識別は、モバイル中継器レイヤ２識別（ＩＤ）または物理レイヤＩＤを含むことを特徴とする請求項４に記載のＷＴＲＵ。
【請求項６】
前記ＷＴＲＵは、
ｅｖｏｌｖｅｄノードＢ（ｅＮＢ）との接続がもはや使用可能ではないと決定し、
ディスカバリ要求をモバイル中継器に送る
ようにさらに構成され、
前記ディスカバリ要求は、プロキシミティサービス（ＰｒｏＳｅ）コードおよび前記ＷＴＲＵの識別子を含む
ことを特徴とする請求項１に記載のＷＴＲＵ。
【請求項７】
前記ＰｒｏＳｅコードは、前記ＷＴＲＵにおいてハードコーディングされることを特徴とする請求項６に記載のＷＴＲＵ。
【請求項８】
前記識別子は、前記ディスカバリ要求内のアプリケーションコードの一部であることを特徴とする請求項６に記載のＷＴＲＵ。
【請求項９】
前記ＷＴＲＵは、
ＰＣ５を通じて前記第１のモバイル中継器から通知を受信し、前記通知は、ｅｖｏｌｖｅｄノードＢ（ｅＮＢ）との前記接続を失うことに関連付けられ、
ＰＣ５上で前記第２のモバイル中継器に対するディスカバリ要求を送り、
ＰＣ５上の前記第２のモバイル中継器の前記ＲＳＲＰが前記設定されたしきい値を上回ると決定し、
前記第２のモバイル中継器が前記ＷＴＲＵに関連付けられた前記ＴＭＧＩをサポートすると決定し、
前記第２のモバイル中継器に接続するための要求を送り、前記第２のモバイル中継器は前記ＷＴＲＵによって選択され、前記第２のモバイル中継器は、前記ＷＴＲＵに関連付けられた前記ＴＭＧＩをサポートする前記２つ以上のモバイル中継器の間で最高のＲＳＲＰを有している前記第２のモバイル中継器に基づいて選択され、
前記第１のモバイル中継器と切断し、および、前記ＷＴＲＵによって選択された前記第２のモバイル中継器との１対１接続を確立する
ようにさらに構成されたことを特徴とする請求項１に記載のＷＴＲＵ。
【請求項１０】
前記通知は、物理（ＰＨＹ）レイヤシグナリングまたは無線リソース制御（ＲＲＣ）レイヤ制御シグナリングを介して受信されることを特徴とする請求項９に記載のＷＴＲＵ。
【請求項１１】
前記要求は、前記第２のモバイル中継器との１対１接続に対するものであり、および、前記ＷＴＲＵのプロキシミティサービス（ＰｒｏＳｅ）識別（ＩＤ）を含むことを特徴とする請求項９に記載のＷＴＲＵ。
【請求項１２】
前記第１のモバイル中継器の前記選択は、サービスの１つまたは複数のタイプ、アナウンスされたパブリックランドモバイルネットワーク識別（ＰＬＭＮ  ＩＤ）の１つまたは複数のタイプ、または、モバイル中継器固有情報に基づくことを特徴とする請求項１に記載のＷＴＲＵ。
【請求項１３】
前記設定されたしきい値は、無線リソース制御（ＲＲＣ）構成の一部であることを特徴とする請求項１に記載のＷＴＲＵ。
【請求項１４】
デバイスツーデバイス（Ｄ２Ｄ）通信のための方法であって、
２つ以上のモバイル中継器からディスカバリ送信を受信するステップであって、前記ディスカバリ送信は、第１のモバイル中継器からの第１のディスカバリ送信と第２のモバイル中継器からの第２のディスカバリ送信とを含む、ステップと、
前記第１のモバイル中継器からの前記第１のディスカバリ送信に基づく第１の基準信号受信電力（ＲＳＲＰ）と前記第２のモバイル中継器からの前記第２のディスカバリ送信に基づく第２のＲＳＲＰとを決定するステップと、
前記第１のＲＳＲＰおよび前記第２のＲＳＲＰが設定されたしきい値を超えるかどうかを決定するステップと、
前記第１のモバイル中継器が、ワイヤレス送受信ユニット（ＷＴＲＵ）に関連付けられた一時モバイルグループ識別（ＴＭＧＩ）をサポートするかどうか、および、前記第２のモバイル中継器が、ＷＴＲＵに関連付けられたＴＭＧＩをサポートするかどうかを決定するステップと、
前記ＷＴＲＵに関連付けられた前記ＴＭＧＩをサポートし、前記設定されたしきい値を超えているＲＳＲＰを有するモバイル中継器を選択するステップであって、前記第１のモバイル中継器は、前記ＷＴＲＵに関連付けられた前記ＴＭＧＩをサポートする前記２つ以上のモバイル中継器の間で最高のＲＳＲＰを有している前記第１のモバイル中継器に基づいて選択される、ステップと、
前記第１のモバイル中継器と接続するための要求を送るステップと、
前記第１のモバイル中継器と接続するステップと
を備えたことを特徴とする方法。
【請求項１５】
前記第１のＲＳＲＰが前記設定されたしきい値未満であるという条件で、前記第２のＲＳＲＰが後続の測定機会中に前記設定されたしきい値を超えると決定するステップと、
前記第２のモバイル中継器が前記ＷＴＲＵに関連付けられた前記ＴＭＧＩをサポートすると決定するステップと、
前記後続の測定機会中に、前記ＷＴＲＵに関連付けられた前記ＴＭＧＩをサポートする前記２つ以上のモバイル中継器の間で前記最高のＲＳＲＰを有している前記第２のモバイル中継器を選択するステップと、
前記第２のモバイル中継器と接続するための要求を送るステップと、
前記第１のモバイル中継器と切断し、および、前記第２のモバイル中継器に接続するステップと
をさらに備えたことを特徴とする請求項１４に記載の方法。
【国際調査報告】
2018515969.tif 000017
2018515969.tif 000018
2018515969.tif 000019
2018515969.tif 000020